(57)【要約】  一つの実施形態に係るユーザ端末は、異なる周波数で運用される複数のセルの中からサービングセルとして用いる対象セルを選択する制御部と、前記対象セルの再選択を要求する再選択要求信号を現在のサービングセルから受信する受信部とを備える。前記制御部は、前記再選択要求信号の受信に応じて、前記対象セルの再選択を行う。
2016163545.tif 000002
【特許請求の範囲】
【請求項１】
異なる周波数で運用される複数のセルの中からサービングセルとして用いる対象セルを選択する制御部と、
前記対象セルの再選択を要求する再選択要求信号を現在のサービングセルから受信する受信部とを備え、
前記制御部は、前記再選択要求信号の受信に応じて、前記対象セルの再選択を行うことを特徴とするユーザ端末。
【請求項２】
前記再選択要求信号は、前記現在のサービングセルが前記対象セルとして選択されにくくするための再選択パラメータを含み、
前記制御部は、前記再選択パラメータに基づいて、前記対象セルを選択することを特徴とする請求項１に記載のユーザ端末。
【請求項３】
前記現在のサービングセルが前記対象セルとして選択されにくくするための再選択パラメータは、前記現在のサービングセルから前記再選択要求信号とは別に報知されており、
前記制御部は、前記現在のサービングセルから報知された前記再選択パラメータに基づいて、前記対象セルの再選択を行うことを特徴とする請求項１に記載のユーザ端末。
【請求項４】
前記制御部は、前記再選択要求信号を受信しても、所定条件が満たされている場合に、前記対象セルの再選択を行わずに前記現在のサービングセルへの在圏を維持することを特徴とする請求項１に記載のユーザ端末。
【請求項５】
前記所定条件は、前回の再選択要求信号を受信してから経過した時間及びランダム性を有する値の少なくともいずれか１つの情報に関する条件であることを特徴とする請求項４に記載のユーザ端末。
【請求項６】
前記受信部は、前記再選択要求信号を繰り返し受信することを特徴とする請求項１に記載のユーザ端末。
【請求項７】
異なる周波数で運用される複数のセルの中からサービングセルとして用いる対象セルを選択する制御部と、
現在のサービングセルから報知されるページング信号を受信する受信部とを備え、
前記制御部は、前記ページング信号に含まれる再選択要求信号に応じて、前記対象セルの再選択を行うことを特徴とするユーザ端末。
【請求項８】
前記制御部は、前記ページング信号が自端末宛のページング信号ではなくても、前記ページング信号に含まれる前記再選択要求信号に応じて、前記対象セルの再選択を行うことを特徴とする請求項７に記載のユーザ端末。
【請求項９】
異なるページング機会でページング信号を報知する送信部を備え、
前記送信部は、異なる周波数で運用される複数のセルの中からサービングセルとして用いる対象セルの再選択を要求する再選択要求信号を含む前記ページング信号を報知することを特徴とする無線基地局。
【請求項１０】
前記送信部は、
前記再選択要求信号を含む前記ページング信号として、第１ページング機会で第１ページング信号を報知し、
前記再選択要求信号を含まない前記ページング信号として、前記第１ページング機会とは異なる第２ページング機会で第２ページング信号を報知することを特徴とする請求項９に記載の無線基地局。
【請求項１１】
異なる周波数で運用される複数のセルの中からサービングセルとして用いる対象セルを選択する制御部と、
前記対象セルの再選択を要求する再選択要求信号を現在のサービングセルから受信する受信部とを備え、
前記制御部は、前記再選択要求信号に依存しないトリガーに応じて、第１再選択処理を行うとともに、前記再選択要求信号の受信に応じて、前記第１再選択処理とは異なる第２再選択処理を行うことを特徴とするユーザ端末。
【請求項１２】
前記第２再選択処理は、前記対象セルの再選択において前記第１選択処理とは異なるルールが適用される処理であることを特徴とする請求項１１に記載のユーザ端末。
【請求項１３】
前記第２再選択処理に適用されるルールは、予め設定されている周波数の優先度を用いないルールであることを特徴とする請求項１２に記載のユーザ端末。
【請求項１４】
前記第２再選択処理に適用されるルールは、前記再選択要求信号の受信に応じて、前記現在のサービングセルから報知される報知情報に含まれる測定対象周波数の品質の測定を開始するルールであることを特徴とする請求項１２に記載のユーザ端末。
【請求項１５】
前記制御部は、前記対象セルの再選択において、前記現在のサービングセルの品質及び前記現在のサービングセルに隣接する隣接セルの品質に基づいて、前記現在のサービングセル及び前記隣接セルをランキングするランキング処理を行い、
前記第２再選択処理に適用されるルールは、前記ランキング処理において前記対象セルを選択するルールであることを特徴とする請求項１２に記載のユーザ端末。
【請求項１６】
前記第２再選択処理に適用されるルールは、前記対象セルの再選択に関する時間閾値を用いないルールであることを特徴とする請求項１２に記載のユーザ端末。
【請求項１７】
前記第２再選択処理が適用される期間は一定期間に亘って継続することを特徴とする請求項１２に記載のユーザ端末。
【請求項１８】
前記制御部は、前記第２再選択処理において、前記再選択要求信号を受信し、かつ、所定トリガー条件が満たされる場合に、前記対象セルの再選択を行うことを特徴とする請求項１１に記載のユーザ端末。
【請求項１９】
前記制御部は、前記第２再選択処理において、前記現在のサービングセルの周波数の優先度を最低の優先度に読み替えることを特徴とする請求項１１に記載のユーザ端末。
【請求項２０】
前記制御部は、前記再選択要求信号の受信に応じて前記対象セルの再選択であるワンショット再選択を行った後において、前記対象セルの再選択であるポスト再選択をさらに行うことを特徴とする請求項１１に記載のユーザ端末。
【請求項２１】
異なる周波数で運用される複数のセルの中からサービングセルとして用いる対象セルを選択する制御部を備え、
前記対象セルの再選択において測定対象又は選択対象の周波数である測定対象周波数は、現在のサービングセルから報知されている報知情報に含まれており、
前記制御部は、周波数の優先度に基づいて、前記測定対象周波数を絞り込むことを特徴とするユーザ端末。
【請求項２２】
異なる周波数で運用される複数のセルの中からサービングセルとして用いる対象セルを選択する制御部と、
前記対象セルの再選択を要求する再選択要求信号を現在のサービングセルから受信する受信部とを備え、
前記制御部は、
前記サービングセルとして選択される前記対象セルを配分するための再配分パラメータを前記現在のサービングセルから受信している場合に、前記再選択要求信号の受信に応じて、前記再配分パラメータを用いた第１再配分処理を行い、
前記再配分パラメータを前記現在のサービングセルから受信していない場合に、前記再選択要求信号の受信に応じて、前記再配分パラメータを用いない第２再配分処理を行うことを特徴とするユーザ端末。
【請求項２３】
前記制御部は、前記第２再配分処理において、前記現在のサービングセルが前記対象セルとして選択されにくくすることを特徴とする請求項２２に記載のユーザ端末。
【請求項２４】
前記制御部は、前記第２再配分処理において、前記現在のサービングセルの周波数の優先度を相対的に下げることを特徴とする請求項２３に記載のユーザ端末。
【請求項２５】
前記制御部は、前記第２再配分処理において、前記現在のサービングセルの優先度を相対的に下げることを特徴とする請求項２３に記載のユーザ端末。
【請求項２６】
前記受信部は、前記再選択要求信号の受信に応じて前記対象セルの再選択を行う再配分処理を適用するか否かを指示するインディケータを前記現在のサービングセルから受信し、
前記制御部は、前記再配分処理の適用を指示する前記インディケータを受信しており、かつ、前記再配分パラメータを前記現在のサービングセルから受信していない場合に、前記再選択要求信号の受信に応じて、前記第２再配分処理を行うことを特徴とする請求項２２に記載のユーザ端末。
【請求項２７】
前記受信部は、前記再選択要求信号の受信に応じて前記対象セルの再選択を行う再配分処理を適用するか否かを指示するインディケータを前記現在のサービングセルから受信し、
前記制御部は、前記再配分処理の非適用を指示する前記インディケータを受信しており、かつ、前記再配分パラメータを前記現在のサービングセルから受信していない場合に、前記再選択要求信号の受信に応じて、前記第２再配分処理を行うことを特徴とする請求項２２に記載のユーザ端末。
【請求項２８】
前記制御部は、前記第２再配分処理において、前記現在のサービングセルの周波数と同じ周波数を有するセルの少なくとも１つのセルについてセルの優先度が設定されている場合に、前記現在のサービングセルの優先度を相対的に下げ、現在のサービングセルの周波数と同じ周波数を有する全てのセルについてセルの優先度が設定されていない場合に、前記現在のサービングセルの周波数の優先度を相対的に下げることを特徴とする請求項２２に記載のユーザ端末。
【請求項２９】
前記再選択要求信号は、前記第２再選択処理で適用するべき優先度を指定する所定値を含み、
前記制御部は、前記所定値が第１値である場合に、前記第２再配分処理において、前記現在のサービングセルの周波数の優先度を相対的に下げ、前記所定値が第２値である場合に、前記第２再配分処理において、前記現在のサービングセルの優先度を相対的に下げることを特徴とする請求項２２に記載のユーザ端末。
【請求項３０】
前記受信部は、前記再配分パラメータが報知されているか否かを示す報知存在インディケータを受信することを特徴とする請求項２２に記載のユーザ端末。
【請求項３１】
前記受信部は、前記再配分パラメータの再取得が必要であるか否かを示す再取得インディケータを受信し、
前記受信部は、前記再配分パラメータの再取得が必要である旨を前記再取得インディケータが示す場合に、前記再配分パラメータを再取得することを特徴とする請求項２２に記載のユーザ端末。
【請求項３２】
前記制御部は、
前記再配分パラメータの再取得が必要である旨を前記再取得インディケータが示す場合に、再取得後の再配分パラメータを用いて、前記第１再配分処理を行い、
前記再配分パラメータの再取得が必要でない旨を前記再取得インディケータが示す場合に、再取得前の再配分パラメータを用いて、前記第１再配分処理を行うことを特徴とする請求項３１に記載のユーザ端末。
【請求項３３】
前記制御部は、前記ユーザ端末に固有の値及び周波数又はセル毎に異なる値を用いて、前記第１再配分処理又は前記第２再配分処理を行うことを特徴とする請求項２２に記載のユーザ端末。
【請求項３４】
ユーザ端末であって、
異なる周波数で運用される複数のセルの中からサービングセルとして用いる対象セルを選択する制御部と、
前記対象セルの再選択を要求する再選択要求信号を現在のサービングセルから受信する受信部とを備え、
前記制御部は、前記再選択要求信号の受信に応じて、ターゲット周波数のセルへの前記対象セルの再選択を行うとともに所定タイマを起動し、
前記制御部は、前記所定タイマの起動中において前記ターゲット周波数のセルを前記対象セルとして用い、
前記制御部は、前記ユーザ端末の移動速度に基づいて前記所定タイマの満了時間を変更することを特徴とするユーザ端末。
【請求項３５】
前記制御部は、前記所定タイマの満了時間を定義する所定時間閾値に対して前記ユーザ端末の移動速度に基づいた係数を乗算した値を用いて、前記タイマの満了を判定することを特徴とする請求項３４に記載のユーザ端末。
【請求項３６】
前記受信部は、前記所定タイマの満了時間を定義する複数の所定時間閾値を受信し、
前記制御部は、前記複数の所定時間閾値の中から、前記ユーザ端末の移動速度に基づいて選択された所定時間閾値を用いて、前記タイマの満了を判定することを特徴とする請求項３４に記載のユーザ端末。
【請求項３７】
前記制御部は、前記所定タイマの起動後において前記ユーザ端末の移動速度が変化した場合に、前記所定タイマの満了時間を変更することを特徴とする請求項３４に記載のユーザ端末。
【請求項３８】
前記制御部は、前記所定タイマを起動した際に参照された前記ユーザ端末の移動速度よりも前記ユーザ端末の移動速度が速くなった場合に、前記所定タイマの満了時間を変更することを特徴とする請求項３４に記載のユーザ端末。
【請求項３９】
前記制御部は、前記所定タイマの起動中に前記所定タイマの満了時間を変更することを特徴とする請求項３４に記載のユーザ端末。
【請求項４０】
前記制御部は、前記所定タイマの満了後に前記所定タイマの満了時間を変更することを特徴とする請求項３４に記載のユーザ端末。
【請求項４１】
異なる周波数で運用される複数のセルの中からサービングセルとして用いる対象セルを選択する制御部と、
前記対象セルの再選択を要求する再選択要求信号を現在のサービングセルから受信する受信部とを備え、
前記制御部は、前記再選択要求信号の受信に応じて、ターゲット周波数のセルへの前記対象セルの再選択を行うとともに所定タイマを起動し、
前記制御部は、前記所定タイマの起動中において前記ターゲット周波数のセルを前記対象セルとして用い、
前記制御部は、前記所定タイマの停止を要求する停止要求信号を受信した場合に、前記所定タイマを停止することを特徴とするユーザ端末。
【請求項４２】
前記停止要求信号は、前記ターゲット周波数のセルの優先度よりも高い優先度を有する高優先セルを有する基地局から報知されることを特徴とする請求項４１に記載のユーザ端末。
【請求項４３】
前記制御部は、前記ユーザ端末の移動速度が所定速度よりも速く、かつ、前記停止要求信号を受信した場合に、前記所定タイマを停止することを特徴とする請求項４１に記載のユーザ端末。
【請求項４４】
異なる周波数で運用される複数のセルの中からサービングセルとして用いる対象セルを選択する制御部と、
前記対象セルの再選択を要求する再選択要求信号を現在のサービングセルから受信する受信部とを備え、
前記制御部は、前記再選択要求信号の受信に応じて、ターゲット周波数のセルへの前記対象セルの再選択を行うとともに所定タイマを起動し、
前記制御部は、前記所定タイマの起動中において前記ターゲット周波数のセルを前記対象セルとして用い、
前記制御部は、前記所定タイマの起動中における異周波数再選択要求信号の受信に応じて、異周波数のセルへの前記対象セルの再選択を行うことを特徴とするユーザ端末。
【請求項４５】
前記制御部は、前記ターゲット周波数のセルから報知されるパラメータに基づいて、前記異周波数のセルへの前記対象セルの再選択を行うことを特徴とする請求項４４に記載のユーザ端末。
【発明の詳細な説明】
【技術分野】
【０００１】
本発明は、異なる周波数で運用される複数のセルの中からサービングセルとして用いる対象セルを選択する技術に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、異なる周波数で運用される複数のセルの中からサービングセルとして用いる対象セルを選択する技術が提案されている（例えば、非特許文献１）。【０００３】
具体的には、ユーザ端末は、開始条件が満たされた場合に、現在のサービングセルに隣接する隣接セルの品質を測定し、選択条件を満たすセルの中からサービングセルとして用いる対象セルを選択する。
【先行技術文献】
【非特許文献】
【０００４】
【非特許文献１】３ＧＰＰ技術報告書  「ＴＳ３６．３０４  Ｖ１２．４．０」  ２０１５年３月
【発明の概要】
【０００５】
一つの実施形態に係るユーザ端末は、異なる周波数で運用される複数のセルの中からサービングセルとして用いる対象セルを選択する制御部と、前記対象セルの再選択を要求する再選択要求信号を現在のサービングセルから受信する受信部とを備える。前記制御部は、前記再選択要求信号の受信に応じて、前記対象セルの再選択を行う。
【０００６】
一つの実施形態に係るユーザ端末は、異なる周波数で運用される複数のセルの中からサービングセルとして用いる対象セルを選択する制御部と、現在のサービングセルから報知されるページング信号を受信する受信部とを備える。前記制御部は、前記ページング信号に含まれる再選択要求信号に応じて、前記対象セルの再選択を行う。
【０００７】
一つの実施形態に係る無線基地局は、異なるページング機会でページング信号を報知する送信部を備える。前記送信部は、異なる周波数で運用される複数のセルの中からサービングセルとして用いる対象セルの再選択を要求する再選択要求信号を含む前記ページング信号を報知する。
【０００８】
一つの実施形態に係るユーザ端末は、異なる周波数で運用される複数のセルの中からサービングセルとして用いる対象セルを選択する制御部と、前記対象セルの再選択を要求する再選択要求信号を現在のサービングセルから受信する受信部とを備える。前記制御部は、前記再選択要求信号に依存しないトリガーに応じて、第１再選択処理を行うとともに、前記再選択要求信号の受信に応じて、前記第１再選択処理とは異なる第２再選択処理を行う。
【０００９】
一つの実施形態に係るユーザ端末は、異なる周波数で運用される複数のセルの中からサービングセルとして用いる対象セルを選択する制御部を備える。前記対象セルの再選択において測定対象又は選択対象の周波数である測定対象周波数は、現在のサービングセルから報知されている報知情報に含まれている。前記制御部は、周波数の優先度に基づいて、前記測定対象周波数を絞り込む。
【００１０】
一つの実施形態に係るユーザ端末は、異なる周波数で運用される複数のセルの中からサービングセルとして用いる対象セルを選択する制御部と、前記対象セルの再選択を要求する再選択要求信号を現在のサービングセルから受信する受信部とを備える。前記制御部は、前記サービングセルとして選択される前記対象セルを配分するための再配分パラメータを前記現在のサービングセルから受信している場合に、前記再選択要求信号の受信に応じて、前記再配分パラメータを用いた第１再配分処理を行い、前記再配分パラメータを前記現在のサービングセルから受信していない場合に、前記再選択要求信号の受信に応じて、前記再配分パラメータを用いない第２再配分処理を行う。
【００１１】
一つの実施形態に係るユーザ端末は、異なる周波数で運用される複数のセルの中からサービングセルとして用いる対象セルを選択する制御部と、前記対象セルの再選択を要求する再選択要求信号を現在のサービングセルから受信する受信部とを備える。前記制御部は、前記再選択要求信号の受信に応じて、ターゲット周波数のセルへの前記対象セルの再選択を行うとともに所定タイマを起動する。前記制御部は、前記所定タイマの起動中において前記ターゲット周波数のセルを前記対象セルとして用いる。前記制御部は、前記ユーザ端末の移動速度に基づいて前記所定タイマの満了時間を変更する。
【００１２】
一つの実施形態に係るユーザ端末は、異なる周波数で運用される複数のセルの中からサービングセルとして用いる対象セルを選択する制御部と、前記対象セルの再選択を要求する再選択要求信号を現在のサービングセルから受信する受信部とを備える。前記制御部は、前記再選択要求信号の受信に応じて、ターゲット周波数のセルへの前記対象セルの再選択を行うとともに所定タイマを起動する。前記制御部は、前記所定タイマの起動中において前記ターゲット周波数のセルを前記対象セルとして用いる。前記制御部は、前記所定タイマの停止を要求する停止要求信号を受信した場合に、前記所定タイマを停止する。
【００１３】
一つの実施形態に係るユーザ端末は、異なる周波数で運用される複数のセルの中からサービングセルとして用いる対象セルを選択する制御部と、前記対象セルの再選択を要求する再選択要求信号を現在のサービングセルから受信する受信部とを備える。前記制御部は、前記再選択要求信号の受信に応じて、ターゲット周波数のセルへの前記対象セルの再選択を行うとともに所定タイマを起動する。前記制御部は、前記所定タイマの起動中において前記ターゲット周波数のセルを前記対象セルとして用いる。前記制御部は、前記所定タイマの起動中における異周波数再選択要求信号の受信に応じて、異周波数のセルへの前記対象セルの再選択を行う。
【図面の簡単な説明】
【００１４】
【図１】実施形態に係るＬＴＥシステムの構成図である。
【図２】実施形態に係るＵＥ１００のブロック図である。
【図３】実施形態に係るｅＮＢ２００のブロック図である。
【図４】実施形態に係る無線インターフェイスのプロトコルスタック図である。
【図５】実施形態に係るＬＴＥシステムで使用される無線フレームの構成図である。
【図６】第１実施形態に係る適用シーンを説明するための図である。
【図７】第１実施形態に係る移動通信方法を示すシーケンス図である。
【図８】変更例１に係る移動通信方法を示すシーケンス図である。
【図９】実施形態に係る適用シーンを説明するための図である。
【図１０】実施形態に係る移動通信方法を示すシーケンス図である。
【図１１】変更例１に係る移動通信方法を示すフロー図である。
【図１２】変更例２に係る移動通信方法を示すシーケンス図である。
【図１３】変更例２０に係る適用シーンを示す図である。
【図１４】実施形態の付記に係る図である。
【図１５】実施形態の付記に係る図である。
【図１６】実施形態の付記に係る図である。
【図１７】実施形態の付記に係る図である。
【図１８】実施形態の付記に係る図である。
【図１９】実施形態の付記に係る図である。
【図２０】実施形態の付記に係る図である。
【発明を実施するための形態】
【００１５】
以下において、実施形態に係る移動通信システムについて、図面を参照しながら説明する。なお、以下の図面の記載において、同一又は類似の部分には、同一又は類似の符号を付している。
【００１６】
ただし、図面は模式的なものであり、各寸法の比率などは現実のものとは異なる場合があることに留意すべきである。従って、具体的な寸法などは以下の説明を参酌して判断すべきである。また、図面相互間においても互いの寸法の関係や比率が異なる部分が含まれていることは勿論である。
【００１７】
［開示の概要］
背景技術で触れた移動通信システムでは、サービングセルとして用いる対象セルの選択において、各セルの負荷が考慮されていない。従って、各セルの負荷分散を適切に行えない可能性がある。
【００１８】
開示の概要に係るユーザ端末は、異なる周波数で運用される複数のセルの中からサービングセルとして用いる対象セルを選択する制御部と、前記対象セルの再選択を要求する再選択要求信号を現在のサービングセルから受信する受信部とを備える。前記制御部は、前記再選択要求信号の受信に応じて、前記対象セルの再選択を行う。
【００１９】
開示の概要に係るユーザ端末は、異なる周波数で運用される複数のセルの中からサービングセルとして用いる対象セルを選択する制御部と、現在のサービングセルから報知されるページング信号を受信する受信部とを備える。前記制御部は、前記ページング信号に含まれる再選択要求信号に応じて、前記対象セルの再選択を行う。
【００２０】
開示の概要に係る無線基地局は、異なるページング機会でページング信号を報知する送信部を備える。前記送信部は、異なる周波数で運用される複数のセルの中からサービングセルとして用いる対象セルの再選択を要求する再選択要求信号を含む前記ページング信号を報知する。
【００２１】
開示の概要に係るユーザ端末は、異なる周波数で運用される複数のセルの中からサービングセルとして用いる対象セルを選択する制御部と、前記対象セルの再選択を要求する再選択要求信号を現在のサービングセルから受信する受信部とを備える。前記制御部は、前記再選択要求信号に依存しないトリガーに応じて、第１再選択処理を行うとともに、前記再選択要求信号の受信に応じて、前記第１再選択処理とは異なる第２再選択処理を行う。
【００２２】
開示の概要に係るユーザ端末は、異なる周波数で運用される複数のセルの中からサービングセルとして用いる対象セルを選択する制御部を備える。前記対象セルの再選択において測定対象又は選択対象の周波数である測定対象周波数は、現在のサービングセルから報知されている報知情報に含まれている。前記制御部は、周波数の優先度に基づいて、前記測定対象周波数を絞り込む。
【００２３】
開示の概要に係るユーザ端末は、異なる周波数で運用される複数のセルの中からサービングセルとして用いる対象セルを選択する制御部と、前記対象セルの再選択を要求する再選択要求信号を現在のサービングセルから受信する受信部とを備える。前記制御部は、前記サービングセルとして選択される前記対象セルを配分するための再配分パラメータを前記現在のサービングセルから受信している場合に、前記再選択要求信号の受信に応じて、前記再配分パラメータを用いた第１再配分処理を行い、前記再配分パラメータを前記現在のサービングセルから受信していない場合に、前記再選択要求信号の受信に応じて、前記再配分パラメータを用いない第２再配分処理を行う。
【００２４】
開示の概要に係るユーザ端末は、異なる周波数で運用される複数のセルの中からサービングセルとして用いる対象セルを選択する制御部と、前記対象セルの再選択を要求する再選択要求信号を現在のサービングセルから受信する受信部とを備える。前記制御部は、前記再選択要求信号の受信に応じて、ターゲット周波数のセルへの前記対象セルの再選択を行うとともに所定タイマを起動する。前記制御部は、前記所定タイマの起動中において前記ターゲット周波数のセルを前記対象セルとして用いる。前記制御部は、前記ユーザ端末の移動速度に基づいて前記所定タイマの満了時間を変更する。
【００２５】
開示の概要に係るユーザ端末は、異なる周波数で運用される複数のセルの中からサービングセルとして用いる対象セルを選択する制御部と、前記対象セルの再選択を要求する再選択要求信号を現在のサービングセルから受信する受信部とを備える。前記制御部は、前記再選択要求信号の受信に応じて、ターゲット周波数のセルへの前記対象セルの再選択を行うとともに所定タイマを起動する。前記制御部は、前記所定タイマの起動中において前記ターゲット周波数のセルを前記対象セルとして用いる。前記制御部は、前記所定タイマの停止を要求する停止要求信号を受信した場合に、前記所定タイマを停止する。
【００２６】
開示の概要に係るユーザ端末は、異なる周波数で運用される複数のセルの中からサービングセルとして用いる対象セルを選択する制御部と、前記対象セルの再選択を要求する再選択要求信号を現在のサービングセルから受信する受信部とを備える。前記制御部は、前記再選択要求信号の受信に応じて、ターゲット周波数のセルへの前記対象セルの再選択を行うとともに所定タイマを起動する。前記制御部は、前記所定タイマの起動中において前記ターゲット周波数のセルを前記対象セルとして用いる。前記制御部は、前記所定タイマの起動中における異周波数再選択要求信号の受信に応じて、異周波数のセルへの前記対象セルの再選択を行う。
【００２７】
開示の概要に係るユーザ端末によれば、各セルの負荷分散を適切に行うことができる。言い換えると、ＲＲＣアイドル状態のユーザ端末を各セルに適切に配分することができる。
【００２８】
［第１実施形態］
以下において、移動通信システムとして、３ＧＰＰ規格に基づいたＬＴＥシステムを例に挙げて、第１実施形態を説明する。
【００２９】
（システム構成）
第１実施形態に係るＬＴＥシステムのシステム構成について説明する。図１は、第１実施形態に係るＬＴＥシステムの構成図である。
【００３０】
図１に示すように、第１実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００３１】
ＵＥ１００は、ユーザ端末に相当する。ＵＥ１００は、移動型の通信装置であり、ｅＮＢ２００によって形成されるセル（ＵＥ１００がＲＲＣコネクティッド状態である場合には、サービングセル）との無線通信を行う。ＵＥ１００の構成については後述する。
【００３２】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、無線基地局に相当する。ｅＮＢ２００は、Ｘ２インターフェイスを介して相互に接続される。ｅＮＢ２００の構成については後述する。
【００３３】
ｅＮＢ２００は、１又は複数のセルを形成しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００３４】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。なお、Ｅ−ＵＴＲＡＮ１０及びＥＰＣ２０は、ＬＴＥシステムのネットワークを構成する。
【００３５】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０及びプロセッサ１６０は、制御部を構成する。無線送受信機１１０及びプロセッサ１６０は、送信部及び受信部を構成する。ＵＥ１００は、ＧＮＳＳ受信機１３０を有していなくてもよい。また、メモリ１５０をプロセッサ１６０と一体化し、このセット（すなわち、チップセット）をプロセッサとしてもよい。
【００３６】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００３７】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、受け付けた操作の内容を示す信号をプロセッサ１６０に出力する。ＧＮＳＳ受信機１３０は、ＵＥ１００の地理的な位置を示す位置情報を得るためにＧＮＳＳ信号を受信するとともに、受信されたＧＮＳＳ信号をプロセッサ１６０に出力する。バッテリ１４０は、ＵＥ１００の各ブロックに供給すべき電力を蓄える。
【００３８】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）とを含む。プロセッサ１６０は、さらに、音声・映像信号の符号化・復号を行うコーデックを含んでもよい。プロセッサ１６０は、後述する各種の処理及び各種の通信プロトコルを実行する。
【００３９】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。メモリ２３０及びプロセッサ２４０は、制御部を構成する。無線送受信機２１０（及び／又はネットワークインターフェイス２２０）及びプロセッサ２４０は、送信部及び受信部を構成する。また、メモリ２３０をプロセッサ２４０と一体化し、このセット（すなわち、チップセット）をプロセッサとしてもよい。
【００４０】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００４１】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４２】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵとを含む。プロセッサ２４０は、後述する各種の処理及び各種の通信プロトコルを実行する。
【００４３】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４４】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御情報が伝送される。
【００４５】
ＭＡＣ層は、データの優先制御、ハイブリッドＡＲＱ（ＨＡＲＱ）による再送処理、及びランダムアクセス手順などを行う。ＵＥ１００のＭＡＣ層とｅＮＢ２００のＭＡＣ層との間では、トランスポートチャネルを介してユーザデータ及び制御情報が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００４６】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御情報が伝送される。
【００４７】
ＰＤＣＰ層は、ヘッダ圧縮・伸張、及び暗号化・復号化を行う。また、ＰＤＣＰ層には、データユニット（ＰＤＣＰ  ＰＤＵ）を送信するための送信エンティティ又はデータユニット（ＰＤＣＰ  ＰＤＵ）を受信するための受信エンティティが形成されることに留意すべきである。
【００４８】
ＲＲＣ層は、制御情報を取り扱う制御プレーンでのみ定義される。ＵＥ１００のＲＲＣ層とｅＮＢ２００のＲＲＣ層との間では、各種設定のための制御情報（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合に、ＵＥ１００はＲＲＣコネクティッド状態であり、ＵＥ１００のＲＲＣとｅＮＢ２００のＲＲＣとの間に接続（ＲＲＣ接続）がない場合に、ＵＥ１００はＲＲＣアイドル状態である。
【００４９】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００５０】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５１】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。また、ＵＥ１００に割り当てられる無線リソース（時間・周波数リソース）のうち、周波数リソースはリソースブロックにより特定でき、時間リソースはサブフレーム（又はスロット）により特定できる。
【００５２】
（適用シーン）
以下において、適用シーンについて説明する。図６は、第１実施形態に係る適用シーンを説明するための図である。
【００５３】
図６に示すように、複数のｅＮＢ２００（例えば、ｅＮＢ２００＃１、ｅＮＢ２００＃２、ｅＮＢ２００＃３、ｅＮＢ２００＃４）を有する。ｅＮＢ２００＃１は、無線通信エリアとしてセル＃１を有しており、ｅＮＢ２００＃２は、無線通信エリアとしてセル＃２を有しており、ｅＮＢ２００＃３は、無線通信エリアとしてセル＃３−１及びセル＃３−２を有しており、ｅＮＢ２００＃４は、無線通信エリアとしてセル＃４−１及びセル＃４−２を有している。
【００５４】
なお、セル＃２、セル＃３−１、セル＃３−２、セル＃４−１及びセル＃４−２は、セル＃１と重複している。また、各セルは、互いに異なる周波数で運用されている。各セルが運用されている周波数には、優先度が定められている。周波数と優先度との対応関係は、ｅＮＢ２００から報知されるシステム情報（ＳＩＢ；Ｓｙｓｔｅｍ  Ｉｎｆｏｒｍａｔｉｏｎ  Ｂｌｏｃｋ）に含まれる。
【００５５】
このような前提下において、ＵＥ１００は、異なる周波数で運用される複数のセルの中からサービングセルとして用いる対象セルを選択する。具体的には、ＵＥ１００は、開始条件が満たされた場合に、現在のサービングセルに隣接する隣接セルの品質を測定し、選択条件を満たすセルの中からサービングセルとして用いる対象セルを選択する。
【００５６】
第１に、開始条件は、以下に示す通りである。
【００５７】
（Ａ１）現在のサービングセルの周波数の優先度よりも高い優先度を有する周波数
−ＵＥ１００は、高い優先度を有する周波数の品質を常に測定する。
【００５８】
（Ａ２）現在のサービングセルの周波数の優先度と等しい優先度又は低い優先度を有する周波数
−ＵＥ１００は、現在のサービングセルの品質が所定閾値を下回った場合に、等しい優先度又は低い優先度を有する周波数の品質を測定する。
【００５９】
第２に、選択条件は、以下に示す通りである。
【００６０】
（Ｂ１）隣接セルの周波数の優先度が現在のサービングセルの優先度よりも高い
−ＵＥ１００は、所定期間（ＴｒｅｓｅｌｅｃｔｉｏｎＲＡＴ）に亘ってＳｑｕａｌ＞ＴｈｒｅｓｈＸ，ＨｉｇｈＱの関係を満たすセル、若しくは、所定期間（ＴｒｅｓｅｌｅｃｔｉｏｎＲＡＴ）に亘ってＳｒｘｌｅｖ＞ＴｈｒｅｓｈＸ，ＨｉｇｈＰの関係を満たすセルを対象セルとして選択する。このようなケースにおいて、隣接セルが満たすべき基準を“Ｓ−ｃｒｉｔｅｒｉａ”と称することもある。
【００６１】
但し、Ｓｑｕａｌは、セル選択品質レベルを表しており、Ｓｑｕａｌ＝Ｑｑｕａｌｍｅａｓ-（Ｑｑｕａｌｍｉｎ＋Ｑｑｕａｌｍｉｎｏｆｆｓｅｔ）−Ｑｏｆｆｓｅｔｔｅｍｐによって算出される。Ｑｑｕａｌｍｅａｓは、隣接セルの品質レベル（ＲＳＲＱ）であり、Ｑｑｕａｌｍｉｎは、最小要求品質レベルであり、Ｑｑｕａｌｍｉｎｏｆｆｓｅｔは、隣接セルに定常的に適用される所定オフセットであり、Ｑｏｆｆｓｅｔｔｅｍｐは、隣接セルに一時的に適用されるオフセットである。ＴｈｒｅｓｈＸ，ＨｉｇｈＱは、所定閾値である。
【００６２】
また、Ｓｒｘｌｅｖは、セル選択受信レベルを表しており、Ｓｒｘｌｅｖ＝Ｑｒｘｌｅｖｍｅａｓ-（Ｑｒｘｌｅｖｍｉｎ＋Ｑｒｘｌｅｖｍｉｎｏｆｆｓｅｔ）-Ｐｃｏｍｐｅｎｓａｔｉｏｎ−Ｑｏｆｆｓｅｔｔｅｍｐによって算出される。Ｑｒｘｌｅｖｍｅａｓは、隣接セルの受信レベル（ＲＳＲＰ）であり、Ｑｒｘｌｅｖｍｉｎは、最小要求受信レベルであり、Ｑｒｘｌｅｖｍｉｎｏｆｆｓｅｔは、隣接セルに定常的に適用される所定オフセットであり、Ｐｃｏｍｐｅｎｓａｔｉｏｎは、アップリンクの能力に関するパラメータであり、Ｑｏｆｆｓｅｔｔｅｍｐは、隣接セルに一時的に適用されるオフセットである。ＴｈｒｅｓｈＸ，ＨｉｇｈＰは、所定閾値である。
【００６３】
（Ｂ２）隣接セルの周波数の優先度が現在のサービングセルの優先度と同じである
−ＵＥ１００は、現在のサービングセルのランキングＲｓ及び隣接セルのランキングＲｎを算出するとともに、所定期間（ＴｒｅｓｅｌｅｃｔｉｏｎＲＡＴ）に亘ってＲｓよりも高いランキングＲｎを有するセルを対象セルとして選択する。このようなケースにおいて、隣接セルが満たすべき基準を“Ｒ−ｃｒｉｔｅｒｉａ”と称することもある。
【００６４】
但し、Ｒｓは、Ｒｓ＝Ｑｍｅａｓ，ｓ＋ＱＨｙｓｔ−Ｑｏｆｆｓｅｔｔｅｍｐによって算出される。Ｒｎは、Ｒｎ＝Ｑｍｅａｓ，ｎ−Ｑｏｆｆｓｅｔ−Ｑｏｆｆｓｅｔｔｅｍｐによって算出される。Ｑｍｅａｓ，ｓは、現在のサービングセルの受信レベル（ＲＳＲＰ）であり、Ｑｍｅａｓ，ｎは、隣接セルの受信レベル（ＲＳＲＰ）である。ＱＨｙｓｔは、現在のサービングセルが対象セルとして再選択されやすくするためのヒステリシス値である。Ｑｏｆｆｓｅｔｔｅｍｐは、現在のサービングセル及び隣接セルに一時的に適用されるオフセットである。
【００６５】
（Ｂ３）隣接セルの周波数の優先度が現在のサービングセルの優先度よりも低い
−ＵＥ１００は、所定期間（ＴｒｅｓｅｌｅｃｔｉｏｎＲＡＴ）に亘ってＳｑｕａｌ＜ＴｈｒｅｓｈＳｅｒｖｉｎｇ，ＬｏｗＱが満たされる、若しくは、所定期間（ＴｒｅｓｅｌｅｃｔｉｏｎＲＡＴ）に亘ってＳｒｘｌｅｖ＜ＴｈｒｅｓｈＳｅｒｖｉｎｇ，ＬｏｗＰが満たされるという前提下において、上述した（Ｂ１）と同様の手法によって隣接セルの中から対象セルを選択する。
【００６６】
但し、ＴｈｒｅｓｈＳｅｒｖｉｎｇ，ＬｏｗＱ及びＴｈｒｅｓｈＳｅｒｖｉｎｇ，ＬｏｗＰは、ＴｈｒｅｓｈＸ，ＨｉｇｈＱ及びＴｈｒｅｓｈＸ，ＨｉｇｈＰと同様に、所定閾値である。
【００６７】
なお、対象セルの選択で用いる各種パラメータは、ｅＮＢ２００から報知される報知情報（ＳＩＢ；Ｓｙｓｔｅｍ  Ｉｎｆｏｒｍａｔｉｏｎ  Ｂｌｏｃｋ）に含まれる。各種パラメータは、周波数の優先度（ｃｅｌｌＲｅｓｅｌｅｃｔｉｏｎＰｒｉｏｒｉｔｙ）、所定期間（ＴｒｅｓｅｌｅｃｔｉｏｎＲＡＴ）、各種オフセット（Ｑｑｕａｌｍｉｎｏｆｆｓｅｔ、Ｑｒｘｌｅｖｍｉｎｏｆｆｓｅｔ、Ｑｏｆｆｓｅｔｔｅｍｐ、ＱＨｙｓｔ、Ｑｏｆｆｓｅｔ）、各種閾値（ＴｈｒｅｓｈＸ，ＨｉｇｈＱ、ＴｈｒｅｓｈＸ，ＨｉｇｈＰ、ＴｈｒｅｓｈＳｅｒｖｉｎｇ，ＬｏｗＱ、ＴｈｒｅｓｈＳｅｒｖｉｎｇ，ＬｏｗＰ）を含む。
【００６８】
第１実施形態において、ＵＥ１００（制御部）は、異なる周波数で運用される複数のセルの中からサービングセルとして用いる対象セルを選択する。具体的には、ＵＥ１００（受信部）は、対象セルの再選択を要求する再選択要求信号を現在のサービングセルから受信する。ＵＥ１００（制御部）は、再選択要求信号の受信に応じて、対象セルの再選択を行う。ここで、ＵＥ１００（制御部）は、上述した（Ａ１）及び（Ａ２）に示す開始条件が満たされなくても、対象セルの再選択に伴う隣接セルの品質測定を開始することに留意すべきである。
【００６９】
ここで、現在のサービングセルは、現在のサービングセルの負荷が所定負荷以上である場合に、再選択要求信号を報知する。現在のサービングセルは、現在のサービングセルの負荷が所定負荷以上である期間において、再選択要求信号を繰り返し報知することが好ましい。言い換えると、ＵＥ１００（受信部）は、現在のサービングセルの負荷が所定負荷以上である場合に、再選択要求信号を現在のサービングセルから受信する。ＵＥ１００（受信部）は、現在のサービングセルの負荷が所定負荷以上である期間において、再選択要求信号を繰り返し受信することが好ましい。
【００７０】
第１実施形態において、再選択要求信号は、現在のサービングセルが対象セルとして選択されにくくするための再選択パラメータを含む。ＵＥ１００（制御部）は、再選択パラメータに基づいて、対象セルを選択する。詳細には、再選択パラメータは、現在のサービングセルの周波数の優先度（ｃｅｌｌＲｅｓｅｌｅｃｔｉｏｎＰｒｉｏｒｉｔｙ）を最低の優先度（ｌｏｗｅｓｔ  ｐｒｉｏｒｉｔｙ）に変更するように指定するパラメータであってもよく、現在のサービングセルの周波数の優先度（ｃｅｌｌＲｅｓｅｌｅｃｔｉｏｎＰｒｉｏｒｉｔｙ）を下げる段階数を示すオフセットであってもよい。或いは、再選択パラメータは、各種オフセット（Ｑｑｕａｌｍｉｎｏｆｆｓｅｔ、Ｑｒｘｌｅｖｍｉｎｏｆｆｓｅｔ、Ｑｏｆｆｓｅｔｔｅｍｐ、ＱＨｙｓｔ、Ｑｏｆｆｓｅｔ）、各種閾値（ＴｈｒｅｓｈＸ，ＨｉｇｈＱ、ＴｈｒｅｓｈＸ，ＨｉｇｈＰ、ＴｈｒｅｓｈＳｅｒｖｉｎｇ，ＬｏｗＱ、ＴｈｒｅｓｈＳｅｒｖｉｎｇ，ＬｏｗＰ）であってもよい。
【００７１】
第１実施形態において、再選択要求信号の受信に応じて適用される再選択パラメータは、再選択要求信号に含まれておらず、現在のサービングセルから再選択要求信号とは別に報知されるシステム情報（ＳＩＢ；Ｓｙｓｔｅｍ  Ｉｎｆｏｒｍａｔｉｏｎ  Ｂｌｏｃｋ）に含まれてもよい。或いは、再選択要求信号の受信に応じて適用される再選択パラメータは、予め定められていてもよい。このようなケースにおいて、ＵＥ１００（制御部）は、再選択要求信号の受信に応じて、現在のサービングセルから報知された再選択パラメータ又は予め定められた再選択パラメータに基づいて対象セルの再選択を行う。
【００７２】
第１実施形態において、ＵＥ１００（制御部）は、再選択要求信号を受信しても、所定条件が満たされている場合に、対象セルの再選択を行わずに現在のサービングセルへの在圏を維持してもよい。所定条件とは、ＵＥ１００の種別（ＵＥ  ｃｌａｓｓ）、現在のサービングセルの周波数の優先度、ＵＥ１００の消費電力設定、前回の再選択要求信号を受信してから経過した時間及びランダム性を有する値の少なくともいずれか１つ情報に関する条件である。
【００７３】
例えば、ＵＥ１００の種別（ＵＥ  ｃｌａｓｓ）がＭＴＣ（Ｍａｃｈｉｎｅ  Ｔｙｐｅ  Ｃｏｍｍｕｎｉｃａｔｉｏｎ）やデータ専用端末である場合には、通信データ量が少ないため、ＵＥ１００（制御部）は、対象セルの再選択を行わずに現在のサービングセルへの在圏を維持することが好ましい。
【００７４】
或いは、現在のサービングセルの周波数の優先度が最も高い優先度（ｈｉｇｈｅｓｔ  ｐｒｉｏｒｉｔｙ）である場合には、ＭＢＭＳデータを受信している可能性やＤ２Ｄ近傍サービス（Ｄ２Ｄ  ＰｒｏＳｅ）を提供している可能性が高いため、ＵＥ１００（制御部）は、対象セルの再選択を行わずに現在のサービングセルへの在圏を維持することが好ましい。
【００７５】
或いは、ＵＥ１００の消費電力設定が低消費電力設定である場合には、消費電力を抑制するために、ＵＥ１００（制御部）は、対象セルの再選択を行わずに現在のサービングセルへの在圏を維持することが好ましい。
【００７６】
或いは、前回の再選択要求信号を受信してから経過した時間が所定時間を経過していない場合には、ピンポン現象を抑制するために、ＵＥ１００（制御部）は、対象セルの再選択を行わずに現在のサービングセルへの在圏を維持することが好ましい。例えば、ＵＥ１００（制御部）は、前回の再選択要求信号を受信したタイミングでタイマを起動し、タイマが満了するまでの間において、対象セルの再選択を行わないことが好ましい。
【００７７】
或いは、ＵＥ１００（制御部）は、複数のＵＥ１００が一斉に対象セルの再選択を行う事態を抑制するとともに、ＵＥ１００を各セルにランダムに配分するために、ランダム性を有する値が所定値以外である場合に、対象セルの再選択を行わずに現在のサービングセルへの在圏を維持することが好ましい。ランダム性を有する値とは、現在のサービングセルに在圏する全てのＵＥ１００に共通する値でなければよい。例えば、ランダム性を有する値とは、再選択要求信号をＵＥ１００が受信するサブフレーム番号（ＳＦＮ）であってもよく、再選択要求信号を受信するＵＥ１００の識別子（ＵＥ−ＩＤ）であってもよく、ＵＥ１００が発生する乱数であってもよい。例えば、ＵＥ１００（制御部）は、ＳＦＮｍｏｄＵＥ−ＩＤ（÷ｎ）＝０が満たされた場合に、対象セルの再選択を行い、ＳＦＮｍｏｄＵＥ−ＩＤ（÷ｎ）＝０が満たされない場合に、対象セルの再選択を行わない。但し、ｎは予め定められた値又はサービングセルから報知された値である。
【００７８】
（移動通信方法）
以下において、第１実施形態に係る移動通信方法について説明する。図７は、第１実施形態に係る移動通信方法を示すシーケンス図である。
【００７９】
図７に示すように、ステップＳ１０において、ＵＥ１００は、ＲＲＣアイドル状態である。
【００８０】
ステップＳ１１において、ＵＥ１００は、ｅＮＢ２００（現在のサービングセル）から報知される再選択要求信号を受信する。
【００８１】
ステップＳ１２において、ＵＥ１００は、再選択要求信号の受信に応じて、対象セルの再選択を行う。ここで、ＵＥ１００は、上述した（Ａ１）及び（Ａ２）に示す開始条件が満たされなくても、対象セルの再選択に伴う隣接セルの品質測定を開始することに留意すべきである。再選択要求信号に含まれる情報や再選択要求信号の受信に伴う対象セルの再選択方法は、上述した通りである。
【００８２】
（作用及び効果）
第１実施形態に係るＵＥ１００は、再選択要求信号の受信に応じて、対象セルの再選択を行う。すなわち、ネットワーク（現在のサービングセル）側のトリガーによって、対象セルの再選択をＲＲＣアイドル状態のＵＥ１００に促す。従って、各セルの負荷分散を適切に行うことができる。言い換えると、ＲＲＣアイドル状態のＵＥ１００を各セルに適切に配分することができる。
【００８３】
［変更例１］
以下において、第１実施形態の変更例１について説明する。以下においては、第１実施形態に対する相違点について主として説明する。
【００８４】
具体的には、第１実施形態では、ＵＥ１００は、再選択要求信号の受信に応じて、対象セルの再選択を行う。これに対して、変更例１では、ＵＥ１００（受信部）は、セル負荷を特定するための情報を含む負荷情報信号を現在のサービングセルから受信する。ＵＥ１００（制御部）は、負荷情報信号の受信に応じて、対象セルの再選択を行う。ここで、ＵＥ１００（制御部）は、上述した（Ａ１）及び（Ａ２）に示す開始条件が満たされなくても、対象セルの再選択に伴う隣接セルの品質測定を開始することに留意すべきである。
【００８５】
ここで、負荷情報信号は、セル負荷を直接的に示す情報を含んでもよい。セル負荷を直接的に示す情報は、例えば、セル負荷を％で表す値であってもよい。或いは、セル負荷を直接的に示す情報は、複数段階のレベルのうち、セル負荷のレベルを示すインデックスであってもよい。
【００８６】
負荷情報信号は、セル負荷を間接的に示す情報を含んでもよい。セル負荷を間接的に示す情報は、セルに一時的に設定されるオフセット（Ｑｏｆｆｓｅｔｔｅｍｐ）であってもよく、移動通信システムのカバレッジエリアから無線ＬＡＮのカバレッジエリアへの切り替えを行うか否かを判断するための閾値（ＴｈｒｅｓｈＳｅｒｖｉｎｇＯｆｆｌｏａｄＷＬＡＮ，ＬｏｗＰ、ＴｈｒｅｓｈＳｅｒｖｉｎｇＯｆｆｌｏａｄＷＬＡＮ，ＬｏｗＱ）であってもよい。これらの値は、セル負荷に応じて定められているため、ＵＥ１００（制御部）は、これらの値に基づいてセル負荷を推定することができる。このように、現在のサービングセルは、セル負荷を間接的に示す情報を含む負荷情報信号を報知する場合には、セル負荷を直接的に示す情報を報知しなくてもよい。
【００８７】
負荷情報信号は、現在のサービングセルのセル負荷を特定するための情報に加えて、現在のサービングセルのセル負荷と現在のサービングセルに隣接する隣接セルのセル負荷との差異（相対値）を示す情報であってもよい。また、負荷情報信号は、現在のサービングセルのセル負荷を特定するための情報に加えて、現在のサービングセルに隣接する隣接セルのセル負荷を特定するための情報を含んでもよい。
【００８８】
変更例１において、ＵＥ１００（制御部）は、負荷情報信号に含まれる情報（現在のサービングセルのセル負荷及び隣接セルのセル負荷の少なくともいずれか一方）に基づいて、対象セルの再選択を行うか否かを判定してもよい。ＵＥ１００（制御部）は、例えば、ＳＦＮｍｏｄ（ＵＥ−ＩＤ÷｛（１００％−ｃｅｌｌ  ｌｏａｄ）×１００｝）＝０が満たされている場合に、対象セルの再選択を行ってもよい。但し、ＳＦＮは、負荷情報信号をＵＥ１００が受信するサブフレーム番号であり、ＵＥ−ＩＤは、再選択要求信号を受信するＵＥ１００の識別子であり、ｃｅｌｌ  ｌｏａｄは、セル負荷を％で表す値である。或いは、ＵＥ１００（制御部）は、例えば、各種オフセット（Ｑｑｕａｌｍｉｎｏｆｆｓｅｔ、Ｑｒｘｌｅｖｍｉｎｏｆｆｓｅｔ、Ｑｏｆｆｓｅｔ）をセル負荷によって補正した上で、対象セルの再選択に伴うセル評価を行ってもよい。各種オフセットは、例えば、ｏｆｆｓｅｔ＝（ｄｅｆａｕｌｔ  ｏｆｆｓｅｔ）×（ｃｅｌｌ  ｌｏａｄ）によって算出される。
【００８９】
変更例１において、ＵＥ１００（受信部）は、現在のサービングセルに加えて、現在のサービングセルに隣接する隣接セルから負荷情報信号を受信してもよい。ＵＥ１００（制御部）は、現在のサービングセル及び隣接セルから受信する負荷情報信号に含まれる情報に基づいて、対象セルの再選択を行う。例えば、ＵＥ１００（制御部）は、各セルのセル負荷に基づいて、各セルに適用すべきオフセットを補正する。
【００９０】
ＵＥ１００（制御部）は、所定セルから負荷情報信号を受信することができない場合に、所定セルのセル負荷をゼロと見做して対象セルの再選択を行ってもよい。
【００９１】
ＵＥ１００（制御部）は、負荷情報信号を受信しても、所定条件が満たされている場合に、対象セルの再選択を行わずに現在のサービングセルへの在圏を維持してもよい。所定条件は、第１第１実施形態と同様である。
【００９２】
（移動通信方法）
以下において、変更例１に係る移動通信方法について説明する。図８は、変更例１に係る移動通信方法を示すシーケンス図である。
【００９３】
図８に示すように、ステップＳ２０において、ＵＥ１００は、ＲＲＣアイドル状態である。
【００９４】
ステップＳ２１において、ＵＥ１００は、ｅＮＢ２００（現在のサービングセル）から報知される負荷情報信号を受信する。
【００９５】
ステップＳ２２において、ＵＥ１００は、負荷情報信号の受信に応じて、対象セルの再選択を行う。ここで、ＵＥ１００は、上述した（Ａ１）及び（Ａ２）に示す開始条件が満たされなくても、対象セルの再選択に伴う隣接セルの品質測定を開始することに留意すべきである。再選択要求信号に含まれる情報や再選択要求信号の受信に伴う対象セルの再選択方法は、上述した通りである。
【００９６】
（作用及び効果）
変更例１に係るＵＥ１００は、負荷情報信号の受信に応じて、対象セルの再選択を行う。すなわち、ネットワーク（現在のサービングセル）側のトリガーによって、対象セルの再選択をＲＲＣアイドル状態のＵＥ１００に促す。従って、各セルの負荷分散を適切に行うことができる。言い換えると、ＲＲＣアイドル状態のＵＥ１００を各セルに適切に配分することができる。
【００９７】
［第１実施形態のその他の変更例］
第１実施形態では特に触れていないが、セル負荷を特定するための情報は、現在のサービングセルの負荷を示す情報であってもよく、現在のサービングセルの周波数の負荷を示す情報であってもよい。セル負荷は、現在のサービングセルの周波数と同じ周波数で運用されている隣接セルの負荷の平均値であってもよく、最大値であってもよい。
【００９８】
第１実施形態では特に触れていないが、負荷情報信号は、セル負荷（セルの負荷又はセルの周波数の負荷）によって定められる再選択パラメータを含んでもよい。ＵＥ１００（制御部）は、再選択パラメータに基づいて、サービングセルとして用いる対象セルを選択する。詳細には、再選択パラメータは、セルのセル負荷が大きい程、当該セルが対象セルとして選択されにくくするためのパラメータである。さらに、再選択パラメータは、現在のサービングセルのセル負荷及び隣接セルのセル負荷に基づいて設定されてもよい。
【００９９】
第１実施形態では特に触れていないが、ＵＥ１００及びｅＮＢ２００が行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１００】
或いは、ＵＥ１００及びｅＮＢ２００が行う各処理を実行するためのプログラムを記憶するメモリ及びメモリに記憶されたプログラムを実行するプロセッサによって構成されるチップが提供されてもよい。
【０１０１】
第１実施形態では、移動通信システムの一例としてＬＴＥシステムを説明した。しかしながら、第１実施形態はこれに限定されるものではない。移動通信システムは、ＬＴＥシステム以外のシステムであってもよい。
【０１０２】
［第２実施形態］
以下において、移動通信システムとして、３ＧＰＰ規格に基づいたＬＴＥシステムを例に挙げて、第２実施形態を説明する。
【０１０３】
（適用シーン）
以下において、適用シーンについて説明する。図９は、第２実施形態に係る適用シーンを説明するための図である。
【０１０４】
図９に示すように、複数のｅＮＢ２００（例えば、ｅＮＢ２００＃１、ｅＮＢ２００＃２、ｅＮＢ２００＃３、ｅＮＢ２００＃４）を有する。ｅＮＢ２００＃１は、無線通信エリアとしてセル＃１を有しており、ｅＮＢ２００＃２は、無線通信エリアとしてセル＃２を有しており、ｅＮＢ２００＃３は、無線通信エリアとしてセル＃３−１及びセル＃３−２を有しており、ｅＮＢ２００＃４は、無線通信エリアとしてセル＃４−１及びセル＃４−２を有している。
【０１０５】
なお、セル＃２、セル＃３−１、セル＃３−２、セル＃４−１及びセル＃４−２は、セル＃１と重複している。また、各セルは、互いに異なる周波数で運用されている。各セルが運用されている周波数には、優先度が定められている。周波数と優先度との対応関係は、ｅＮＢ２００から報知されるシステム情報（ＳＩＢ；Ｓｙｓｔｅｍ  Ｉｎｆｏｒｍａｔｉｏｎ  Ｂｌｏｃｋ）に含まれる。
【０１０６】
このような前提下において、ＵＥ１００は、異なる周波数で運用される複数のセルの中からサービングセルとして用いる対象セルを選択する。具体的には、ＵＥ１００は、開始条件が満たされた場合に、現在のサービングセルに隣接する隣接セルの品質を測定し、選択条件を満たすセルの中からサービングセルとして用いる対象セルを選択する。
【０１０７】
第１に、開始条件は、以下に示す通りである。
【０１０８】
（Ａ１）現在のサービングセルの周波数の優先度よりも高い優先度を有する周波数
−ＵＥ１００は、高い優先度を有する周波数の品質を常に測定する。
【０１０９】
（Ａ２）現在のサービングセルの周波数の優先度と等しい優先度又は低い優先度を有する周波数
−ＵＥ１００は、現在のサービングセルの品質が所定閾値を下回った場合に、等しい優先度又は低い優先度を有する周波数の品質を測定する。
【０１１０】
第２に、選択条件は、以下に示す通りである。
【０１１１】
（Ｂ１）隣接セルの周波数の優先度が現在のサービングセルの優先度よりも高い
−ＵＥ１００は、所定期間（ＴｒｅｓｅｌｅｃｔｉｏｎＲＡＴ）に亘ってＳｑｕａｌ＞ＴｈｒｅｓｈＸ，ＨｉｇｈＱの関係を満たすセル、若しくは、所定期間（ＴｒｅｓｅｌｅｃｔｉｏｎＲＡＴ）に亘ってＳｒｘｌｅｖ＞ＴｈｒｅｓｈＸ，ＨｉｇｈＰの関係を満たすセルを対象セルとして選択する。このようなケースにおいて、隣接セルが満たすべき基準を“Ｓ−ｃｒｉｔｅｒｉａ”と称することもある。
【０１１２】
但し、Ｓｑｕａｌは、セル選択品質レベルを表しており、Ｓｑｕａｌ＝Ｑｑｕａｌｍｅａｓ-（Ｑｑｕａｌｍｉｎ＋Ｑｑｕａｌｍｉｎｏｆｆｓｅｔ）−Ｑｏｆｆｓｅｔｔｅｍｐによって算出される。Ｑｑｕａｌｍｅａｓは、隣接セルの品質レベル（ＲＳＲＱ）であり、Ｑｑｕａｌｍｉｎは、最小要求品質レベルであり、Ｑｑｕａｌｍｉｎｏｆｆｓｅｔは、隣接セルに定常的に適用される所定オフセットであり、Ｑｏｆｆｓｅｔｔｅｍｐは、隣接セルに一時的に適用されるオフセットである。ＴｈｒｅｓｈＸ，ＨｉｇｈＱは、所定閾値である。
【０１１３】
また、Ｓｒｘｌｅｖは、セル選択受信レベルを表しており、Ｓｒｘｌｅｖ＝Ｑｒｘｌｅｖｍｅａｓ-（Ｑｒｘｌｅｖｍｉｎ＋Ｑｒｘｌｅｖｍｉｎｏｆｆｓｅｔ）-Ｐｃｏｍｐｅｎｓａｔｉｏｎ−Ｑｏｆｆｓｅｔｔｅｍｐによって算出される。Ｑｒｘｌｅｖｍｅａｓは、隣接セルの受信レベル（ＲＳＲＰ）であり、Ｑｒｘｌｅｖｍｉｎは、最小要求受信レベルであり、Ｑｒｘｌｅｖｍｉｎｏｆｆｓｅｔは、隣接セルに定常的に適用される所定オフセットであり、Ｐｃｏｍｐｅｎｓａｔｉｏｎは、アップリンクの能力に関するパラメータであり、Ｑｏｆｆｓｅｔｔｅｍｐは、隣接セルに一時的に適用されるオフセットである。ＴｈｒｅｓｈＸ，ＨｉｇｈＰは、所定閾値である。
【０１１４】
（Ｂ２）隣接セルの周波数の優先度が現在のサービングセルの優先度と同じである
−ＵＥ１００は、現在のサービングセルのランキングＲｓ及び隣接セルのランキングＲｎを算出するとともに、所定期間（ＴｒｅｓｅｌｅｃｔｉｏｎＲＡＴ）に亘ってＲｓよりも高いランキングＲｎを有するセルを対象セルとして選択する。このようなケースにおいて、隣接セルが満たすべき基準を“Ｒ−ｃｒｉｔｅｒｉａ”と称することもある。
【０１１５】
但し、Ｒｓは、Ｒｓ＝Ｑｍｅａｓ，ｓ＋ＱＨｙｓｔ−Ｑｏｆｆｓｅｔｔｅｍｐによって算出される。Ｒｎは、Ｒｎ＝Ｑｍｅａｓ，ｎ−Ｑｏｆｆｓｅｔ−Ｑｏｆｆｓｅｔｔｅｍｐによって算出される。Ｑｍｅａｓ，ｓは、現在のサービングセルの受信レベル（ＲＳＲＰ）であり、Ｑｍｅａｓ，ｎは、隣接セルの受信レベル（ＲＳＲＰ）である。ＱＨｙｓｔは、現在のサービングセルが対象セルとして再選択されやすくするためのヒステリシス値である。Ｑｏｆｆｓｅｔｔｅｍｐは、現在のサービングセル及び隣接セルに一時的に適用されるオフセットである。
【０１１６】
（Ｂ３）隣接セルの周波数の優先度が現在のサービングセルの優先度よりも低い
−ＵＥ１００は、所定期間（ＴｒｅｓｅｌｅｃｔｉｏｎＲＡＴ）に亘ってＳｑｕａｌ＜ＴｈｒｅｓｈＳｅｒｖｉｎｇ，ＬｏｗＱが満たされる、若しくは、所定期間（ＴｒｅｓｅｌｅｃｔｉｏｎＲＡＴ）に亘ってＳｒｘｌｅｖ＜ＴｈｒｅｓｈＳｅｒｖｉｎｇ，ＬｏｗＰが満たされるという前提下において、上述した（Ｂ１）と同様の手法によって隣接セルの中から対象セルを選択する。
【０１１７】
但し、ＴｈｒｅｓｈＳｅｒｖｉｎｇ，ＬｏｗＱ及びＴｈｒｅｓｈＳｅｒｖｉｎｇ，ＬｏｗＰは、ＴｈｒｅｓｈＸ，ＨｉｇｈＱ及びＴｈｒｅｓｈＸ，ＨｉｇｈＰと同様に、所定閾値である。
【０１１８】
なお、対象セルの選択で用いる各種パラメータは、ｅＮＢ２００から報知されるシステム情報（ＳＩＢ；Ｓｙｓｔｅｍ  Ｉｎｆｏｒｍａｔｉｏｎ  Ｂｌｏｃｋ）に含まれる。各種パラメータは、周波数の優先度（ｃｅｌｌＲｅｓｅｌｅｃｔｉｏｎＰｒｉｏｒｉｔｙ）、所定期間（ＴｒｅｓｅｌｅｃｔｉｏｎＲＡＴ）、各種オフセット（Ｑｑｕａｌｍｉｎｏｆｆｓｅｔ、Ｑｒｘｌｅｖｍｉｎｏｆｆｓｅｔ、Ｑｏｆｆｓｅｔｔｅｍｐ、ＱＨｙｓｔ、Ｑｏｆｆｓｅｔ）、各種閾値（ＴｈｒｅｓｈＸ，ＨｉｇｈＱ、ＴｈｒｅｓｈＸ，ＨｉｇｈＰ、ＴｈｒｅｓｈＳｅｒｖｉｎｇ，ＬｏｗＱ、ＴｈｒｅｓｈＳｅｒｖｉｎｇ，ＬｏｗＰ）を含む。
【０１１９】
第２実施形態において、ＵＥ１００（制御部）は、異なる周波数で運用される複数のセルの中からサービングセルとして用いる対象セルを選択する。具体的には、ＵＥ１００（制御部）は、現在のサービングセルの品質が所定品質基準を満たしている場合であっても、所定タイミングにおいて、現在のサービングセルに隣接する隣接セルの品質を測定する。ここで、「所定品質基準を満たしている」とは、上述した開始条件が満たされていないことである。詳細には、所定品質基準とは、上述した（Ａ２）に示したように、現在のサービングセルの品質が所定閾値を下回っていない条件である。
【０１２０】
言い換えると、第２実施形態に係るＵＥ１００（制御部）は、原則として、現在のサービングセルの品質が所定品質基準を満たしている場合に、現在のサービングセルに隣接する隣接セルの品質測定を開始しないように構成されている。しかしながら、ＵＥ１００（制御部）は、後述するように、現在のサービングセルから受信するシステム情報に基づいて、例外的に隣接セルの品質測定を開始することに留意すべきである。
【０１２１】
ここで、ＵＥ１００（制御部）は、現在のサービングセルから受信するシステム情報（ＳＩＢ；Ｓｙｓｔｅｍ  Ｉｎｆｏｒｍａｔｉｏｎ  Ｂｌｏｃｋ）に基づいて、所定タイミングを特定する。なお、所定タイミングは、対象セルの選択に伴って隣接セルの品質測定を開始するタイミングを意味する。
【０１２２】
システム情報は、隣接セルの品質測定を直ちに開始することを意味していてもよい。このようなケースにおいて、ＵＥ１００（制御部）は、システム情報を受信するタイミングを所定タイミングとして特定し、システム情報の受信に応じて隣接セルの品質測定を開始する。
【０１２３】
或いは、システム情報は、隣接セルの品質測定を開始すべきサブフレーム番号を含んでもよい。ＵＥ１００（制御部）は、システム情報に含まれるサブフレーム番号を所定タイミングとして特定し、特定されたサブフレーム番号で隣接セルの品質測定を開始する。
【０１２４】
或いは、システム情報は、所定タイミングの周期を示す情報を含んでもよい。例えば、システム情報は、隣接セルの品質測定を終了したタイミングで起動されるタイマに設定すべきタイマ値を含む。ＵＥ１００（制御部）は、タイマ値がセットされたタイマが満了したタイミングを所定タイミングとして特定し、特定されたタイミングで隣接セルの品質測定を開始する。
【０１２５】
ここで、システム情報が所定タイミングの周期を示す情報を含む場合において、ＵＥ１００（制御部）は、ＵＥ１００に固有の値に基づいて、所定タイミングの周期を補正してもよい。ＵＥ１００に固有の値は、例えば、システム情報を受信するサブフレーム番号であってもよく、ＵＥ１００の識別子（ＵＥ−ＩＤ）であってもよい。ＵＥ１００（制御部）は、“タイマ値×ＵＥ−ＩＤ”によって得られる値をタイマにセットし、タイマが満了したタイミングで隣接セルの品質測定を開始する。
【０１２６】
或いは、システム情報は、ＵＥ１００（制御部）が発生する乱数と対比すべき閾値を含んでもよい。ＵＥ１００（制御部）は、所定タイミングにおける乱数と閾値との比較結果に基づいて、隣接セルの品質を測定する。例えば、ＵＥ１００（制御部）は、所定タイミングにおいて、乱数が閾値よりも大きい若しくは乱数が閾値よりも小さいといった条件が満たされる場合に、隣接セルの品質測定を開始する。
【０１２７】
（移動通信方法）
以下において、第２実施形態に係る移動通信方法について説明する。図１０は、第２実施形態に係る移動通信方法を示すシーケンス図である。
【０１２８】
図１０に示すように、ステップＳ１０において、ＵＥ１００は、ＲＲＣアイドル状態である。
【０１２９】
ステップＳ１１において、ＵＥ１００は、ｅＮＢ２００（現在のサービングセル）から報知されるシステム情報（ＳＩＢ；Ｓｙｓｔｅｍ  Ｉｎｆｏｒｍａｔｉｏｎ  Ｂｌｏｃｋ）を受信する。
【０１３０】
ステップＳ１２において、ＵＥ１００は、現在のサービングセルの品質が所定品質基準を満たしている場合であっても、所定タイミングにおいて、現在のサービングセルに隣接する隣接セルの品質を測定する。ＵＥ１００は、システム情報（ＳＩＢ；Ｓｙｓｔｅｍ  Ｉｎｆｏｒｍａｔｉｏｎ  Ｂｌｏｃｋ）に基づいて、所定タイミングを特定する。
【０１３１】
（作用及び効果）
第２実施形態に係るＵＥ１００（制御部）は、現在のサービングセルの品質が所定品質基準を満たしている場合であっても、所定タイミングにおいて、現在のサービングセルに隣接する隣接セルの品質を測定する。すなわち、地理的に近い位置に存在するＵＥ１００であっても、対象セルの選択に伴う隣接セルの品質測定を開始するタイミングが時間的に離散する。従って、各セルの負荷分散を適切に行うことができる。言い換えると、ＲＲＣアイドル状態のＵＥ１００を各セルに適切に配分することができる。
【０１３２】
［変更例１］
以下において、第２実施形態の変更例１について説明する。以下においては、第２実施形態に対する相違点について主として説明する。
【０１３３】
具体的には、第２実施形態では、ＵＥ１００は、現在のサービングセルの品質が所定品質基準を満たしている場合であっても、所定タイミングにおいて、現在のサービングセルに隣接する隣接セルの品質を測定する。これに対して、変更例１では、ＵＥ１００（制御部）は、第２実施形態で説明した（Ｂ１）〜（Ｂ３）に示すように、所定品質基準（Ｓ−ｃｒｉｔｅｒｉａやＲ−ｃｒｉｔｅｒｉａ）を満たす品質を有するセルの中から、サービングセルとして用いる対象セルを選択する。ＵＥ１００（制御部）は、対象セルの選択において、ランダム性を有する値を用いて、対象セルを選択する。
【０１３４】
ランダム性を有する値とは、現在のサービングセルに在圏する全てのＵＥ１００に共通する値でなければよい。例えば、ランダム性を有する値とは、ＵＥ１００に割り当てられる識別子（ＵＥ−ＩＤ）、ＵＥ１００（制御部）が発生する乱数及びＵＥ１００のアクセス規制に関するアクセスクラス（ＡＣ）の中から選択された１以上の値である。
【０１３５】
ここで、ＵＥ１００（制御部）は、ランダム性を有する値（例えば、ＵＥ−ＩＤ、乱数、ＡＣ）に基づいて、品質（例えば、Ｓｑｕａｌ、Ｓｒｘｌｅｖ、Ｑｍｅａｓ，ｓ、Ｑｍｅａｓ，ｎ）を補正してもよい。例えば、品質の補正方法としては、各種オフセット（Ｑｑｕａｌｍｉｎｏｆｆｓｅｔ、Ｑｒｘｌｅｖｍｉｎｏｆｆｓｅｔ、Ｑｏｆｆｓｅｔｔｅｍｐ、ＱＨｙｓｔ、Ｑｏｆｆｓｅｔ）として新たな値を定義してもよく、新たなオフセットを導入してもよい。各種オフセットは、例えば、ｏｆｆｓｅｔ＝（ｄｅｆａｕｌｔ  ｏｆｆｓｅｔ）×（ＵＥ−ＩＤ÷ｎ）によって算出される。但し、ｎは予め定められた値又はサービングセルから報知された値である。
【０１３６】
或いは、ＵＥ１００（制御部）は、ランダム性を有する値（例えば、ＵＥ−ＩＤ、乱数、ＡＣ）に基づいて、複数のセルのそれぞれが運用されている周波数の優先度（ｃｅｌｌＲｅｓｅｌｅｃｔｉｏｎＰｒｉｏｒｉｔｙ）を補正してもよい。
【０１３７】
或いは、ＵＥ１００（制御部）は、所定品質基準（Ｓ−ｃｒｉｔｅｒｉａやＲ−ｃｒｉｔｅｒｉａ）を満たす品質を有するセルの中から、ランダム性を有する値（例えば、ＵＥ−ＩＤ、乱数、ＡＣ）に基づいて、対象セルを選択してもよい。言い換えると、ＵＥ１００（制御部）は、所定品質基準（Ｓ−ｃｒｉｔｅｒｉａやＲ−ｃｒｉｔｅｒｉａ）を満たす品質を有するセルを特定し、特定されたセル（選択候補セル）の中から、ランダム性を有する値に基づいて、対象セルを選択する。例えば、ＵＥ１００（制御部）は、ランダム性を有する値に基づいて、選択候補セルのランキングを補正する。
【０１３８】
或いは、ＵＥ１００（制御部）は、現在のサービングセルの周波数と同じ優先度を有する周波数で運用されているセルの中から、ランダム性を有する値に基づいて、対象セルを選択してもよい。ここで、現在のサービングセルの周波数と同じ優先度を有する周波数とは、現在のサービングセルの周波数と同じ周波数であってもよく、現在のサービングセルの周波数と異なる周波数であってもよい。言い換えると、ＵＥ１００（制御部）は、上述した条件を満たすセルを特定し、特定されたセル（選択候補セル）の中から、ランダム性を有する値に基づいて、対象セルを選択する。例えば、ＵＥ１００（制御部）は、ランダム性を有する値に基づいて、選択候補セルのランキングを補正する。
【０１３９】
或いは、ＵＥ１００（制御部）は、所定範囲の品質を有するセルの中から、ランダム性を有する値に基づいて、対象セルを選択してもよい。ここで、所定範囲は、現在のサービングセルから報知されるシステム情報（ＳＩＢ；Ｓｙｓｔｅｍ  Ｉｎｆｏｒｍａｔｉｏｎ  Ｂｌｏｃｋ）に含まれることが好ましい。言い換えると、ＵＥ１００（制御部）は、所定範囲の品質を有するセルを特定し、特定されたセル（選択候補セル）の中から、ランダム性を有する値に基づいて、対象セルを選択してもよい。所定範囲の品質とは、最もよい品質に対する差異が所定範囲（例えば、５ｄＢ以内など）に含まれる品質であってもよく、ランキングの上位から数えて所定範囲（例えば、上位３つ）のランキングを有するセルの品質であってもよい。例えば、ＵＥ１００（制御部）は、ランダム性を有する値に基づいて、選択候補セルのランキングを補正する。
【０１４０】
なお、セルのランキングは、例えば、以下のように補正することが可能である。ランダム性を有する値として乱数を用いる場合には、セルのランキングは、Ｒｏｕｎｄｕｐ｛ＲＡＮＤ×（選択候補セル数）｝の関数を用いて変更される。或いは、ランダム性を有する値としてＵＥ−ＩＤを用いる場合には、（ＵＥ  ＩＤ）ｍｏｄ（Ｃｅｌｌ  ＩＤ）≦ｎの関係を満たす選択候補セルの中から、最もランキングの高いセルが対象セルを選択される。但し、ｎは予め定められた値又はサービングセルから報知された値である。
【０１４１】
（移動通信方法）
以下において、変更例１に係る移動通信方法について説明する。図１１は、変更例１に係る移動通信方法を示すフロー図である。図１１に示すフローは、ＵＥ１００によって行われることに留意すべきである。
【０１４２】
図１１に示すように、ステップＳ２０において、ＵＥ１００は、現在のサービングセルに隣接する隣接セルの品質の測定を開始する開始条件が満たされたか否かを判定する。ＵＥ１００は、判定結果がＹＥＳである場合には、ステップＳ２１の処理を行う。一方で、ＵＥ１００は、判定結果がＮＯである場合には、一連の処理を終了する。
【０１４３】
なお、開始条件は、上述したように、以下に示す通りである。
【０１４４】
（Ａ１）現在のサービングセルの周波数の優先度よりも高い優先度を有する周波数
−ＵＥ１００は、高い優先度を有する周波数の品質を常に測定する。
【０１４５】
（Ａ２）現在のサービングセルの周波数の優先度と等しい優先度又は低い優先度を有する周波数
−ＵＥ１００は、現在のサービングセルの品質が所定閾値を下回った場合に、等しい優先度又は低い優先度を有する周波数の品質を測定する。
【０１４６】
ここで、ステップＳ２０においては、上述したように、周波数の優先度（ｃｅｌｌＲｅｓｅｌｅｃｔｉｏｎＰｒｉｏｒｉｔｙ）は、ランダム性を有する値（例えば、ＵＥ−ＩＤ、乱数、ＡＣ）に基づいて補正されてもよい。
【０１４７】
ステップＳ２１において、ＵＥ１００は、現在のサービングセルに隣接する隣接セルの品質を測定する。
【０１４８】
ここで、ステップＳ２１においては、上述したように、品質（例えば、Ｓｑｕａｌ、Ｓｒｘｌｅｖ、Ｑｍｅａｓ，ｓ、Ｑｍｅａｓ，ｎ）は、ランダム性を有する値（例えば、ＵＥ−ＩＤ、乱数、ＡＣ）に基づいて補正されてもよい。
【０１４９】
ステップＳ２２において、ＵＥ１００は、所定品質基準（Ｓ−ｃｒｉｔｅｒｉａやＲ−ｃｒｉｔｅｒｉａ）を満たす品質を有するセル（選択候補セル）の中から、サービングセルとして用いる対象セルを選択する。
【０１５０】
ここで、ステップＳ２２においては、上述したように、選択候補セルのランキングは、ランダム性を有する値（例えば、ＵＥ−ＩＤ、乱数、ＡＣ）に基づいて補正されてよい。
【０１５１】
なお、図１１に係る説明では、変更例１の一部のみを例示しているが、ＵＥ１００は、上述したように、ランダム性を有する値を用いて対象セルを選択していればよいことに留意すべきえある。
【０１５２】
（作用及び効果）
変更例１に係るＵＥ１００（制御部）は、ランダム性を有する値を用いて、対象セルを選択する。すなわち、地理的に近い位置に存在するＵＥ１００であっても、対象セルとして選択するセルにバラツキが生じる。従って、各セルの負荷分散を適切に行うことができる。言い換えると、ＲＲＣアイドル状態のＵＥ１００を各セルに適切に配分することができる。
【０１５３】
［変更例２］
以下において、第２実施形態の変更例２について説明する。以下においては、第２実施形態に対する相違点について主として説明する。
【０１５４】
具体的には、第２実施形態では、ＵＥ１００は、現在のサービングセルの品質が所定品質基準を満たしている場合であっても、所定タイミングにおいて、現在のサービングセルに隣接する隣接セルの品質を測定する。これに対して、変更例２では、ＵＥ１００（制御部）は、第２実施形態で説明した（Ｂ１）〜（Ｂ３）に示すように、ＵＥ１００（制御部）は、所定品質基準（Ｓ−ｃｒｉｔｅｒｉａやＲ−ｃｒｉｔｅｒｉａ）を満たす品質を有するセルの中から、サービングセルとして用いる対象セルを選択する。ＵＥ１００（制御部）は、１以上のＵＥ１００を含むグループ毎に異なる再選択パラメータに基づいて、対象セルを選択する。
【０１５５】
ここで、ＵＥ１００が属するグループは、コネクティッド状態からアイドル状態への遷移手順で用いるメッセージ（例えば、ＲＲＣ  Ｃｏｎｎｅｃｔｉｏｎ  Ｒｅｌｅａｓｅ）によって指定される。メッセージ（例えば、ＲＲＣ  Ｃｏｎｎｅｃｔｉｏｎ  Ｒｅｌｅａｓｅ）は、ＵＥ１００が属するグループを識別するグループ識別情報を含んでもよい。
【０１５６】
また、再選択パラメータは、周波数の優先度（ｃｅｌｌＲｅｓｅｌｅｃｔｉｏｎＰｒｉｏｒｉｔｙ）、所定期間（ＴｒｅｓｅｌｅｃｔｉｏｎＲＡＴ）、各種オフセット（Ｑｑｕａｌｍｉｎｏｆｆｓｅｔ、Ｑｒｘｌｅｖｍｉｎｏｆｆｓｅｔ、Ｑｏｆｆｓｅｔｔｅｍｐ、ＱＨｙｓｔ、Ｑｏｆｆｓｅｔ）、各種閾値（ＴｈｒｅｓｈＸ，ＨｉｇｈＱ、ＴｈｒｅｓｈＸ，ＨｉｇｈＰ、ＴｈｒｅｓｈＳｅｒｖｉｎｇ，ＬｏｗＱ、ＴｈｒｅｓｈＳｅｒｖｉｎｇ，ＬｏｗＰ）を含む。
【０１５７】
変更例２において、再選択パラメータは、現在のサービングセルから報知されるシステム情報（ＳＩＢ；Ｓｙｓｔｅｍ  Ｉｎｆｏｒｍａｔｉｏｎ  Ｂｌｏｃｋ）に含まれることが好ましい。すなわち、再選択パラメータを報知するセルは、メッセージ（例えば、ＲＲＣ  Ｃｏｎｎｅｃｔｉｏｎ  Ｒｅｌｅａｓｅ）を送信するセルと異なっていてもよい。但し、再選択パラメータは、メッセージ（例えば、ＲＲＣ  Ｃｏｎｎｅｃｔｉｏｎ  Ｒｅｌｅａｓｅ）に含まれていてもよい。
【０１５８】
ここで、ＵＥ１００（制御部）は、ＲＲＣアイドル状態からＲＲＣコネクティッド状態に再び遷移するまで、ＵＥ１００が属するグループを維持してもよい。すなわち、ＵＥ１００が属するグループは、ＲＲＣアイドル状態からＲＲＣコネクティッド状態への遷移によって解除される。或いは、ＵＥ１００（制御部）は、メッセージ（例えば、ＲＲＣ  Ｃｏｎｎｅｃｔｉｏｎ  Ｒｅｌｅａｓｅ）の受信によって起動するタイマが満了するまで、ＵＥ１００が属するグループを維持してもよい。すなわち、ＵＥ１００が属するグループは、グループの指定によって起動するタイマが満了した際に解除されてもよい。
【０１５９】
１以上のＵＥ１００を含むグループは、ＵＥ１００のカテゴリ（スループットの大きさ）、ＵＥ１００の能力（ＭＩＭＯのストリーム数等）、ＵＥ１００のトラフィックに係る統計（Ｓ１  Ｉｎｉｔｉａｌ  ＵＥ  Ｃｏｎｔｅｘｔ  Ｓｅｔｕｐ）、ＵＥ１００の移動性に係る統計（Ｓ１  Ｉｎｉｔｉａｌ  ＵＥ  Ｃｏｎｔｅｘｔ  Ｓｅｔｕｐ）及びＵＥ１００の位置情報（ｍｅａｓｕｒｅｍｅｎｔ  ｒｅｐｏｒｔ含む）の中から選択される１以上の情報に基づいて形成されてもよい。
【０１６０】
或いは、１以上のＵＥ１００を含むグループは、ＵＥ１００のアクセス規制に関するアクセスクラス（ＡＣ）によって形成されてもよい。すなわち、再選択パラメータは、ＵＥ１００のアクセス規制に関するアクセスクラス毎に異なる。
【０１６１】
（移動通信方法）
以下において、変更例２に係る移動通信方法について説明する。図１２は、変更例２に係る移動通信方法を示すシーケンス図である。
【０１６２】
図１２に示すように、ステップＳ３０において、ＵＥ１００は、ＲＲＣコネクティッド状態である。
【０１６３】
ステップＳ３１において、ＵＥ１００は、コネクティッド状態からアイドル状態への遷移手順で用いるメッセージ（ＲＲＣ  Ｃｏｎｎｅｃｔｉｏｎ  Ｒｅｌｅａｓｅ）を受信する。メッセージ（ＲＲＣ  Ｃｏｎｎｅｃｔｉｏｎ  Ｒｅｌｅａｓｅ）は、ＵＥ１００が属するグループを指定する。
【０１６４】
ステップＳ３２において、ＵＥ１００は、ＲＲＣアイドル状態である。
【０１６５】
ステップＳ３３において、ＵＥ１００は、ｅＮＢ２００（現在のサービングセル）から報知されるシステム情報（ＳＩＢ；Ｓｙｓｔｅｍ  Ｉｎｆｏｒｍａｔｉｏｎ  Ｂｌｏｃｋ）を受信する。システム情報は、１以上のＵＥ１００を含むグループ毎に異なる再選択パラメータを含む。
【０１６６】
なお、再選択パラメータを報知するセルは、メッセージ（例えば、ＲＲＣ  Ｃｏｎｎｅｃｔｉｏｎ  Ｒｅｌｅａｓｅ）を送信するセルと異なっていてもよい。
【０１６７】
ステップＳ３４において、ＵＥ１００は、ＵＥ１００が属するグループに割り当てられた再選択パラメータに基づいて、対象セルを選択する。
【０１６８】
（作用及び効果）
変更例２に係るＵＥ１００（制御部）は、１以上のＵＥ１００を含むグループ毎に異なる再選択パラメータに基づいて、対象セルを選択する。すなわち、地理的に近い位置に存在するＵＥ１００であっても、グループ毎に対象セルとして選択するセルにバラツキが生じる。従って、各セルの負荷分散を適切に行うことができる。言い換えると、ＲＲＣアイドル状態のＵＥ１００を各セルに適切に配分することができる。
【０１６９】
［変更例３］
以下において、第２実施形態の変更例３について説明する。以下においては、変更例１に対する相違点について主として説明する。
【０１７０】
変更例１では、ＵＥ１００（制御部）は、ランダム性を有する値に基づいて、選択候補セルのランキングを補正するケースを例示した。これに対して、変更例３では、ランダム性を有する値に基づいた対象セルの選択方法として他の選択方法を説明する。
【０１７１】
具体的には、ＵＥ１００（受信部）は、制御部が発生する乱数と対比すべき閾値を含むシステム情報を受信する。ＵＥ１００（制御部）は、乱数と閾値との比較結果に基づいて、対象セルを選択する。
【０１７２】
さらに詳細には、ＵＥ１００（制御部）は、上述したように、複数のセルのそれぞれの品質の測定結果に基づいて、複数のセルのそれぞれのランキングを算出する。ランキングは、上述したように、現在のサービングセルのランキングＲｓ及び隣接セルのランキングＲｎである。ＵＥ１００（制御部）は、乱数と閾値との比較結果に基づいて、対象セルを選択する。
【０１７３】
このようなケースにおいて、システム情報は、ランキング毎に異なる閾値を含む。ＵＥ１００（制御部）は、ランキング毎に乱数を発生するとともに、ランキング毎の乱数と閾値との比較結果に基づいて、対象セルを選択する。ＵＥ１００（制御部）は、ランキングが高い順に乱数と閾値とを比較するとともに、乱数と閾値との比較結果が選択条件を満たすセルを対象セルとして選択してもよい。
【０１７４】
例えば、システム情報は、ランキングと閾値とを対応付ける情報（Ｒａｎｋｉｎｇ＿Ｎｏ，Ｐｒｏｂａｂｉｌｉｔｙ）を含む。このような情報（Ｒａｎｋｉｎｇ＿Ｎｏ，Ｐｒｏｂａｂｉｌｉｔｙ）は、｛Ｒａｎｋ１，０．６｝，｛Ｒａｎｋ２，０．８｝，｛Ｒａｎｋ３，１．０｝といった情報である。なお、｛Ｒａｎｋ１，０．６｝は、Ｒａｎｋ１に対応付けられた閾値が０．６であることを意味する。同様に、｛Ｒａｎｋ２，０．８｝は、Ｒａｎｋ２に対応付けられた閾値が０．８であることを意味し、｛Ｒａｎｋ３，１．０｝は、Ｒａｎｋ３に対応付けられた閾値が１．０であることを意味する。また、ＵＥ１００（制御部）が発生する乱数が取り得る範囲は０〜１である。ここで、乱数と閾値との比較結果が満たすべき選択条件は、例えば、乱数が閾値以下であるという条件である。
【０１７５】
第１に、ＵＥ１００（制御部）は、ランキング１のセルを対象セルとして選択として選択するか否かを判定する。すなわち、ＵＥ１００（制御部）は、ランキング１のセル用の乱数を発生するとともに、乱数と０．６との比較結果が選択条件を満たすか否かを判定する。例えば、ＵＥ１００（制御部）は、乱数が０．８である場合には、選択条件が満たされないと判定する。従って、ＵＥ１００（制御部）は、対象セルの選択を継続する。
【０１７６】
第２に、ＵＥ１００（制御部）は、ランキング２のセルを対象セルとして選択として選択するか否かを判定する。すなわち、ＵＥ１００（制御部）は、ランキング２のセル用の乱数を発生するとともに、乱数と０．８との比較結果が選択条件を満たすか否かを判定する。例えば、ＵＥ１００（制御部）は、乱数が０．７である場合には、選択条件が満たされたと判定する。従って、ＵＥ１００（制御部）は、ランキング２のセルを対象セルとして選択するとともに、対象セルの選択を終了する。
【０１７７】
上述した対象セルの選択方法によれば、ランキング１のセルが対象セルとして選択される確率は６０％である。ランキング２のセルが対象セルとして選択される確率は３２％（｛１−０．６｝×０．８）である。ランキング３のセルが対象セルとして選択される確率は８％（１−０．６−０．３２）である。このように、システム情報に含まれる閾値は、高いランキングを有するセルが対象セルとして選択されやすいように定められていてもよい。但し、変更例３はこれに限定されるものではなく、システム情報に含まれる閾値は、セルの負荷や能力によって定められてもよい。
【０１７８】
変更例３においては、システム情報がランキングと閾値とを対応付ける情報（Ｒａｎｋｉｎｇ＿Ｎｏ，Ｐｒｏｂａｂｉｌｉｔｙ）を含むケースについて例示した。しかしながら、変更例３はこれに限定されるものではない。例えば、システム情報は、優先度と閾値とを対応付ける情報（Ｐｒｉｏｒｉｔｙ，Ｐｒｏｂａｂｉｌｉｔｙ）を含む。
【０１７９】
このようなケースにおいて、ＵＥ１００（制御部）は、優先度毎に乱数を発生するとともに、優先度毎の乱数と閾値との比較結果に基づいて、対象セルを選択する。ＵＥ１００（制御部）は、優先度が高い順に乱数と閾値とを比較するとともに、乱数と閾値との比較結果が選択条件を満たすセルを対象セルとして選択してもよい。
【０１８０】
優先度とは、セルが運用されている周波数の優先度であってもよく、セルに固有の優先度であってもよい。
【０１８１】
［変更例４］
以下において、第２実施形態の変更例４について説明する。以下においては、第２実施形態及び変更例３に対する相違点について主として説明する。
【０１８２】
変更例４において、ＵＥ１００（制御部）は、現在のサービングセルから報知される複数のトリガー通知のいずれかである参照トリガー通知に応じて、対象セルを選択する（又は再選択する、以下同様）動作（又は手順、以下同様）をトリガーする（又は実行する若しくは開始する、以下同様）。参照トリガー通知は、複数のトリガー通知のいずれか１つのトリガー通知であることが好ましい。但し、参照トリガー通知は、複数のトリガー通知の中の一部のトリガー通知であればよく、２以上のトリガー通知であってもよい。
【０１８３】
ここで、トリガー通知とは、ネットワーク（ここでは、現在のサービングセル）の主導で、対象セルをＵＥ１００が選択する動作を直接的又は間接的にトリガーするための通知であり、一定期間内において複数回に亘って報知される通知であればよい。言い換えれば、トリガー通知とは、対象セルを選択する動作を実行するようＵＥ１００に指示する通知であってもよい。
【０１８４】
例えば、トリガー通知は、第２実施形態で説明したシステム情報（ＳＩＢ；Ｓｙｓｔｅｍ  Ｉｎｆｏｒｍａｔｉｏｎ  Ｂｌｏｃｋ）であってもよい。第２実施形態で説明したシステム情報は、ＵＥ１００が隣接セルの品質測定を開始する所定タイミングを特定するための情報を含む。従って、第２実施形態で説明したシステム情報は、対象セルをＵＥ１００が選択する動作を直接的にトリガーすることに留意すべきである。
【０１８５】
或いは、トリガー通知は、変更例３で説明したシステム情報（ＳＩＢ；Ｓｙｓｔｅｍ  Ｉｎｆｏｒｍａｔｉｏｎ  Ｂｌｏｃｋ）であってもよい。上述したように、変更例３で説明したシステム情報は、乱数と対比すべき閾値を含む。或いは、変更例３で説明したシステム情報は、ランキングと閾値とを対応付ける情報（Ｒａｎｋｉｎｇ＿Ｎｏ，Ｐｒｏｂａｂｉｌｉｔｙ）を含んでもよい。或いは、変更例３で説明したシステム情報は、優先度と閾値とを対応付ける情報（Ｐｒｉｏｒｉｔｙ，Ｐｒｏｂａｂｉｌｉｔｙ）を含んでもよい。なお、ＵＥ１００（制御部）は、変更例３で説明したシステム情報の受信に応じて、乱数と閾値との比較結果が選択条件を満たすセルを対象セルとして選択する。従って、変更例３で説明したシステム情報は、対象セルをＵＥ１００が選択する動作を間接的にトリガーすることに留意すべきである。
【０１８６】
このようなケースにおいて、複数のトリガー通知のそれぞれは、カウンタ値を含む。ＵＥ１００（制御部）は、対象セルを選択する動作のトリガー（又は実行、以下同様）に応じて、参照トリガー通知に含まれるカウンタ値をカウンタに格納する。例えば、ＵＥ１００は、メモリ１５０にカウンタを保持する。ＵＥ１００は、参照トリガー通知に応じて対象セルを選択する動作をトリガーする毎に、カウンタにカウンタ値を蓄積してもよい。ＵＥ１００（制御部）は、現在のサービングセルから報知されるトリガー通知に含まれるカウンタ値がカウンタに格納されるカウンタ値と一致する場合に、当該トリガー通知に応じて対象セルを選択する動作をトリガーしない（又は実行を禁止する）。一方で、ＵＥ１００（制御部）は、現在のサービングセルから報知されるトリガー通知に含まれるカウンタ値がカウンタに格納されるカウンタ値と一致しない場合に、対象セルを選択する動作をトリガーする。これによって、一定期間内にいて複数回に亘って報知されるトリガー通知のいずれかのトリガー通知（すなわち、参照トリガー通知）に応じて、ＵＥ１００によって対象セルを選択する動作が１回だけトリガーされる。言い換えると、一定期間内における複数のトリガー通知のそれぞれに応じて、対象セルを選択する動作が複数回に亘ってトリガーされる事態が抑制される。言い換えれば、ＵＥ１００は、一種類のトリガー通知に応じて、対象セルを選択する動作を最大１回トリガーする。なお、カウンタ値は、所定の数値（０〜９等）であってもよい。
【０１８７】
なお、複数のトリガー通知のそれぞれに含まれるカウンタ値は、対象セルを選択する動作をＵＥ１００にトリガーさせようとするタイミングにおいて現在のサービングセルによって更新される。すなわち、現在のサービングセルは、ＲＲＣアイドル状態のＵＥ１００を各セルに再配分しようとするタイミングにおいて、更新されたカウンタ値を含むトリガー通知を一定期間内において複数回に亘って報知する。
【０１８８】
（作用及び効果）
ここで、複数のトリガー通知のそれぞれに応じて、対象セルを選択する動作がＵＥ１００によって複数回に亘ってトリガーされると、現在のサービングセルに在圏する殆どのＵＥ１００が対象セルの選択を行ってしまう。言い換えると、殆どのＵＥ１００が同様のセルをサービングセルとして選択してしまい、結果として、ＲＲＣアイドル状態のＵＥ１００を各セルに適切に配分することができない。
【０１８９】
これに対して、変更例４では、ＵＥ１００（制御部）は、現在のサービングセルから報知される複数のトリガー通知のいずれかである参照トリガー通知に応じて、対象セルを選択する動作をトリガーする。従って、ＲＲＣアイドル状態のＵＥ１００を各セルに適切に配分することができる。
【０１９０】
［変更例５］
以下において、第２実施形態の変更例５について説明する。以下においては、変更例４に対する相違点について主として説明する。
【０１９１】
変更例４では、トリガー通知は、第２実施形態又は変更例３で説明したシステム情報（ＳＩＢ；Ｓｙｓｔｅｍ  Ｉｎｆｏｒｍａｔｉｏｎ  Ｂｌｏｃｋ）である。これに対して、変更例５では、トリガー通知は、対象セルの再選択を要求する再選択要求信号である。
【０１９２】
変更例５において、ＵＥ１００（受信部）は、対象セルの再選択を要求する再選択要求信号を現在のサービングセルから受信する。ＵＥ１００（制御部）は、再選択要求信号の受信に応じて、対象セルの再選択を行う。ここで、ＵＥ１００（制御部）は、上述した（Ａ１）及び（Ａ２）に示す開始条件が満たされなくても、対象セルの再選択に伴う隣接セルの品質測定を開始することに留意すべきである。
【０１９３】
ここで、現在のサービングセルは、現在のサービングセルの負荷が所定負荷以上である場合に、再選択要求信号を報知する。現在のサービングセルは、現在のサービングセルの負荷が所定負荷以上である期間において、再選択要求信号を繰り返し報知することが好ましい。言い換えると、ＵＥ１００（受信部）は、現在のサービングセルの負荷が所定負荷以上である場合に、再選択要求信号を現在のサービングセルから受信する。ＵＥ１００（受信部）は、現在のサービングセルの負荷が所定負荷以上である期間において、再選択要求信号を繰り返し受信することが好ましい。
【０１９４】
変更例５において、再選択要求信号は、現在のサービングセルが対象セルとして選択されにくくするための再選択パラメータを含む。ＵＥ１００（制御部）は、再選択パラメータに基づいて、対象セルを選択する。詳細には、再選択パラメータは、現在のサービングセルの周波数の優先度（ｃｅｌｌＲｅｓｅｌｅｃｔｉｏｎＰｒｉｏｒｉｔｙ）を最低の優先度（ｌｏｗｅｓｔ  ｐｒｉｏｒｉｔｙ）に変更するように指定するパラメータであってもよく、現在のサービングセルの周波数の優先度（ｃｅｌｌＲｅｓｅｌｅｃｔｉｏｎＰｒｉｏｒｉｔｙ）を下げる段階数を示すオフセットであってもよい。或いは、再選択パラメータは、各種オフセット（Ｑｑｕａｌｍｉｎｏｆｆｓｅｔ、Ｑｒｘｌｅｖｍｉｎｏｆｆｓｅｔ、Ｑｏｆｆｓｅｔｔｅｍｐ、ＱＨｙｓｔ、Ｑｏｆｆｓｅｔ）、各種閾値（ＴｈｒｅｓｈＸ，ＨｉｇｈＱ、ＴｈｒｅｓｈＸ，ＨｉｇｈＰ、ＴｈｒｅｓｈＳｅｒｖｉｎｇ，ＬｏｗＱ、ＴｈｒｅｓｈＳｅｒｖｉｎｇ，ＬｏｗＰ）であってもよい。
【０１９５】
変更例５において、再選択要求信号の受信に応じて適用される再選択パラメータは、再選択要求信号に含まれておらず、現在のサービングセルから再選択要求信号とは別に報知されるシステム情報（ＳＩＢ；Ｓｙｓｔｅｍ  Ｉｎｆｏｒｍａｔｉｏｎ  Ｂｌｏｃｋ）に含まれてもよい。或いは、再選択要求信号の受信に応じて適用される再選択パラメータは、予め定められていてもよい。このようなケースにおいて、ＵＥ１００（制御部）は、再選択要求信号の受信に応じて、現在のサービングセルから報知された再選択パラメータ又は予め定められた再選択パラメータに基づいて対象セルの再選択を行う。
【０１９６】
変更例５において、ＵＥ１００（制御部）は、再選択要求信号を受信しても、所定条件が満たされている場合に、対象セルの再選択を行わずに現在のサービングセルへの在圏を維持してもよい。所定条件とは、ＵＥ１００の種別（ＵＥ  ｃｌａｓｓ）、現在のサービングセルの周波数の優先度、ＵＥ１００の消費電力設定、前回の再選択要求信号を受信してから経過した時間及びランダム性を有する値の少なくともいずれか１つ情報に関する条件である。
【０１９７】
例えば、ＵＥ１００の種別（ＵＥ  ｃｌａｓｓ）がＭＴＣ（Ｍａｃｈｉｎｅ  Ｔｙｐｅ  Ｃｏｍｍｕｎｉｃａｔｉｏｎ）やデータ専用端末である場合には、通信データ量が少ないため、ＵＥ１００（制御部）は、対象セルの再選択を行わずに現在のサービングセルへの在圏を維持することが好ましい。
【０１９８】
或いは、現在のサービングセルの周波数の優先度が最も高い優先度（ｈｉｇｈｅｓｔ  ｐｒｉｏｒｉｔｙ）である場合には、ＭＢＭＳデータを受信している可能性やＤ２Ｄ近傍サービス（Ｄ２Ｄ  ＰｒｏＳｅ）を提供している可能性が高いため、ＵＥ１００（制御部）は、対象セルの再選択を行わずに現在のサービングセルへの在圏を維持することが好ましい。
【０１９９】
或いは、ＵＥ１００の消費電力設定が低消費電力設定である場合には、消費電力を抑制するために、ＵＥ１００（制御部）は、対象セルの再選択を行わずに現在のサービングセルへの在圏を維持することが好ましい。
【０２００】
或いは、前回の再選択要求信号を受信してから経過した時間が所定時間を経過していない場合には、ピンポン現象を抑制するために、ＵＥ１００（制御部）は、対象セルの再選択を行わずに現在のサービングセルへの在圏を維持することが好ましい。例えば、ＵＥ１００（制御部）は、前回の再選択要求信号を受信したタイミングでタイマを起動し、タイマが満了するまでの間において、対象セルの再選択を行わないことが好ましい。
【０２０１】
或いは、ＵＥ１００（制御部）は、複数のＵＥ１００が一斉に対象セルの再選択を行う事態を抑制するとともに、ＵＥ１００を各セルにランダムに配分するために、ランダム性を有する値が所定値以外である場合に、対象セルの再選択を行わずに現在のサービングセルへの在圏を維持することが好ましい。ランダム性を有する値とは、現在のサービングセルに在圏する全てのＵＥ１００に共通する値でなければよい。例えば、ランダム性を有する値とは、再選択要求信号をＵＥ１００が受信するサブフレーム番号（ＳＦＮ）であってもよく、再選択要求信号を受信するＵＥ１００の識別子（ＵＥ−ＩＤ）であってもよく、ＵＥ１００が発生する乱数であってもよい。例えば、ＵＥ１００（制御部）は、ＳＦＮｍｏｄＵＥ−ＩＤ（÷ｎ）＝０が満たされた場合に、対象セルの再選択を行い、ＳＦＮｍｏｄＵＥ−ＩＤ（÷ｎ）＝０が満たされない場合に、対象セルの再選択を行わない。但し、ｎは予め定められた値又はサービングセルから報知された値である。
【０２０２】
［変更例６］
以下において、第２実施形態の変更例５について説明する。以下においては、第２実施形態、変更例１乃至変更例５のいずれかに対する相違点について主として説明する。
【０２０３】
具体的には、第２実施形態、変更例１乃至変更例５では、システム情報（ＳＩＢ；Ｓｙｓｔｅｍ  Ｉｎｆｏｒｍａｔｉｏｎ  Ｂｌｏｃｋ）などの信号は、現在のサービングセルからＵＥ１００に対して報知される。
【０２０４】
これに対して、変更例６では、現在のサービングセルから報知されるシステム情報などの信号は、ＵＥ１００に対して報知されるとともに、現在のサービングセル（ｅＮＢ２００）に隣接する隣接セル（ｅＮＢ２００）に対しても通知される。或いは、現在のサービングセル（ｅＮＢ２００）の負荷状態は、現在のサービングセル（ｅＮＢ２００）に隣接する隣接セル（ｅＮＢ２００）に対しても通知される。システム情報などの信号や負荷状態は、２以上のｅＮＢ２００を接続するＸ２インターフェイスを介して各セル間で交換される。これによって、各セルで報知されているシステム情報などの信号（対象セルの再選択を促すパラメータ）や各セルの負荷状態が各セルで共有されるため、複数のセルの協調制御を行うことが可能である。
【０２０５】
例えば、互いに隣接する複数のセルの負荷がいずれも高いケースにおいて、複数のセルの間において対象セルの再選択が頻繁に生じる現象（ピンポン現象）を抑制することができる。詳細には、現在のサービングセルは、隣接セルでシステム情報などの信号（対象セルの再選択を促すパラメータ）が報知されているケース又は隣接セルの負荷が閾値よりも高いケースにおいて、ＵＥ１００に対するシステム情報などの信号（対象セルの再選択を促すパラメータ）の報知をペンディングする。
【０２０６】
ここで、システム情報などの信号は、第２実施形態で説明したように、隣接セルの品質測定を開始するタイミング（特定タイミング）を特定するためのパラメータを含んでもよい。或いは、システム情報などの信号は、変更例１で説明したように、ランダム性を有する値に基づいた対象セルの選択で参照される所定範囲を含んでもよい。或いは、システム情報などの信号は、変更例２で説明したように、１以上のＵＥ１００を含むグループ毎に異なる再選択パラメータを含んでもよい。或いは、システム情報などの信号は、変更例３で説明したように、制御部が発生する乱数と対比すべき閾値を含んでもよい。或いは、システム情報などの信号は、変更例４で説明したように、対象セルの再選択を促すためのトリガー通知を含んでもよい。或いは、システム情報などの信号は、変更例５で説明したように、対象セルの再選択を促す再選択要求信号を含んでもよく、再選択要求信号の受信に応じて適用される再選択パラメータを含んでもよい。
【０２０７】
［変更例７］
以下において、第２実施形態の変更例７について説明する。以下においては、変更例５に対する相違点について主として説明する。
【０２０８】
変更例５では特に触れていないが、変更例７において、再選択要求信号は、ｅＮＢ２００（サービングセル）から報知されるページング信号に含まれる。
【０２０９】
具体的には、ｅＮＢ２００（サービングセル）の送信部は、異なるページング機会でページング信号を報知する。ｅＮＢ２００（サービングセル）は、対象セルの再選択を要求する再選択要求信号を含むページング信号を報知する。
【０２１０】
ここで、ページング機会は、ページング信号を含むサブフレームである。１以上のページング機会が無線フレーム（ページングフレーム）に含まれる。ページングフレーム（ＰＦ）は、ＰＦ＝ＳＦＮｍｏｄＴ＝（ＴｄｉｖＮ）ｘ（ＵＥ＿ＩＤｍｏｄＮ）によって算出される。但し、Ｔは、ＵＥ１００のＤＲＸサイクルであり、Ｎは、ｍｉｎ（Ｔ，ｎＢ）で表される。ｎＢは、４Ｔ，２Ｔ，Ｔ，Ｔ／２，Ｔ／４，Ｔ／８，Ｔ／１６及びＴ／３２の中から選択される値である。ページング機会は、Ｎｓ及びｉ＿ｓの関係によって定義される。ｉ＿ｓは、ｉ＿ｓ＝ｆｌｏｏｒ（ＵＥ＿ＩＤ／Ｎ）ｍｏｄＮｓで表され、Ｎｓは、ｍａｘ（１，ｎＢ/Ｔ）で表される。
【０２１１】
変更例７では、ｅＮＢ２００（サービングセル）は、再選択要求信号を含むページング信号として、第１ページング機会で第１ページング信号を報知し、再選択要求信号を含まないページング信号として、第１ページング機会とは異なる第２ページング機会で第２ページング信号を報知する。言い換えると、ｅＮＢ２００（サービングセル）は、ページング信号に再選択要求信号を含める否かをページング周期毎に判定し、再選択要求信号を含むページング信号又は再選択要求信号を含まないページング信号をページング周期毎に報知する。
【０２１２】
一方で、ＵＥ１００（受信部）は、現在のサービングセルから報知されるページング信号を受信する。ＵＥ１００は、自端末に割り当てられたページング周期でページング信号を受信することに留意すべきである。ＵＥ１００（制御部）は、ページング信号に含まれる再選択要求信号に応じて、対象セルの再選択を行う。ＵＥ１００は、変更例５と同様に、上述した（Ａ１）及び（Ａ２）に示す開始条件が満たされなくても、対象セルの再選択に伴う隣接セルの品質測定を開始することに留意すべきである。
【０２１３】
変更例７では、ＵＥ１００は、自端末に割り当てられたページング周期で受信するページング信号が自端末宛のページング信号ではなくても、ページング信号に含まれる再選択要求信号に応じて、対象セルの再選択を行うことが好ましい。
【０２１４】
（作用及び効果）
変更例７では、ＵＥ１００は、ページング信号に含まれる再選択要求信号に応じて、対象セルの再選択を行う。すなわち、ネットワーク（現在のサービングセル）側のトリガーによって、対象セルの再選択をＲＲＣアイドル状態のＵＥ１００に促す。従って、各セルの負荷分散を適切に行うことができる。言い換えると、ＲＲＣアイドル状態のＵＥ１００を各セルに適切に配分することができる。
【０２１５】
ここで、ページング周期はＵＥ１００毎に異なるため、ページング信号に含まれる再選択要求信号に応じて対象セルの再選択を行うＵＥ１００のランダム性が担保され、ＲＲＣアイドル状態のＵＥ１００を各セルに適切に配分することができる。
【０２１６】
変更例７では、ｅＮＢ２００（サービングセル）は、ページング信号に再選択要求信号を含める否かをページング周期毎に判定し、再選択要求信号を含むページング信号又は再選択要求信号を含まないページング信号をページング周期毎に報知する。従って、ページング信号に含まれる再選択要求信号に応じて対象セルの再選択を行うＵＥ１００の割合を、ある程度、ｅＮＢ２００（サービングセル）側で制御することができる。例えば、ｅＮＢ２００（サービングセル）の負荷に応じて、対象セルの再選択を行うＵＥ１００の割合を決定することによって、各セルの負荷分散を適切に行うことができる。
【０２１７】
［変更例８］
以下において、第２実施形態の変更例８について説明する。以下においては、変更例１に対する相違点について主として説明する。
【０２１８】
具体的には、変更例１では、ＵＥ１００（制御部）は、ランダム性を有する値（例えば、ＵＥ−ＩＤ、乱数、ＡＣ）に基づいて、品質（例えば、Ｓｑｕａｌ、Ｓｒｘｌｅｖ、Ｑｍｅａｓ，ｓ、Ｑｍｅａｓ，ｎ）を補正するケースについて例示した。このようなケースにおいて、各種オフセット（Ｑｑｕａｌｍｉｎｏｆｆｓｅｔ、Ｑｒｘｌｅｖｍｉｎｏｆｆｓｅｔ、Ｑｏｆｆｓｅｔｔｅｍｐ、ＱＨｙｓｔ、Ｑｏｆｆｓｅｔ）は、例えば、ｏｆｆｓｅｔ＝（ｄｅｆａｕｌｔ  ｏｆｆｓｅｔ）×（ＵＥ−ＩＤ÷ｎ）によって算出される。
【０２１９】
これに対して、変更例８では、ＵＥ１００（制御部）は、ランダム性を有する値（例えば、ＵＥ−ＩＤ、乱数、ＡＣ）に基づいて、各種閾値（ＴｈｒｅｓｈＸ，ＨｉｇｈＱ、ＴｈｒｅｓｈＸ，ＨｉｇｈＰ、ＴｈｒｅｓｈＳｅｒｖｉｎｇ，ＬｏｗＱ、ＴｈｒｅｓｈＳｅｒｖｉｎｇ，ＬｏｗＰ）を補正する。各種閾値は、上述したように、対象セルの選択で用いる各種パラメータの一例である。各種閾値は、例えば、ｔｈｒｅｓｈｏｌｄ＝（ｄｅｆａｕｌｔ  ｔｈｒｅｓｈｏｌｄ）×（ＵＥ−ＩＤ÷ｎ）によって算出される。但し、ｎは予め定められた値又はサービングセルから報知された値である。
【０２２０】
［変更例９］
以下において、第２実施形態の変更例９について説明する。以下においては、変更例５に対する相違点について主として説明する。
【０２２１】
変更例５では、ＵＥ１００（制御部）は、再選択要求信号の受信に応じて、対象セルの再選択を行う。ＵＥ１００は、再選択要求信号に含まれる再選択パラメータに基づいて対象セルを選択する。これに対して、変更例９では、ＵＥ１００（制御部）は、再選択要求信号に依存しないトリガーに応じて、第１再選択処理を行うとともに、再選択要求信号の受信に応じて、第１再選択処理とは異なる第２再選択処理を行う。
【０２２２】
ここで、第１再選択処理は、上述した開始条件（Ａ１）〜（Ａ２）のいずれかが満たされた場合に、現在のサービングセルに隣接する隣接セルの品質を測定し、上述した選択条件（Ｂ１）〜（Ｂ３）のいずれかが満たされた場合に、対象セルを選択する処理である。これに対して、第２再選択処理は、対象セルの再選択において第１選択処理とは異なるルールが適用される処理である。第２再選択処理に適用されるルールは、以下に示す通りである。
【０２２３】
（ルール１）
第２再選択処理に適用されるルール１では、ＵＥ１００は、予め設定されている周波数の優先度（ｃｅｌｌＲｅｓｅｌｅｃｔｉｏｎＰｒｉｏｒｉｔｙ）を用いない。
【０２２４】
例えば、ＵＥ１００は、予め設定されている周波数の優先度に代えて、各セル又は周波数の優先度として同一の優先度を用いる。このようなケースでは、開始条件として、上述した（Ａ２）のみが用いられてもよい。また、選択条件として、上述した（Ｂ２）のみが用いられてもよい。
【０２２５】
或いは、ＵＥ１００は、予め設定されている周波数の優先度（ｃｅｌｌＲｅｓｅｌｅｃｔｉｏｎＰｒｉｏｒｉｔｙ）を無視してもよい。このようなケースでは、開始条件として、上述した（Ａ１）及び（Ａ２）のいずれか１つのみが用いられてもよい。選択条件として、上述した（Ｂ１）〜（Ｂ３）のいずれか１つのみが用いられてもよい。
【０２２６】
なお、上述した（Ｂ２）は、現在のサービングセルのランキングＲｓ及び隣接セルのランキングＲｎに基づいて対象セルの再選択を行う処理（ランキング処理）である。すなわち、（Ｂ２）のみが用いられるケースにおいては、再選択要求信号の受信に応じて、全てのセルを対象としてランキング処理が行われることに留意すべきである。或いは、再選択要求信号の受信に応じて、一定品質以上の品質を有するセルを対象としてランキング処理が行われることに留意すべきである。
【０２２７】
（ルール２）
第２再選択処理に適用されるルール２では、ＵＥ１００は、再選択要求信号の受信に応じて、現在のサービングセルから報知される報知情報に含まれる測定対象周波数の品質の測定を開始する。報知情報は、例えば、Ｉｎｔｒａ−ｆｒｅｑｕｅｎｃｙの測定周波数を指定するＳＩＢ４であってもよく、Ｉｎｔｅｒ−Ｆｒｅｑｕｅｎｃｙの測定周波数を指定するＳＩＢ５であってもよい。
【０２２８】
ここで、ＵＥ１００は、第１選択処理において、現在のサービングセルのセル選択品質レベル（Ｓｑｕａｌ又はＳｒｘｌｅｖ）が閾値（ＳＩｎｔｒａＳｅａｒｃｈＰ又はＳＩｎｔｒａＳｅａｒｃｈＱ）よりも小さい場合に、Ｉｎｔｒａ−ｆｒｅｑｕｅｎｃｙの測定を開始する。同様に、ＵＥ１００は、現在のサービングセルのセル選択品質レベル（Ｓｑｕａｌ又はＳｒｘｌｅｖ）が閾値（ＳＩｎｔerＳｅａｒｃｈＰ又はＳＩｎｔerＳｅａｒｃｈＱ）よりも小さい場合に、Ｉｎｔｅｒ−ｆｒｅｑｕｅｎｃｙの測定を開始する。このような前提下において、ＵＥ１００は、閾値（ＳＩｎｔｒａＳｅａｒｃｈＰ又はＳＩｎｔｒａＳｅａｒｃｈＱ）の設定を無視して、再選択要求信号の受信に応じて、Ｉｎｔｒａ−ｆｒｅｑｕｅｎｃｙの測定を開始してもよい。或いは、ＵＥ１００は、閾値（ＳＩｎｔerＳｅａｒｃｈＰ又はＳＩｎｔerＳｅａｒｃｈＱ）を無視して、再選択要求信号の受信に応じて、Ｉｎｔｅｒ−ｆｒｅｑｕｅｎｃｙの測定を開始してもよい。或いは、ＵＥ１００は、セル選択品質レベル（Ｓｑｕａｌ又はＳｒｘｌｅｖ）を最小値として扱って、再選択要求信号の受信に応じて、測定対象周波数の品質の測定を開始してもよい。
【０２２９】
（ルール３）
第２再選択処理に適用されるルール３は、ランキング処理において対象セルを選択するルールである。第１処理に適用されるルールでは、最もランキングの高いセル又は現在のサービングセルよりもランキングの高いセルが対象セルとして選択される。これに対して、第２再選択処理に適用されるルール３では、以下のような処理が行われる。
【０２３０】
例えば、ＵＥ１００は、対象セルの選択において、ランダム性を有する値を用いて対象セルを選択する。例えば、ＵＥ１００は、所定品質基準（Ｓ−ｃｒｉｔｅｒｉａやＲ−ｃｒｉｔｅｒｉａ）を満たす品質を有するセルを特定し、特定されたセル（選択候補セル）の中から、ランダム性を有する値に基づいて、対象セルを選択する。このようなケースにおいて、ＵＥ１００は、ランダム性を有する値に基づいて、選択候補セルのランキングを補正する。なお、ランダム性を有する値は、例えば、ＵＥ−ＩＤ、乱数、ＡＣである。
【０２３１】
或いは、ＵＥ１００は、最もランキングの高くないセルを対象セルとして選択してもよく、ＵＥ１００は、現在のサービングセルよりもランキングの高くないセルを対象セルとして選択してもよい。
【０２３２】
或いは、ＵＥ１００は、ランキング処理において、ＲＳＲＰ以外の品質（ＲＳＲＱ又はＳＩＮＲなど）に基づいて、現在のサービングセル又は隣接セルのランキングを決定してもよい。このようなルールは、上述した“Ｒ−ｃｒｉｔｅｒｉａ”の拡張と考えてもよい。
【０２３３】
（ルール４）
第２再選択処理に適用されるルール４では、ＵＥ１００は、対象セルの再選択に関する時間閾値を用いない。具体的には、時間閾値は、隣接セルのセル選択品質レベル（Ｓｑｕａｌ又はＳｒｘｌｅｖ）が所定条件を継続して満たす時間と比較される所定期間（ＴｒｅｓｅｌｅｃｔｉｏｎＲＡＴ）、現在のサービングセルに在圏してから経過した時間と比較される禁止時間閾値（例えば、１秒）である。すなわち、第２再選択処理において、ＵＥ１００は、所定期間（ＴｒｅｓｅｌｅｃｔｉｏｎＲＡＴ）又は禁止時間閾値（例えば、１秒）をゼロとして扱う。或いは、ＵＥ１００は、所定期間（ＴｒｅｓｅｌｅｃｔｉｏｎＲＡＴ）又は禁止時間閾値（例えば、１秒）を無視する。
【０２３４】
（ルール５）
第２再選択処理に適用されるルール５では、第２再選択処理が適用される期間が一定期間に亘って継続する。
【０２３５】
例えば、第２再選択処理によって第１セルが対象セルとして選択された後に、第２再選択処理によって第２セルが対象セルとして選択されるまで、第２再選択処理が適用される。
【０２３６】
或いは、タイマが起動中である期間において、第２再選択処理が適用される。タイマは、再選択要求信号の受信によって起動されてもよく、第２再選択処理における対象セルの選択によって起動されてもよい。タイマの起動時間は、現在のサービングセルから報知されてもよく、再選択要求信号に含まれていてもよい。
【０２３７】
或いは、第２再選択処理を解除するメッセージ（例えば、Ｒｅｓｅｌｅｃｔｉｏｎ  Ｒｅｑｕｅｓｔ  Ｃａｎｃｅｌ）を受信するまで、第２再選択処理が適用されてもよい。
【０２３８】
［変更例１０］
以下において、第２実施形態の変更例１０について説明する。以下においては、第２実施形態に対する相違点について主として説明する。
【０２３９】
第２実施形態では、セルの再選択処理において、測定対象又は選択対象の周波数（以下、測定対象周波数）について特に触れていない。測定対象周波数は、一般的には、現在のサービングセルから報知される報知情報に含まれる。報知情報は、例えば、Ｉｎｔｒａ−ｆｒｅｑｕｅｎｃｙの測定周波数を指定するＳＩＢ４であってもよく、Ｉｎｔｅｒ−Ｆｒｅｑｕｅｎｃｙの測定周波数を指定するＳＩＢ５であってもよい。これに対して、変更例１０では、ＲＲＣアイドル状態のＵＥ１００を各セルに適切に配分するための処理（以下、ＵＥ分配処理）において、測定対象周波数を絞り込む方法について説明する。測定対象周波数の絞り込み方法は、例えば、以下に示す通りである。
【０２４０】
（第１方法）
第１方法では、測定対象周波数は、現在のサービングセルの周波数の優先度（ｃｅｌｌＲｅｓｅｌｅｃｔｉｏｎＰｒｉｏｒｉｔｙ）と同じ優先度を有する周波数に絞り込まれる。
【０２４１】
（第２方法）
第２方法では、周波数の優先度として、既存優先度（第１優先度）に加えて、拡張優先度（第２優先度）が導入される。測定対象周波数は、現在のサービングセルの周波数の既存優先度と同じ既存優先度を有しており、かつ、現在のサービングセルの周波数の拡張優先度と同じ拡張優先度を有する周波数に絞り込まれる。
【０２４２】
（第３方法）
第３方法では、第２方法と同様に、周波数の優先度として、既存優先度（第１優先度）に加えて、拡張優先度（第２優先度）が導入される。測定対象周波数は、既存優先度に依存せずに、拡張優先度が設定されている周波数に絞り込まれる。
【０２４３】
（第４方法）
第４方法では、第２方法と同様に、周波数の優先度として、既存優先度（第１優先度）に加えて、拡張優先度（第２優先度）が導入される。測定対象周波数は、既存優先度に依存せずに、現在のサービングセルの周波数の拡張優先度と同じ拡張優先度を有する周波数に絞り込まれる。
【０２４４】
（第５方法）
第５方法では、第１方法〜第４方法によって絞り込まれた周波数の優先度よりも高い優先度を有する周波数が検出された場合には、上述した選択条件（Ｂ１）〜（Ｂ３）のいずれかが満たされた場合に対象セルを選択する処理（すなわち、変更例９で説明した第１再選択処理）が適用されてもよい。
【０２４５】
変更例１０では、ＵＥ分配処理において測定対象周波数を絞り込む方法について説明した。ここで、ＵＥ分配処理とは、第２実施形態〜変更例９に示す方法のうち、いずれの方法であってもよい。例えば、ＵＥ分配処理は、変更例１、３、８で説明したように、ランダム性を有する値を用いて対象セルを選択する処理であってもよい。或いは、ＵＥ分配処理は、変更例２で説明したように、グループ毎に異なる再選択パラメータを用いて対象セルを選択する処理であってもよい。ＵＥ分配処理は、変更例４、５、７、９で説明したように、トリガー通知（例えば、再選択要求信号）に応じて対象セルを選択する処理であってもよい。
【０２４６】
［変更例１１］
以下において、第２実施形態の変更例１１について説明する。以下においては、変更例５に対する相違点について主として説明する。
【０２４７】
変更例５では、ＵＥ１００（受信部）は、対象セルの再選択を要求する再選択要求信号を現在のサービングセルから受信する。ＵＥ１００（制御部）は、再選択要求信号の受信に応じて、対象セルの再選択を行う。
【０２４８】
これに対して、変更例１１では、ＵＥ１００（制御部）は、再選択要求信号を受信し、かつ、所定トリガー条件が満たされる場合に、対象セルの再選択を行ってもよい。すなわち、ＵＥ１００（制御部）は、再選択要求信号を受信した場合であっても、所定トリガー条件が満たされない場合に、対象セルの再選択を行わなくてもよい。
【０２４９】
変更例１１において、所定トリガー条件は、現在のサービングセルの周波数の優先度（ｃｅｌｌＲｅｓｅｌｅｃｔｉｏｎＰｒｉｏｒｉｔｙ）が高優先度（Ｈｉｇｈ  Ｐｒｉｏｒｉｔｙ）ではないという条件である。
【０２５０】
例えば、現在のサービングセルがＣＳＧ（Ｃｌｏｓｅｄ  Ｓｕｂｓｃｒｉｂｅｒ  Ｇｒｏｕｐ）セルである場合には、ＣＳＧセルの周波数の優先度が高優先度に設定される。このようなケースにおいて、所定トリガー条件は、現在のサービングセルがＣＳＧセルではないことである。従って、ＵＥ１００は、再選択要求信号を受信し、かつ、現在のサービングセルがＣＳＧセルでない場合に、対象セルの再選択を行う。一方で、ＵＥ１００は、再選択要求信号を受信した場合であっても、現在のサービングセルがＣＳＧセルである場合に、対象セルの再選択を行わない。但し、現在のサービングセルの隣接セルにＣＳＧセルが含まれる場合には、ＵＥ１００は、現在のサービングセルがＣＳＧセルであっても、対象セルの再選択を行ってもよい。
【０２５１】
或いは、現在のサービングセルの周波数においてＤ２Ｄ近傍サービス（Ｄ２Ｄ  ＰｒｏＳｅ）が設定されている場合には、現在のサービングセルの優先度が高優先度に設定される。このようなケースにおいて、所定トリガー条件は、現在のサービングセルの周波数においてＤ２Ｄ近傍サービスが設定されていないこと、或いは、現在のサービングセルに在圏していなくてもＤ２Ｄ近傍サービスが設定可能であることである。従って、ＵＥ１００は、現在のサービングセルの周波数においてＤ２Ｄ近傍サービスが設定されていないケース、或いは、現在のサービングセルに在圏していなくてもＤ２Ｄ近傍サービスが設定可能であるケースにおいて、再選択要求信号を受信した場合に、対象セルの再選択を行う。一方で、ＵＥ１００は、再選択要求信号を受信した場合であっても、現在のサービングセルの周波数においてＤ２Ｄ近傍サービスが設定されており、かつ、現在のサービングセルに在圏していないとＤ２Ｄ近傍サービスが設定できない場合に、対象セルの再選択を行わない。なお、Ｄ２Ｄ近傍サービスが設定可能であるか否かは、ネットワーク（ｅＮＢ２００など）の設定だけではなくて、ＵＥ１００の能力（Ｃａｐａｂｉｌｉｔｙ）によっても影響される。
【０２５２】
或いは、現在のサービングセルの周波数で提供されるＭＢＭＳサービスにＵＥ１００が興味を有する場合には、現在のサービングセルの優先度が高優先度に設定される。このようなケースにおいて、所定トリガー条件は、現在のサービングセルの周波数で提供されるＭＢＭＳサービスにＵＥ１００が興味を有していないこと、或いは、現在のサービングセルの隣接セルの周波数でＵＥ１００が興味を有するＭＢＭＳサービスが提供されていることである。従って、ＵＥ１００は、現在のサービングセルの周波数で提供されるＭＢＭＳサービスにＵＥ１００が興味を有していないケース、或いは、現在のサービングセルの隣接セルの周波数でＵＥ１００が興味を有するＭＢＭＳサービスが提供されているケースにおいて、再選択要求信号を受信した場合に、対象セルの再選択を行う。一方で、ＵＥ１００は、再選択要求信号を受信した場合であっても、現在のサービングセルの周波数で提供されるＭＢＭＳサービスにＵＥ１００が興味を有しており、かつ、現在のサービングセルの隣接セルの周波数でＵＥ１００が興味を有するＭＢＭＳサービスが提供されていない場合に、対象セルの再選択を行わない。
【０２５３】
［変更例１２］
以下において、第２実施形態の変更例１２について説明する。以下においては、変更例５に対する相違点について主として説明する。
【０２５４】
変更例５では、再選択パラメータが、現在のサービングセルの周波数の優先度（ｃｅｌｌＲｅｓｅｌｅｃｔｉｏｎＰｒｉｏｒｉｔｙ）を最低の優先度（ｌｏｗｅｓｔ  ｐｒｉｏｒｉｔｙ）に変更するように指定するパラメータであるケースを例示した。これに対して、変更例１２では、最低の優先度（ｌｏｗｅｓｔ  ｐｒｉｏｒｉｔｙ）の定義について明確にする。
【０２５５】
具体的には、最低の優先度とは、ネットワーク（ｅＮＢ２００）側で設定可能な優先度のうち、最も低い優先度よりも低い優先度であってもよい。
【０２５６】
或いは、最低の優先度は、現在のサービングセルの隣接セルから報知される報知情報（ＳＩＢ５等）に含まれており、ＵＥ１００によって受信される報知情報に含まれる優先度（ｃｅｌｌＲｅｓｅｌｅｃｔｉｏｎＰｒｉｏｒｉｔｙ）のうち、最も低い優先度よりも低い優先度であってもよい。すなわち、最低の優先度は、隣接セルの優先度のうち、最も低い優先度よりも低い優先度であってもよい。
【０２５７】
ここで、ＵＥ１００は、変更例５で既に記載したように、現在のサービングセルから報知される報知情報（ＳＩＢ３）に含まれる優先度（ｃｅｌｌＲｅｓｅｌｅｃｔｉｏｎＰｒｉｏｒｉｔｙ）を最低の優先度に読み替えてもよい。
【０２５８】
なお、優先度（ｃｅｌｌＲｅｓｅｌｅｃｔｉｏｎＰｒｉｏｒｉｔｙ）が取り得る範囲が０〜７の範囲であり、大きな値が高い優先度を表している場合において、最低の優先度はマイナスの値であってもよい。
【０２５９】
さらに、再選択要求信号は、現在のサービングセルの周波数の優先度（ｃｅｌｌＲｅｓｅｌｅｃｔｉｏｎＰｒｉｏｒｉｔｙ）を最低の優先度に読み替えるか否かを示す識別子を含んでもよい。例えば、ＭＢＭＳサービスを現在のサービングセルが提供している場合に、現在のサービングセルは、現在のサービングセルの周波数の優先度を最低の優先度に読み替える旨を示す識別子を含む再選択要求信号を送信する。一方で、ＭＢＭＳサービスを現在のサービングセルが提供していない場合に、現在のサービングセルは、現在のサービングセルの周波数の優先度を最低の優先度に読み替えない旨を示す識別子を含む再選択要求信号を送信する。
【０２６０】
［変更例１３］
以下において、第２実施形態の変更例１３について説明する。以下においては、変更例５に対する相違点について主として説明する。
【０２６１】
変更例５では、ＵＥ１００（受信部）は、対象セルの再選択を要求する再選択要求信号を現在のサービングセルから受信する。ＵＥ１００（制御部）は、再選択要求信号の受信に応じて、対象セルの再選択を行う。
【０２６２】
これに対して、変更例１３では、ＵＥ１００（制御部）は、再選択要求信号の受信に応じて対象セルの再選択（以下、ワンショット再選択）を行った後において、対象セルの再選択（以下、ポスト再選択）をさらに行ってもよい。ここで、ＵＥ１００は、変更例５，１２に記載したように、ワンショット再選択において、現在のサービングセル（又は、現在のサービングセルの周波数）の優先度を最低の優先度に読み替えた上で、最低の優先度よりも高い優先度を有する隣接セル（又は、周波数の隣接セル）を対象セルとして選択する。
【０２６３】
ここで、ワンショット再選択において、最低の優先度よりも高い優先度を有する隣接セル（又は、周波数の隣接セル）が２以上見つかるケースが想定される。このようなケースにおいて、ＵＥ１００は、ワンショット再選択に続けてポスト再選択を行うことによって、最適なセルを対象セルとして選択し直すことができる。
【０２６４】
ＵＥ１００は、隣接セル（又は、隣接セルの周波数）の優先度が現在のサービングセルの優先度と同じである場合にのみ、ポスト再選択を行ってもよい。すなわち、ＵＥ１００は、ワンショット再選択で対象セルとして選択されたセル（又は、セルの周波数）の優先度と同じ優先度を有する隣接セル（又は、周波数の隣接セル）が存在する場合に、ポスト再選択を行ってもよい。或いは、ＵＥ１００は、ワンショット再選択において、同じ優先度を有する２以上の隣接セルが対象セルとして見つかった場合に、ポスト再選択を行ってもよい。一方で、ＵＥ１００は、ワンショット再選択で対象セルとして選択されたセル（又は、セルの周波数）の優先度と同じ優先度を有する隣接セル（又は、周波数の隣接セル）が存在しない場合に、ポスト再選択を省略してもよい。或いは、ＵＥ１００は、ワンショット再選択において、同じ優先度を有する２以上の隣接セルが対象セルとして見つからなかった場合に、ポスト再選択を行ってもよい。ここで、ポスト選択処理は、同じ優先度を有する隣接セル（又は、隣接セルの周波数）の測定の実施によって開始してもよい。
【０２６５】
これらの表現を言い換えると、第２実施形態の（Ａ２）で説明した処理、すなわち、現在のサービングセルの品質（例えば、Ｓｒｘｌｅｖ及びＳｑｕａｌ）が所定閾値（ＳｎｏｎＩｎｔｒａＳｅａｒｃｈＰ及びＳｎｏｎＩｎｔｒａＳｅａｒｃｈＱ）を下回った場合に、現在のサービングセルの周波数の優先度と等しい優先度又は低い優先度を有する周波数の測定を開始するという処理は、以下のように修正される。具体的には、ＵＥ１００は、現在のサービングセルの品質（例えば、Ｓｒｘｌｅｖ及びＳｑｕａｌ）が所定閾値（ＳｎｏｎＩｎｔｒａＳｅａｒｃｈＰ及びＳｎｏｎＩｎｔｒａＳｅａｒｃｈＱ）を下回っており、又は、現在のサービングセルがワンショット再選択で選択されたセルである場合に、現在のサービングセルの周波数の優先度と等しい優先度又は低い優先度を有する周波数の測定を開始する。一方で、ＵＥ１００は、現在のサービングセルの品質（例えば、Ｓｒｘｌｅｖ及びＳｑｕａｌ）が所定閾値（ＳｎｏｎＩｎｔｒａＳｅａｒｃｈＰ及びＳｎｏｎＩｎｔｒａＳｅａｒｃｈＱ）を上回っており、かつ、現在のサービングセルがワンショット再選択で選択されたセルでない場合に、現在のサービングセルの周波数の優先度と等しい優先度又は低い優先度を有する周波数の測定を開始しなくてもよい。すなわち、このような場合に、ポスト再選択処理を省略してもよい。
【０２６６】
なお、セル（又は、セルの周波数）の優先度は、各セルから報知される報知情報（ＳＩＢ３又はＳＩＢ５等）に含まれており、報知情報に基づいて優先度をＵＥ１００が把握してもよい。
【０２６７】
変更例１３において、ワンショット再選択後に実行されるポスト再選択は１回だけでもよい。すなわち、ワンショット再選択後において、２回以上のポスト再選択が行われなくてもよい。
【０２６８】
変更例１３において、ＵＥ１００は、ワンショット再選択の実行に応じて起動するタイマを有しており、タイマ値が閾値に達するまでの間において、ポスト再選択を行ってもよい。タイマ値と比較される閾値は、現在のサービングセルから報知される報知情報（ＳＩＢ又はページング信号）に含まれていてもよい。タイマ値と比較される閾値は、上述した再選択要求信号に含まれてもよい。なお、タイマ値が閾値に達するまでの間に実行されるポスト再選択は１回だけであってもよい。すなわち、タイマ値が閾値に達するまでの間において、２回以上のポスト再選択が行われなくてもよい。或いは、ＵＥ１００は、ポスト再選択の実行に応じて起動するタイマを有しており、タイマ値が閾値に達するまでの間において、次のポスト再選択を実行せずに、タイマ値が閾値に達した場合に、次のポスト再選択を実行してもよい。ＵＥ１００は、タイマ値が閾値に達した場合に、次のポスト再選択が実行されると、タイマのリセット又は再起動を行ってもよい。但し、ＵＥ１００は、タイマ値が閾値に達するまでの間であっても、上述した第２実施形態で説明した品質測定（例えば、（Ａ１）〜（Ａ２））及びセル再選択処理（例えば、（Ｂ１〜（Ｂ３））を実行してもよい。例えば、ＵＥ１００は、タイマ値が閾値に達するまでの間であっても、現在のサービングセルの品質（例えば、Ｓｒｘｌｅｖ及びＳｑｕａｌ）が所定閾値（ＳｎｏｎＩｎｔｒａＳｅａｒｃｈＰ及びＳｎｏｎＩｎｔｒａＳｅａｒｃｈＱ）を下回っている場合には、隣接セル（又は、隣接セルの周波数）の品質測定を実行するとともに、セル再選択処理を実行してもよい。
【０２６９】
変更例１３に係るワンショット再選択において、変更例５又は変更例１２と同様に、現在のサービングセルから報知される報知情報（ＳＩＢ３）に含まれる優先度（ｃｅｌｌＲｅｓｅｌｅｃｔｉｏｎＰｒｉｏｒｉｔｙ）が最低の優先度に読み替えられてもよい。このようなケースにおいて、ＵＥ１００は、ポスト再選択において、ワンショット再選択の要求を行ったセル（又はセルの周波数）の優先度（ｃｅｌｌＲｅｓｅｌｅｃｔｉｏｎＰｒｉｏｒｉｔｙ）を依然として最低の優先度として扱ってもよい。これによって、ネットワークの設定不備等が生じた場合であっても、ワンショット再選択を行う前のセルが対象セルとして選択されるピンポン現象が抑制される。
【０２７０】
［変更例１４］
以下において、第２実施形態の変更例１４について説明する。以下においては、変更例５に対する相違点について主として説明する。
【０２７１】
変更例１４において、ｅＮＢ２００（セル）は、再選択要求信号の送信によってＵＥ１００に対象セルの再選択を促す処理（以下、ＵＥ配分処理）を行う場合に、Ｘ２インターフェイスを介して、ＵＥ配分処理を行う旨を含むメッセージを隣接ｅＮＢに通知してもよい。ＵＥ配分処理を行っている旨を含むメッセージを通知するタイミングは、ＵＥ配分処理を行う前であってもよく、ＵＥ配分処理を行っている途中であってもよく、ＵＥ配分処理を行った後であってもよい。ここで、ＵＥ配分処理を行っている途中とは、再選択要求信号の繰り返し送信を行う場合において、最初の再選択要求信号を送信するタイミングから最後の再選択要求信号を送信するタイミングまでの間である。このようなケースにおいて、ＵＥ配分処理を行う前とは、最初の再選択要求信号を送信するタイミングよりも前であってもよい。ＵＥ配分処理を行った後とは、最後の再選択要求信号を送信するタイミングよりも後であってもよい。
【０２７２】
さらに、ｅＮＢ２００は、Ｘ２インターフェイスを介してＵＥ配分処理を行う旨を含むメッセージを隣接ｅＮＢに通知した後において、ＵＥ配分処理が終了した場合に、Ｘ２インターフェイスを介してＵＥ配分処理が終了した旨を含むメッセージを隣接ｅＮＢに通知してもよい。
【０２７３】
第１に、ＵＥ配分処理を行う旨が通知された隣接ｅＮＢは、ＵＥ配分処理を行う旨を通知したｅＮＢ２００（セル）が対象セルとして選択されないようにする処理（以下、再選択制限処理）を行う。
【０２７４】
例えば、ＵＥ配分処理を行う旨が通知された隣接ｅＮＢは、ＵＥ配分処理を行う旨を通知したｅＮＢ２００（セル）の優先度を自局で管理するセルの優先度よりも低く設定してもよい。隣接ｅＮＢは、新たに設定されたｅＮＢ２００（セル）の優先度を報知してもよい。
【０２７５】
或いは、ＵＥ配分処理を行う旨が通知された隣接ｅＮＢは、ＵＥ配分処理を行う旨を通知したｅＮＢ２００（セル）を対象セルとして選択すべきではないリスト（以下、ブラックリスト）に追加してもよい。隣接ｅＮＢは、ｅＮＢ２００（セル）が追加されたブラックリストを報知してもよい。
【０２７６】
第２に、ＵＥ配分処理を行う旨が通知された隣接ｅＮＢは、ＵＥ配分処理を行う旨を通知したｅＮＢ２００（セル）に対するハンドオーバを制限する処理（以下、ハンドオーバ制限処理）を行う。
【０２７７】
例えば、ＵＥ配分処理を行う旨が通知された隣接ｅＮＢは、測定対象（Ｍｅａｓｕｒｅｍｅｎｔ  Ｃｏｎｆｉｇｕｒａｔｉｏｎ）からＵＥ配分処理を行う旨を通知したｅＮＢ２００（セル）を除外してもよい。
【０２７８】
或いは、ＵＥ配分処理を行う旨が通知された隣接ｅＮＢは、ＵＥ配分処理を行う旨を通知したｅＮＢ２００（セル）に対するハンドオーバ要求の送信を制限してもよい。或いは、ＵＥ配分処理を行う旨が通知された隣接ｅＮＢは、ＵＥ配分処理を行う旨を通知したｅＮＢ２００（セル）に対するＤｕａｌ  ＣｏｎｎｅｃｔｉｖｉｔｙにおけるＳｅＮＢの追加要求の送信を制限してもよい。或いは、ＵＥ配分処理を行う旨が通知された隣接ｅＮＢは、ＵＥ配分処理を行う旨を通知したｅＮＢ２００（セル）に対して、Ｄｕａｌ  ＣｏｎｎｅｃｔｉｖｉｔｙにおけるＳｅＮＢから除外するメッセージを送信してもよい。
【０２７９】
ここで、隣接ｅＮＢは、再選択制限処理又はハンドオーバ制限処理の開始に応じて起動し、タイマ値が閾値に達した場合に、再選択制限処理又はハンドオーバ制限処理を解除してもよい。タイマ値と比較される閾値は、予め設定されていてもよく、ＵＥ配分処理を行う旨を示すメッセージに含まれていてもよく、ＯＡＭ（Ｏｐｅｒａｔｉｏｎ，Ａｄｍｉｎｉｓｔｒａｔｉｏｎ  ａｎｄ  Ｍａｎａｇｅｍａｎｅｔ）サーバから通知されてもよい。或いは、隣接ｅＮＢは、ＵＥ配分処理が終了した旨が通知された場合に、再選択制限処理又はハンドオーバ制限処理を解除してもよい。
【０２８０】
［変更例１５］
以下において、第２実施形態の変更例１５について説明する。以下においては、第２実施形態に対する相違点について主として説明する。
【０２８１】
第２実施形態では、ランダム性を有する値は、ＵＥ１００（制御部）が発生する乱数を含む。これに対して、変更例１５では、ランダム性を有する値は、ＵＥ１００（制御部）が発生する乱数を含まない。また、ＵＥ１００は、ランダム性を有する値を用いて対象セルの再選択を行うか否かを判定する。
【０２８２】
例えば、ランダム性を有する値は、ＵＥ１００に固有の値（ＵＥ−ＩＤ）である。ＵＥ１００に固有の値（ＵＥ−ＩＤ）は、現在のサービングセルによって割り当てられる識別子（ＲＮＴＩ；Ｒａｄｉｏ  Ｎｅｔｗｏｒｋ  Ｔｅｍｐｏｒａｒｙ  Ｉｄｅｎｔｉｆｉｅｒ）であってもよく、予めＵＥ１００に一意に割り当てられる識別子（ＩＭＳＩ；Ｉｎｔｅｒｎａｔｉｏｎａｌ  Ｍｏｂｉｌｅ  Ｓｕｂｓｃｒｉｂｅｒ  Ｉｄｅｎｔｉｔｙ）であってもよく、ＵＥ１００の位置登録に応じて割り当てられる識別子（Ｓ−ＴＭＳＩ；ＳＡＥ−Ｔｅｍｐｏｒａｒｙ  Ｍｏｂｉｌｅ  Ｓｕｂｓｃｒｉｂｅｒ  Ｉｄｅｎｔｉｔｙ）であってもよい。
【０２８３】
変更例１５において、ＵＥ１００は、ＵＥ１００に固有の値及び現在のサービングセルから受信する値に基づいて、対象セルの再選択を行うか否かを判定する。具体的には、現在のサービングセルから受信する値は、対象セルの再選択が行われる確率を定義する値（Ｎｐ）及びＵＥ１００間の公平性を担保するための値（Ｎｒ）を含む。Ｎｐ及びＮｒは、現在のサービングセルから報知される報知情報に含まれてもよい。ＵＥ１００間の公平性を担保するために、Ｎｒは所定周期で変更されることが好ましい。但し、Ｎｐは、現在のサービングセルから報知される報知情報によらずに、予め定められた値であってもよい。同様に、Ｎｒは、現在のサービングセルから報知される報知情報によらずに、予め定められた値であってもよい。
【０２８４】
例えば、ＵＥ１００は、（ＵＥ−ＩＤｍｏｄＮｐ）＝Ｎｒの条件が満たされた場合に、対象セルの再選択を行ってもよい。このようなケースにおいて、ＵＥ１００は、（ＵＥ−ＩＤｍｏｄＮｐ）＝Ｎｒの条件が満たされない場合に、対象セルの再選択を行わない。上述したように、ＵＥ−ＩＤとしては、ＲＮＴＩ、ＩＭＳＩ及びＳ−ＴＭＳＩを用いることが可能である。従って、上述した式において、ＵＥ−ＩＤは、ＲＮＴＩ、ＩＭＳＩ及びＳ−ＴＭＳＩのいずれかと読み替えてもよい。
【０２８５】
ここで、ランダム性を有する値を用いて対象セルの再選択を行うか否かを判定するタイミングは、第２実施形態で説明した「所定タイミング」であってもよい。所定タイミングは、例えば、現在のサービングセルから受信するシステム情報（ＳＩＢ；Ｓｙｓｔｅｍ  Ｉｎｆｏｒｍａｔｉｏｎ  Ｂｌｏｃｋ）に基づいて特定される。なお、所定タイミングは、対象セルの選択に伴って隣接セルの品質測定を開始するタイミングを意味する。
【０２８６】
第２実施形態で説明したように、システム情報は、隣接セルの品質測定を直ちに開始することを意味していてもよい。このようなケースにおいて、ＵＥ１００は、システム情報を受信するタイミングを所定タイミングとして特定し、システム情報の受信に応じて隣接セルの品質測定を開始する。
【０２８７】
或いは、システム情報は、隣接セルの品質測定を開始すべきサブフレーム番号を含んでもよい。ＵＥ１００は、システム情報に含まれるサブフレーム番号を所定タイミングとして特定し、特定されたサブフレーム番号で隣接セルの品質測定を開始する。
【０２８８】
或いは、システム情報は、所定タイミングの周期を示す情報を含んでもよい。例えば、システム情報は、隣接セルの品質測定、対象セルの再選択若しくは再配分処理を終了したタイミングで起動されるタイマに設定すべきタイマ値を含む。ＵＥ１００は、タイマ値がセットされたタイマが満了したタイミングを所定タイミングとして特定し、特定されたタイミングで隣接セルの品質測定を開始する。なお、再配分処理とは、後述するＯＳＳ（Ｏｎｅ  Ｓｈｏｔ  Ｓｈｃｅｍｅ）又はＣＲＳ（Ｃｏｎｔｉｎｕｏｕｓ  Ｒｅ-Ｄｉｓｔｒｉｂｕｔｉｏｎ  Ｓｃｈｅｍｅ）などである。
【０２８９】
変更例１５においては、ＵＥ１００間の公平性を担保するための値（Ｎｒ）が現在のサービングセルから報知される報知情報に含まれるケースについて例示した。しかしながら、変更例１５はこれに限定されるものではない。例えば、所定タイミングを含むフレーム番号又はサブフレーム番号がＮｒとして用いられてもよい。例えば、システム情報が隣接セルの品質測定を直ちに開始することを意味する場合には、システム情報を受信するフレーム番号又はサブフレーム番号がＮｒとして用いられる。或いは、システム情報が隣接セルの品質測定を開始すべきサブフレーム番号を含む場合には、隣接セルの品質測定を開始すべきフレーム番号又はサブフレーム番号がＮｒとして用いられる。
【０２９０】
或いは、ＵＥ１００間の公平性を担保するための値（Ｎｒ）として、システム情報（ＳＩＢ）の内容の更新に応じてインクリメントされる値（ｓｙｓｔｅｍＩｎｆｏＶａｌｕｅＴａｇ）が用いられてもよい。ｓｙｓｔｅｍＩｎｆｏＶａｌｕｅＴａｇは、現在のサービングセルから報知される報知情報（ＳＩＢ１）に含まれる。
【０２９１】
なお、Ｎｒ＜Ｎｐの関係が満たされるようにＮｒの値が選択されることが好ましい。或いは、ＵＥ１００は、（ＵＥ−ＩＤｍｏｄＮｐ）＝（ＮｒｍｏｄＮｐ）の条件が満たされた場合に、対象セルの再選択を行ってもよい。このようなケースにおいて、ＵＥ１００は、（ＵＥ−ＩＤｍｏｄＮｐ）＝（ＮｒｍｏｄＮｐ）の条件が満たされない場合に、対象セルの再選択を行わない。
【０２９２】
ここで、ＵＥ１００は、（ＵＥ−ＩＤｍｏｄＮｐ）＞（ＮｒｍｏｄＮｐ）、（ＵＥ−ＩＤｍｏｄＮｐ）＜（ＮｒｍｏｄＮｐ）、（ＵＥ−ＩＤｍｏｄＮｐ）＝（ＮｒｍｏｄＮｐ）の３種類の条件の中から選択された１以上の条件が満たされた場合に、対象セルの再選択を行ってもよい。３種類の条件の中から選択される１以上の条件（すなわち、上述した式の等号又は不等号）は、現在のサービングセルから報知される報知情報に含まれてもよい。
【０２９３】
或いは、ＵＥ１００間の公平性を担保するための値（Ｎｒ）として、複数のＮｒ（例えば、Ｎｒ１及びＮｒ２）が設定されてもよい。このようなケースにおいて、ＵＥ１００は、（ＵＥ−ＩＤｍｏｄＮｐ）＝（Ｎｒ１ｍｏｄＮｐ）の条件又は（ＵＥ−ＩＤｍｏｄＮｐ）＝（Ｎｒ２ｍｏｄＮｐ）の条件が満たされた場合に、対象セルの再選択を行ってもよい。
【０２９４】
或いは、対象セルの再選択が行われる確率を定義する値（Ｎｐ）として、複数のＮｐ（例えば、Ｎｐ１及びＮｐ２）が設定されてもよい。このようなケースにおいて、ＵＥ１００は、（ＵＥ−ＩＤｍｏｄＮｐ１）＝（ＮｒｍｏｄＮｐ１）の条件又は（ＵＥ−ＩＤｍｏｄＮｐ２）＝（ＮｒｍｏｄＮｐ２）の条件が満たされた場合に、対象セルの再選択を行ってもよい。
【０２９５】
［変更例１６］
以下において、第２実施形態の変更例１６について説明する。以下においては、第２実施形態に対する相違点について主として説明する。
【０２９６】
変更例１６において、ＵＥ１００（受信部）は、サービングセルとして選択される対象セルを配分するための再配分パラメータを現在のサービングセルから報知されている場合に、再配分パラメータを受信する。
【０２９７】
再配分パラメータは、周波数の優先度（ｃｅｌｌＲｅｓｅｌｅｃｔｉｏｎＰｒｉｏｒｉｔｙ）、セルの優先度（ＣＳＰ；Ｃｅｌｌ  Ｓｐｅｃｉｆｉｃ  Ｐｒｉｏｒｉｔｙ）、所定期間（ＴｒｅｓｅｌｅｃｔｉｏｎＲＡＴ）、各種オフセット（Ｑｑｕａｌｍｉｎｏｆｆｓｅｔ、Ｑｒｘｌｅｖｍｉｎｏｆｆｓｅｔ、Ｑｏｆｆｓｅｔｔｅｍｐ、ＱＨｙｓｔ、Ｑｏｆｆｓｅｔ）、各種閾値（ＴｈｒｅｓｈＸ，ＨｉｇｈＱ、ＴｈｒｅｓｈＸ，ＨｉｇｈＰ、ＴｈｒｅｓｈＳｅｒｖｉｎｇ，ＬｏｗＱ、ＴｈｒｅｓｈＳｅｒｖｉｎｇ，ＬｏｗＰ）の中から選択された１以上のパラメータを含む。再配分パラメータは、例えば、現在のサービングセルから報知されるシステム情報（ＳＩＢ；Ｓｙｓｔｅｍ  Ｉｎｆｏｒｍａｔｉｏｎ  Ｂｌｏｃｋ）に含まれる。
【０２９８】
このような前提下において、ＵＥ１００（制御部）は、再配分パラメータを現在のサービングセルから受信している場合に、再選択要求信号の受信に応じて、再配分パラメータを用いた第１再配分処理を行う。一方で、ＵＥ１００（制御部）は、再配分パラメータを現在のサービングセルから受信していない場合に、再選択要求信号の受信に応じて、再配分パラメータを用いない第２再配分処理を行う。なお、再選択要求信号は、変更例７と同様に、ｅＮＢ２００（サービングセル）から報知されるページング信号に含まれてもよい。
【０２９９】
具体的には、ＵＥ１００は、第１再配分処理において、変更例５と同様の処理、すなわち、再選択要求信号の受信に応じて行われる対象セルの再選択を行う。但し、第１再配分処理では、上述したように、再配分パラメータが用いられる。
【０３００】
一方で、ＵＥ１００は、第２再配分処理において、現在のサービングセルが対象セルとして選択されにくくする。例えば、第２再配分処理としては、以下の処理が考えられる。
【０３０１】
第１に、ＵＥ１００は、第２再配分処理において、現在のサービングセルの周波数の優先度（ｃｅｌｌＲｅｓｅｌｅｃｔｉｏｎＰｒｉｏｒｉｔｙ）を相対的に下げてもよい。例えば、ＵＥ１００は、現在のサービングセルの周波数の優先度（ｃｅｌｌＲｅｓｅｌｅｃｔｉｏｎＰｒｉｏｒｉｔｙ）を最低の優先度（ｌｏｗｅｓｔ  ｐｒｉｏｒｉｔｙ）に変更する。或いは、ＵＥ１００は、現在のサービングセル以外の周波数の優先度を上げてもよい。
【０３０２】
第２に、ＵＥ１００は、第２再配分処理において、現在のサービングセルの優先度（ＣＳＰ）を相対的に下げてもよい。例えば、ＵＥ１００は、現在のサービングセルの優先度（ＣＳＰ）を最低の優先度（ｌｏｗｅｓｔ  ｐｒｉｏｒｉｔｙ）に変更する。或いは、ＵＥ１００は、現在のサービングセル以外のセルの優先度を上げてもよい。
【０３０３】
第３に、ＵＥ１００は、第２再配分処理において、現在のサービングセルの周波数と同じ周波数を有するセルの少なくとも１つのセルについてセルの優先度（ＣＳＰ）が設定されている場合に、現在のサービングセルの優先度（ＣＳＰ）を相対的に下げてもよい。一方で、ＵＥ１００は、第２再配分処理において、現在のサービングセルの周波数と同じ周波数を有する全てのセルについて優先度（ＣＳＰ）が設定されていない場合に、現在のサービングセルの周波数の優先度（ｃｅｌｌＲｅｓｅｌｅｃｔｉｏｎＰｒｉｏｒｉｔｙ）を相対的に下げてもよい。
【０３０４】
第４に、再選択要求信号は、第２再選択処理で適用するべき優先度を指定する所定値を含んでいてもよい。このようなケースにおいて、ＵＥ１００は、所定値が第１値（例えば、０）である場合に、第２再配分処理において、現在のサービングセルの周波数の優先度を相対的に下げ、所定値が第２値（例えば、１）である場合に、第２再配分処理において、現在のサービングセルの優先度（ＣＳＰ）を相対的に下げてもよい。
【０３０５】
［変更例１７］
以下において、第２実施形態の変更例１７について説明する。以下においては、第２実施形態に対する相違点について主として説明する。
【０３０６】
変更例１７において、ＵＥ１００（受信部）は、再選択要求信号の受信に応じて対象セルの再選択を行う再配分処理（ＯＳＳ（Ｏｎｅ  Ｓｈｏｔ  Ｓｈｃｅｍｅ））を適用するか否かを指示するインディケータ（ＯＳＳ  ａｐｐｌｉｃａｂｌｅ）を現在のサービングセルから受信する。インディケータは、例えば、現在のサービングセルから報知されるシステム情報（ＳＩＢ；Ｓｙｓｔｅｍ  Ｉｎｆｏｒｍａｔｉｏｎ  Ｂｌｏｃｋ）に含まれる。
【０３０７】
このような前提下において、ＵＥ１００（制御部）は、再配分処理（ＯＳＳ）の適用を指示するインディケータを受信しており、かつ、再配分パラメータを現在のサービングセルから受信していない場合に、再選択要求信号の受信に応じて、第２再配分処理を行ってもよい。ＵＥ１００（制御部）は、再配分処理（ＯＳＳ）の非適用を指示するインディケータを受信しており、かつ、再配分パラメータを現在のサービングセルから受信していない場合に、再選択要求信号の受信に応じて、第２再配分処理を行ってもよい。
【０３０８】
なお、ＵＥ１００は、再配分処理（ＯＳＳ）の非適用を指示するインディケータを受信しており、かつ、再配分パラメータを現在のサービングセルから受信している場合には、再選択要求信号に依存しないトリガーに応じて、再配分パラメータを用いて対象セルの再選択を行う（ＣＲＳ；Ｃｏｎｔｉｎｕｏｕｓ  Ｒｅ-Ｄｉｓｔｒｉｂｕｔｉｏｎ  Ｓｃｈｅｍｅ）。再選択要求信号に依存しないトリガーとは、例えば、タイマの満了などのトリガーである。タイマにセットされる値は、例えば、現在のサービングセルから報知されるシステム情報（ＳＩＢ；Ｓｙｓｔｅｍ  Ｉｎｆｏｒｍａｔｉｏｎ  Ｂｌｏｃｋ）に含まれる。
【０３０９】
［変更例１８］
以下において、第２実施形態の変更例１８について説明する。以下においては、第２実施形態に対する相違点について主として説明する。
【０３１０】
変更例１８において、ＵＥ１００（受信部）は、再配分パラメータが報知されているか否かを示す報知存在インディケータを受信する。報知存在インディケータは、例えば、現在のサービングセルから報知されるシステム情報（ＳＩＢ；Ｓｙｓｔｅｍ  Ｉｎｆｏｒｍａｔｉｏｎ  Ｂｌｏｃｋ）に含まれる。但し、報知存在インディケータは、再配分パラメータを含むシステム情報（例えば、ＳＩＢ３）を受信する前に取得すべきシステム情報（例えば、ＭＩＢ又はＳＩＢ１）に含まれることが好ましい。或いは、報知存在インディケータは、再選択要求信号を含むページング信号に含まれてもよい。
【０３１１】
また、ＵＥ１００（受信部）は、再配分パラメータの再取得が必要であるか否かを示す再取得インディケータを受信する。ＵＥ１００は、再配分パラメータの再取得が必要である旨を再取得インディケータが示す場合に、再配分パラメータを再取得する。再取得インディケータは、現在のサービングセルから報知されるシステム情報（ＳＩＢ；Ｓｙｓｔｅｍ  Ｉｎｆｏｒｍａｔｉｏｎ  Ｂｌｏｃｋ）に含まれてもよく、再選択要求信号を含むページング信号に含まれてもよい。
【０３１２】
このようなケースにおいて、ＵＥ１００（制御部）は、再配分パラメータの再取得が必要である旨を再取得インディケータが示す場合に、再取得後の再配分パラメータを用いて、第１再配分処理を行う。すなわち、ＵＥ１００は、再選択要求信号を受信しても、再配分パラメータが再取得されるまで、第１再配分処理をペンディングし、再配分パラメータが再取得されてから第１再配分処理を行う。一方で、ＵＥ１００（制御部）は、再配分パラメータの再取得が必要でない旨を再取得インディケータが示す場合に、再取得前の再配分パラメータを用いて、第１再配分処理を行う。すなわち、ＵＥ１００は、再選択要求信号を受信した場合に、再配分パラメータの再取得を待たずに、第１再配分処理を行う。
【０３１３】
変更例１８において、報知存在インディケータは、次のシステム変更期間（ＳＩ  Ｍｏｄｉｆｉｃａｔｉｏｎ  Ｐｅｒｉｏｄ）において、再配分パラメータが報知されるか否かを示す情報であってもよい。再取得インディケータは、次のシステム変更期間（ＳＩ  Ｍｏｄｉｆｉｃａｔｉｏｎ  Ｐｅｒｉｏｄ）において、再配分パラメータが変更されるか否かを示す情報であってもよい。このような構成によれば、報知存在インディケータ及び再取得インディケータを特定のＵＥ１００のみに通知することができる。
【０３１４】
さらに、一つの周波数に対して、周波数の優先度に係る再配分パラメータ及びセルの優先度に係る再配分パラメータの双方が現在のサービングセルから報知されているケースにおいて、どの再配分パラメータを適用すべきかを示す適用パラメータインディケータが現在のサービングセルから報知されてもよい。例えば、適用パラメータインディケータは、周波数の優先度に係る再配分パラメータを適用するか、セルの優先度に係る再配分パラメータを適用するか、周波数の優先度及びセルの優先度の双方に係る再配分パラメータを適用するかを示す。適用パラメータインディケータは、現在のサービングセルから報知されるシステム情報（ＳＩＢ；Ｓｙｓｔｅｍ  Ｉｎｆｏｒｍａｔｉｏｎ  Ｂｌｏｃｋ）に含まれてもよく、再選択要求信号を含むページング信号に含まれてもよい。適用パラメータインディケータを受信するＵＥ１００は、適用パラメータインディケータに基づいて、再配分処理で用いる再配分パラメータを決定する。
【０３１５】
［変更例１９］
以下において、第２実施形態の変更例１９について説明する。以下においては、第２実施形態に対する相違点について主として説明する。
【０３１６】
変更例１９において、ＵＥ１００（制御部）は、変更例１５と同様に、ＵＥ１００に固有の値に基づいて対象セルの再選択を行う。詳細には、ＵＥ１００は、ＵＥ１００に固有の値に加えて、周波数又はセル毎に異なる値を用いて、第１再配分処理又は第２再配分処理を行う。
【０３１７】
例えば、ＵＥ１００は、以下の式に従って、第１再配分処理又は第２再配分処理を行う。
【０３１８】
【数１】
2016163545.tif 000003
【０３１９】
但し、ｒｅｄｉｓｔｒＲａｎｇｅ［ｉ］は、ｉ番目の候補周波数のセルが対象セルとして選択される確率を規定する値であり、０以上１以下の値である。ｒｅｄｉｓｔｒＲａｎｇｅ［０］は、現在のサービングセルの周波数のセルが対象セルとして選択される確率を規定する値であり、０以上１以下の値である。ＵＥ＿ＩＤは、ＵＥに固有の値であり、ｏｆｆｓｅｔは、周波数又はセル毎に異なる値であり、０以上１００以下の値である。
【０３２０】
このようなケースにおいて、ｏｆｆｓｅｔを用いない場合には、「（ＵＥ＿ＩＤｍｏｄ１００）≦１００×ｒｅｄｅｉｔｒＲａｎｇｅ［０］」を満たす特定のＵＥ１００は、現在のサービングセルから他の周波数のセルに移動せずに、サービングセルに常に在圏し続けてしまう。すなわち、現在のサービングセルから移動しなくてもよい特定のＵＥ１００が固定されてしまう。このような事態を許容すると、特定のＵＥ１００と他のＵＥ１００との間で不公平が生じてしまう。これに対して、変更例１９では、ｏｆｆｓｅｔの導入によって、ＵＥ１００間の不公平を解消することができる。
【０３２１】
また、ｏｆｆｓｅｔを用いない場合には、「（ＵＥ＿ＩＤｍｏｄ１００）≦１００×ｒｅｄｅｉｔｒＲａｎｇｅ［０］」を満たす特定のＵＥ１００の初期分布によって、各セルに対するＵＥ１００の再配分の効果が影響される。これに対して、これに対して、変更例１９では、ｏｆｆｓｅｔの導入によって、「｛（ＵＥ＿ＩＤ＋ｏｆｆｓｅｔ）ｍｏｄ１００｝≦１００×ｒｅｄｅｉｔｒＲａｎｇｅ［０］」を満たす特定のＵＥ１００を特定の周波数に意図的に誘導することができる。さらに、各セルに在圏するＵＥ１００のＵＥ＿ＩＤのランダム性を考慮すると、「（ＵＥ＿ＩＤｍｏｄ１００）≦１００×ｒｅｄｅｉｔｒＲａｎｇｅ［０］」を満たす特定のＵＥ１００の初期分布によって各セルに対するＵＥ１００の再配分の効果が影響されるケースよりも、各セルに対してＵＥ１００を効果的に再配分することができる。
【０３２２】
変更例１９において、ｏｆｆｓｅｔは、例えば、現在のサービングセルから報知されるシステム情報（ＳＩＢ；Ｓｙｓｔｅｍ  Ｉｎｆｏｒｍａｔｉｏｎ  Ｂｌｏｃｋ）に含まれてもよく、再選択要求信号を含むページング信号に含まれてもよい。ｏｆｆｓｅｔは、ＵＥ１００に個別に送信されるＲＲＣメッセージに含まれてもよい。
【０３２３】
変更例１９において、ｏｆｆｓｅｔは、周波数又はセル毎に異なる値及び他のパラメータに基づいて算出されてもよい。他のパラメータとしては、再選択要求信号をＵＥ１００が受信したタイミングを含む時間情報（ＳＦＮ又はＵＴＣ）を用いることができる。ｏｆｆｓｅｔは、周波数又はセル毎に異なる値であればよく、OAMによって設定された値であってもよい。
【０３２４】
変更例１９では、式（２）が適用された後に、式（３）が適用されるケースを想定しており、ｉ番目の候補周波数のセルに移動するＵＥ１００を選択するために、｛（ＵＥ＿ＩＤ＋ｏｆｆｓｅｔ）ｍｏｄ１００｝が式（３）に代入される順番は任意である。しかしながら、変更例１９はこれに限定されるものではない。
【０３２５】
具体的には、ｒｅｄｅｉｔｒＲａｎｇｅ［０］〜ｒｅｄｅｉｔｒＲａｎｇｅ［ｊ］に割り当てられる周波数が定められているケースにおいて、｛（ＵＥ＿ＩＤ＋ｏｆｆｓｅｔ）ｍｏｄ１００｝が式（２）又は式（３）に代入される順序が指定されていてもよい。或いは、０〜ｊの順序で｛（ＵＥ＿ＩＤ＋ｏｆｆｓｅｔ）ｍｏｄ１００｝が式（２）又は式（３）に代入されるケースにおいて、ｒｅｄｅｉｔｒＲａｎｇｅ［０］〜ｒｅｄｅｉｔｒＲａｎｇｅ［ｊ］に割り当てられる周波数が指定されていてもよい。このような順序指定或いは周波数指定によって、特定の周波数のセルをサービングセルとしてＵＥ１００が用いるように、再配分処理を意図的に制御することができる。上述した順序指定或いは周波数指定を含む情報は、現在のサービングセルから報知されるシステム情報（ＳＩＢ；Ｓｙｓｔｅｍ  Ｉｎｆｏｒｍａｔｉｏｎ  Ｂｌｏｃｋ）に含まれてもよく、再選択要求信号を含むページング信号に含まれてもよい。順序指定或いは周波数指定が存在しない場合には、存在しない順序又は周波数に対応するｒｅｄｅｉｔｒＲａｎｇｅの式（２）又は式（３）に｛（ＵＥ＿ＩＤ＋ｏｆｆｓｅｔ）ｍｏｄ１００｝を代入する処理は省略されてもよい。
【０３２６】
［変更例２０］
以下において、実施形態の変更例２０について説明する。以下においては、変更例５に対する相違点について主として説明する。
【０３２７】
変更例２０の適用シーンは、図１３に示す通りである。図１３に示すように、移動通信システムは、エリア＃１及びエリア＃２を有する。エリア＃１には、周波数Ｆ１のセル＃１−１及び周波数Ｆ１のセル＃１−２が設けられる。エリア＃２には、周波数Ｆ１のセル＃２−１、周波数Ｆ１のセル＃２−２及び周波数Ｆ１のセル＃２−３が設けられる。周波数Ｆ１のセル（＃１−１及び２−１）は高負荷のセルであり、周波数Ｆ２のセル（＃１−２及び２−２）は低負荷のセルである。周波数Ｆ３のセル（＃２−３）は、中負荷のセルであり、周波数Ｆ１及びＦ２のセルよりも高い優先度を有する。例えば、周波数Ｆ１及びＦ２のセルはマクロセルであり、周波数Ｆ３のセルはＣＳＧセルであってもよい。
【０３２８】
変更例２０では、ＵＥ１００（制御部）は、変更例５と同様に、再選択要求信号の受信に応じて、ターゲット周波数のセルへの対象セルの再選択を行うとともに所定タイマ（Ｔ３６０）を起動する。ＵＥ１００（制御部）は、は、所定タイマの起動中においてターゲット周波数のセルを対象セルとして用いる。例えば、図１３に示すケースでは、第１エリアにおいて周波数Ｆ１のセル＃１−１から再選択要求信号を受信すると、周波数Ｆ１のセル＃１−１から周波数Ｆ２のセル＃１−２への対象セルの再選択が行われる（図１３に示す動作Ａ）。このような動作Ａの後に、ＵＥ１００がエリア＃１からエリア＃２に移動するケースを想定する（図１３に示す動作Ｂ）。
【０３２９】
このようなケースにおいて、変更例２０では、ＵＥ１００（制御部）は、ＵＥ１００の移動速度に基づいて所定タイマ（Ｔ３６０）の満了時間を変更する。具体的には、ＵＥ１００（制御部）は、ＵＥ１００の移動速度が速いほど、所定タイマの満了時間として短い満了時間をセットする。例えば、ＵＥ１００（制御部）は、所定タイマのカウント時間が所定時間閾値（Ｔ−ｒｅｄｉｓｔｒｉｂｕｔｉｏｎ）に達した場合に、所定タイマが満了したと判定する。従って、所定時間閾値（Ｔ−ｒｅｄｉｓｔｒｉｂｕｔｉｏｎ）は、所定タイマの満了時間を定義する値である。所定タイマの満了時間の変更方法は、例えば、以下に示す通りである。
【０３３０】
（１）ＵＥ１００（制御部）は、所定タイマの満了時間を定義する所定時間閾値（Ｔ−ｒｅｄｉｓｔｒｉｂｕｔｉｏｎ）に対してＵＥ１００の移動速度に基づいた係数（Ｓｃａｌｉｎｇ  Ｆａｃｔｏｒ）を乗算した値を用いて、タイマの満了を判定してもよい。係数は、移動速度に基づいて定められた値であり、例えば、０以上１以下の値である。移動速度が速いほど、係数の値が小さい。
【０３３１】
例えば、所定移動速度よりも遅い移動速度を低速移動速度とし、所定移動速度よりも速い移動速度を高速移動速度とするケースについて考える。低速移動速度に対応する係数が１である場合に、高速移動速度に対応する係数は、例えば、０．２５である。従って、ＵＥ１００の移動速度が低速移動速度である場合には、所定タイマのカウント時間が所定時間閾値（Ｔ−ｒｅｄｉｓｔｒｉｂｕｔｉｏｎ）に係数（１）を乗算した値に達した場合に、所定タイマが満了したと判定される。一方で、ＵＥ１００の移動速度が高速移動速度である場合には、所定タイマのカウント時間が所定時間閾値（Ｔ−ｒｅｄｉｓｔｒｉｂｕｔｉｏｎ）に係数（０．２５）を乗算した値に達した場合に、所定タイマが満了したと判定される。
【０３３２】
（２）ＵＥ１００（受信部）は、所定タイマの満了時間を定義する複数の所定時間閾値を受信する。ＵＥ１００（制御部）は、複数の所定時間閾値の中から、ＵＥ１００の移動速度に基づいて選択された所定時間閾値を用いて、タイマの満了を判定する。移動速度が速いほど、所定時間閾値が短い。
【０３３３】
例えば、所定移動速度よりも遅い移動速度を低速移動速度とし、所定移動速度よりも速い移動速度を高速移動速度とするケースについて考える。高速移動速度に対応する所定時間閾値（Ｔ−ｒｅｄｉｓｔｒｉｂｕｔｉｏｎ＿２）は、低速移動速度に対応する所定時間閾値（Ｔ−ｒｅｄｉｓｔｒｉｂｕｔｉｏｎ＿１）よりも短い。複数の所定時間閾値は、ターゲット周波数Ｆ２のセル（＃１−２及び＃２−２）の優先度よりも高い優先度を有する高優先セル（＃２−３）を有するｅＮＢ２００から報知されるシステム情報（ＳＩＢ）に含まれてもよい。
【０３３４】
（３）ＵＥ１００（制御部）は、（１）及び（２）の組合せに基づいて、タイマの満了を判定してもよい。すなわち、ＵＥ１００（制御部）は、ＵＥ１００の移動速度に基づいて選択された所定時間閾値に係数を乗算した値を用いて、タイマの満了を判定してもよい。
【０３３５】
上述した手順（１）〜（３）のいずれかにおいて、ＵＥ１００（制御部）は、所定タイマの起動後においてＵＥ１００の移動速度が変化した場合に、所定タイマの満了時間を変更してもよい。ＵＥ１００は、変化後の移動速度に基づいて所定タイマの満了時間を変更することは勿論である。
【０３３６】
このようなケースにおいて、ＵＥ１００（制御部）は、所定タイマを起動した際に参照されたＵＥ１００の移動速度よりもＵＥ１００の移動速度が速くなった場合に、所定タイマの満了時間を変更してもよい。ＵＥ１００（制御部）は、所定タイマを起動した際に参照されたＵＥ１００の移動速度よりもＵＥ１００の移動速度が遅くなった場合には、所定タイマの満了時間を変更しなくてもよい。
【０３３７】
ＵＥ１００（制御部）は、所定タイマの起動中に所定タイマの満了時間を変更してもよい。ＵＥ１００（制御部）は、所定タイマの満了後に所定タイマの満了時間を変更してもおよい。
【０３３８】
変更例２０によれば、所定タイマの起動中において、ＵＥ１００が再選択要求信号を受信した際にＵＥ１００が位置していたエリア＃１から、ターゲット周波数Ｆ２のセル（＃１−２及び＃２−２）よりも高い優先度を有する高優先度セル（＃２−３）が設けられたエリア＃２にＵＥ１００が移動する可能性が高い場合において、所定タイマが満了するまで高優先度セルが対象セルとして選択されない事態を抑制することができる。一方で、所定タイマの起動中においてエリア＃１からエリア＃２にＵＥ１００が移動する可能性が低い場合において、ソース周波数とターゲット周波数との間におけるピンポン現象を抑制することができる。
【０３３９】
［変更例２１］
以下において、実施形態の変更例２１について説明する。以下においては、変更例２０に対する相違点について主として説明する。変更例２１の適用シーンは、変更例２０と同様である。
【０３４０】
変更例２０では、ＵＥ１００（制御部）は、ＵＥ１００の移動速度に基づいて所定タイマ（Ｔ３６０）の満了時間を変更する。これに対して、変更例２１では、ＵＥ１００（制御部）は、所定タイマの停止を要求する停止要求信号を受信した場合に、所定タイマを停止する。停止要求信号は、ターゲット周波数Ｆ２のセル（＃１−２及び＃２−２）の優先度よりも高い優先度を有する高優先セル（＃２−３）を有するｅＮＢ２００から報知されてもよい。すなわち、停止要求信号は、エリア＃１に設けられたセルを有するｅＮＢ２００から報知されなくてもよい。停止要求信号は、エリア＃２に設けられたセルを有するｅＮＢ２００から報知されるシステム情報（ＳＩＢ）に含まれてもよい。
【０３４１】
ここで、ＵＥ１００（制御部）は、ＵＥ１００の移動速度が所定速度よりも速く、かつ、停止要求信号を受信した場合に、所定タイマを停止してもよい。すなわち、ＵＥ１００は、停止要求信号を受信した場合であっても、ＵＥ１００の移動速度が所定速度よりも遅い場合には、所定タイマを停止しなくてもよい。但し、ＵＥ１００（制御部）は、ＵＥ１００の移動速度によらずに、停止要求信号を受信した場合に、所定タイマを停止してもよい。
【０３４２】
変更例２１によれば、変更例２０と同様に、所定タイマの起動中においてエリア＃１からエリア＃２にＵＥ１００が移動する可能性が高い場合において、所定タイマが満了するまで高優先度セルが対象セルとして選択されない事態を抑制することができる。一方で、所定タイマの起動中においてエリア＃１からエリア＃２にＵＥ１００が移動する可能性が低い場合において、ソース周波数とターゲット周波数との間におけるピンポン現象を抑制することができる。
【０３４３】
［変更例２２］
以下において、実施形態の変更例２２について説明する。以下においては、変更例２０に対する相違点について主として説明する。変更例２２の適用シーンは、変更例２０と同様である。
【０３４４】
変更例２０では、ＵＥ１００（制御部）は、ＵＥ１００の移動速度に基づいて所定タイマ（Ｔ３６０）の満了時間を変更する。これに対して、変更例２２では、ＵＥ１００（制御部）は、所定タイマの起動中における異周波数再選択要求信号の受信に応じて、異周波数（Ｉｎｔｅｒ−Ｆｒｅｑｕｅｎｃｙ）のセルへの対象セルの再選択を行う。異周波数再選択要求信号は、ターゲット周波数Ｆ２のセル（＃１−２及び＃２−２）の優先度よりも高い優先度を有する高優先セル（＃２−３）を有するｅＮＢ２００から報知されてもよい。すなわち、異周波数再選択要求信号は、エリア＃１に設けられたセルを有するｅＮＢ２００から報知されなくてもよい。異周波数再選択要求信号は、エリア＃２に設けられたセルを有するｅＮＢ２００から報知されるシステム情報（ＳＩＢ）に含まれてもよい。
【０３４５】
変更例２２では、異周波数再選択要求信号の受信に応じて、異周波数（Ｉｎｔｅｒ−Ｆｒｅｑｕｅｎｃｙ）のセルへの対象セルの再選択が行われた場合であっても、所定タイマを停止しなくてもよい。
【０３４６】
ここで、ＵＥ１００（制御部）は、ソース周波数（Ｆ１）のセル（セル＃１−１）から報知されるパラメータではなくて、ターゲット周波数（Ｆ２）のセル（セル＃２−２）から報知されるパラメータに基づいて、異周波数のセルへの前記対象セルの再選択を行ってもよい。ターゲット周波数（Ｆ２）のセル（セル＃２−２）から報知される各種パラメータは、例えば、周波数の優先度（ｃｅｌｌＲｅｓｅｌｅｃｔｉｏｎＰｒｉｏｒｉｔｙ）、所定期間（ＴｒｅｓｅｌｅｃｔｉｏｎＲＡＴ）、各種オフセット（Ｑｑｕａｌｍｉｎｏｆｆｓｅｔ、Ｑｒｘｌｅｖｍｉｎｏｆｆｓｅｔ、Ｑｏｆｆｓｅｔｔｅｍｐ、ＱＨｙｓｔ、Ｑｏｆｆｓｅｔ）、各種閾値（ＴｈｒｅｓｈＸ，ＨｉｇｈＱ、ＴｈｒｅｓｈＸ，ＨｉｇｈＰ、ＴｈｒｅｓｈＳｅｒｖｉｎｇ，ＬｏｗＱ、ＴｈｒｅｓｈＳｅｒｖｉｎｇ，ＬｏｗＰ）を含む。
【０３４７】
変更例２２によれば、変更例２０と同様に、所定タイマの起動中においてエリア＃１からエリア＃２にＵＥ１００が移動する可能性が高い場合において、所定タイマが満了するまで高優先度セルが対象セルとして選択されない事態を抑制することができる。一方で、所定タイマの起動中においてエリア＃１からエリア＃２にＵＥ１００が移動する可能性が低い場合において、ソース周波数とターゲット周波数との間におけるピンポン現象を抑制することができる。
【０３４８】
［第２実施形態のその他の変更例］
第２実施形態では特に触れていないが、対象セルの選択に伴う隣接セルの品質測定は、所定タイミング（第２実施形態）において所定条件が満たされた場合に開始してもよい。或いは、ランダム性を有する値を用いた対象セルの選択（変更例１）は、所定条件が満たされたときに行われてもよい。例えば、所定条件は、ＵＥ１００のアクセスクラスが現在のサービングセルから通知されているアクセスクラスであることであってもよい。或いは、所定条件は、周波数の優先度ｍｏｄＡＣ＝０が満たされること、若しくは、セル−ＩＤｍｏｄＡＣ＝０が満たされることであってもよい。
【０３４９】
第２実施形態で説明したように、対象セルの選択手順全体としては、（Ａ）開始条件が満たされた場合に、現在のサービングセルに隣接する隣接セルの品質を測定する手順（測定手順）と、（Ｂ）選択条件を満たすセルの中からサービングセルとして用いる対象セルを選択する手順（選択手順）とを含む。第２実施形態は測定手順に関するものであり、変更例１〜変更例３は選択手順に関するものである。このようなケースにおいて、第２実施形態に係る測定手順と変更例１〜変更例３のいずれかに係る選択手順とを組み合わせてもよい。また、変更例１〜変更例３の中から選択された２以上の変更例に係る選択手順を組み合わせてもよい。
【０３５０】
変更例４では、現在のサービングセルが、複数のトリガー通知のいずれかである参照トリガー通知に応じて対象セルを選択する動作をＵＥ１００にトリガーさせるために、ＵＥ１００が有するカウンタ及びトリガー通知に含まれるカウンタ値を用いるケースを例示した。しかしながら、変更例４は、これに限定されるものではない。具体的には、現在のサービングセルから一定期間内において複数回に亘って報知されるトリガー通知のいずれかのトリガー通知（参照トリガー通知）に応じてＵＥ１００が対象セルを選択する動作をトリガーすればよい。従って、ＵＥ１００は、対象セルを選択する動作のトリガー（又は実行若しくは開始、以下同様）に応じてタイマを起動するとともに、タイマが満了するまでの間にトリガー通知を受信しても、対象セルを選択する動作をトリガーしないように構成されていてもよい。タイマが起動されてからタイマが満了するまでの時間は、トリガー通知が複数回に亘って報知される期間（上述した一定期間）と同程度であることが好ましい。或いは、複数のトリガー通知のそれぞれは、２以上の値を取り得るトグル情報を含んでおり、ＵＥ１００（制御部）は、参照トリガー通知に応じて対象セルを選択する動作をトリガーした場合に、参照トリガーに含まれるトグル情報を記憶領域に格納してもよい。このようなケースにおいて、ＵＥ１００（制御部）は、現在のサービングセルから報知されるトリガー通知に含まれるトグル情報が記憶領域に格納されるトグル情報と一致する場合に、対象セルを選択する動作をトリガーしない。一方で、ＵＥ１００（制御部）は、現在のサービングセルから報知されるトリガー通知に含まれるトグル情報が記憶領域に格納されるトグル情報と一致しない場合に、対象セルを選択する動作をトリガーする。
【０３５１】
第２実施形態では特に触れていないが、対象セルの再選択を促すパラメータ或いは対象セルの再選択を要求する再選択要求信号などのトリガー通知を送信するセル（以下、過負荷セル）については、以下のように取り扱ってもよい。具体的には、ＵＥ１００は、測定対象のセルから過負荷セルを除外してもよい。或いは、ＵＥ１００は、隣接セルが満たすべき基準（“Ｓ−ｃｒｉｔｅｒｉａ”）を過負荷セルが満たしていても、サービングセルとして用いる対象セルから過負荷セルを除外してもよい。或いは、ＵＥ１００は、ランキングを付与するセルから過負荷セルを除外してもよい。これによって、複数の隣接セルがトリガー通知を送信している状態（例えば、複数の隣接セルのいずれも負荷が高い状態）において、ＵＥ１００がこれらの隣接セルを交互に対象セルとして選択するピンポン現象が抑制される。
【０３５２】
第２実施形態では特に触れていないが、ＵＥ１００は、現在のサービングセルに在圏してから経過した時間が禁止時間閾値（例えば、１秒）を超えるという条件が満たされた場合に、対象セルの再選択を行ってもよい。このような前提下において、ＵＥ１００が、上述したトリガー通知に応じて対象セルの再選択を行う場合には、上述した開始条件（Ａ１やＡ２）に応じて対象セルの再選択を行うケースで用いる時間閾値よりも長い時間閾値を用いることが好ましい。これによって、複数の隣接セルがトリガー通知を送信している状態（例えば、複数の隣接セルのいずれも負荷が高い状態）において、ＵＥ１００が、これらの隣接セルを交互に対象セルとして選択するピンポン現象が抑制される。同様の観点から、ＵＥ１００が、上述したトリガー通知に応じて対象セルの再選択を行う場合には、上述した開始条件（Ａ１やＡ２）に応じて対象セルの再選択を行うケースで用いる所定期間（ＴｒｅｓｅｌｅｃｔｉｏｎＲＡＴ）よりも長い所定期間（ＴｒｅｓｅｌｅｃｔｉｏｎＲＡＴ）を用いることが好ましい。
【０３５３】
第２実施形態及び変更例において、優先度（ｃｅｌｌＲｅｓｅｌｅｃｔｉｏｎＰｒｉｏｒｉｔｙ）は、セルの周波数に割り当てられた優先度と考えてもよく、セルに割り当てられた優先度と考えてもよい。例えば、優先度（ｃｅｌｌＲｅｓｅｌｅｃｔｉｏｎＰｒｉｏｒｉｔｙ）は、ｉｎｔｅｒ−ｆｒｅｑｕｅｎｃｙの優先度であってもよく、ｉｎｔｅｒ−ＲＡＴ ｆｒｅｑｕｅｎｃｙ  ｃｅｌｌの優先度であってもよい。
【０３５４】
第２実施形態の変更例２０−２２では特に触れていないが、対象セルの再選択方法は、特に限定されるものではなく、実施形態又は他の変更例に記載された方法であってもよい。
【０３５５】
第２実施形態では特に触れていないが、ＵＥ１００及びｅＮＢ２００が行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０３５６】
或いは、ＵＥ１００及びｅＮＢ２００が行う各処理を実行するためのプログラムを記憶するメモリ及びメモリに記憶されたプログラムを実行するプロセッサによって構成されるチップが提供されてもよい。
【０３５７】
第２実施形態では、移動通信システムの一例としてＬＴＥシステムを説明した。しかしながら、実施形態はこれに限定されるものではない。移動通信システムは、ＬＴＥシステム以外のシステムであってもよい。
【０３５８】
[付記１]
（はじめに）
ＬＴＥのＵＥのマルチキャリア負荷分散の新しい作業項目が承認され、この作業項目（ＷＩ）の目的は、最新のマルチキャリアオペレーションの下で、アイドルでのセル再選択メカニズムを強化することである。
【０３５９】
ＷＩは、まず下記を調べるための研究段階を持つべきである。
【０３６０】
−複数のＬＴＥキャリアの中でＵＥの再配分のための現在のメカニズムと測定量の制限。
【０３６１】
研究段階の分析に基づいて、ＷＩは以下の解決策を提供すべきである。
【０３６２】
−コネクティッドモード時のＨＯ又はＵＥのリダイレクトをトリガする負荷の必要性を最小限に抑えるＬＴＥキャリア間でのＲＲＣアイドルＵＥを再配分する。
【０３６３】
−別のセル負荷、帯域幅及び能力を考慮すべきである。
【０３６４】
−均一及び不均一の両方の配備シナリオを考慮すべきである。
【０３６５】
−必要に応じて、新しい測定量、例えば、ユーザスループットのより良い推定のためのＳＩＮＲは、評価され、導入されるべきである。
【０３６６】
この付記は、マルチキャリア負荷分散のためのセル再選択メカニズムにおける潜在的な問題を研究段階の裏付けとして特定する。
【０３６７】
（配備シナリオ）
図１４は、配備シナリオを示す図である。ＷＩＤ及びモチベーション文書は、複数のキャリア間のホモジニアスカバレッジ（周波数間ＨｏｍｏＮｅｔ）、複数のキャリア間のヘテロジニアスカバレッジ（周波数間ＨｅｔＮｅｔ）、及びこれら２つのシナリオの組み合わせなどのマルチキャリア配備シナリオの例を指摘している。すべての３つのシナリオに適用可能な統合解決策が望ましいが、大きな利益を実現することができる場合は、シナリオ固有の解決策も考慮すべきである。したがって、提案される解決策は、特定の配備シナリオへの適用性及びそれが意図しない配備シナリオで劣化（例えば、再選択のピンポン）の原因となるかどうかに基づいて評価されるべきである。
【０３６８】
解決策は、周波数間ＨｏｍｏＮｅｔ、周波数間ＨｅｔＮｅｔ又は２つのシナリオの組み合わせのうち少なくとも１つの配備に適用可能であるべきであり、解決策は、意図しないシナリオに負の影響を持つべきではない。
【０３６９】
（既存のセル再選択メカニズムの制限）
セル（再）選択パラメータは、ＳＩＢ又は個別シグナリング（ＲＲＣ接続拒否又はＲＲＣ接続解放メッセージ）によって提供され、セル再選択プロシージャは、パラメータを使用してＵＥで実行される。通常のセル再選択（すなわち、個別パラメータなし）に着目すると、ＳＩＢ３は一般的なパラメータを提供し、ＳＩＢ４は周波数内の固有のパラメータを提供し、ＳＩＢ５は周波数間の固有のパラメータを提供する。これらのパラメータを使用して、ＵＥは、セル再選択優先度に応じて周波数の優先度付け及びＲＳＲＰ／ＲＳＲＱの測定を行い、Ｓ−基準（S-criterion）の評価、及びＲ−基準（R-criterion）でセルをランキングし、最適なセルを見つけ出して再選択し、キャンプする。
【０３７０】
優先度付け及び測定フェーズにおいて、サービングセルのＳ−基準が満たされたときにＵＥは周波数内測定を実行しなくてもよい。隣接周波数の再選択優先度がサービング周波数よりも高い又はサービングセルのＳ−基準が満たされていない場合を除き、ＵＥは、周波数間測定を実行しなくてもよい。より適切なセルが実際に利用可能であっても、測定が実行されない限り、セル再選択プロシージャがトリガされないことは明らかである。それは現在のセル再選択プロシージャの制限の１つであり、いくつかのケースで偏ったＵＥの分布を引き起こす。（例えば、図１５に示すように、アイドルモードモビリティでの「ロックオン」。図１５は、優先度の高い周波数での「ロックオン」を示す図である。）。
【０３７１】
また、優先度付けフェーズで例外がある。ＵＥは、選択ルールのための通常の周波数の優先度付けから逸脱し、興味のあるＭＢＭＳサービスを提供する別の周波数を選択することができる。また、リリース１２のＰｒｏＳｅ直接通信は、「ＰｒｏＳｅの直接通信が可能なＵＥがＰｒｏＳｅ直接通信を行うように設定されており、周波数にキャンプしながら唯一のＰｒｏＳｅ直接通信を行うことができる場合、ＵＥはその周波数を最高の優先度とみなすことができる」というような同様のルールを導入した。そのため、この種のサービスに興味がある多くのＵＥが存在する場合、ＭＢＭＳ及び／又はＰｒｏＳｅを提供する周波数のセルは、そうでないものよりも輻輳が生じる可能性がある。
【０３７２】
なお、ＲＡＴ間（ｉｎｔｅｒ−ＲＡＴ）及びＣＳＧセル用のセル再選択は、この作業項目の範囲外であると想定される。
【０３７３】
ＲＡＮ２は、ＵＥがＭＢＭＳ及び／又はＰｒｏＳｅでその興味に基づいて周波数を優先する許可されていることを理解した上で、優先度の低い周波数と高い優先度の周波数との間でロードバランスをどのように達成することができるか検討すべきである。
【０３７４】
評価及びランキングフェーズにおいて、Ｓ−基準及びＲ−基準は、ＵＥによって測定されたＲＳＲＰ及びＲＳＲＱを使用する。しかしながら、ＲＳＲＱが狭い動的レンジを有しており、それは５ｄＢ上にＳＩＮＲの非線形関数となり１０ｄＢ程度で飽和するので、ＲＳＲＱはＳＩＮＲを決定するための十分な測定基準ではない。しかし、スループットが０ｄＢと３０ｄＢとの間にほぼ直線的に維持される。これは達成可能なユーザスループットを低下させる可能性があるため、ＲＳＲＱの測定と制限が高いカテゴリのＵＥ（例えば、スマートフォン）のために特に厄介である。したがって、ＲＲＣコネクティッドへの遷移後に達成可能なユーザスループットを最大にするために、ＲＳＲＱを使用した少なくともランキングプロセスはもはや適切ではなく、ＳＩＮＲのより良い推定値と新しい測定メトリックが望まれる。
【０３７５】
少なくとも高いカテゴリのＵＥのためのランキングプロセスは、ＲＳＲＱよりも正確な測定指標に基づくべきである。
【０３７６】
スマートフォンとは異なり、低いＵＥカテゴリを持つＭＴＣデバイスは、スループットがＴＴＩ内で受信するＤＬ−ＳＣＨトランスポートブロックのビット数の最大値で上限に達するので、あまりにも高いＳＩＮＲを必要としない。特に、より低いカテゴリのＵＥのためのＷＩＤで述べられたように、新たなメトリックを使用した増加の測定が原因の不要な電力消費を回避することを考慮するべきである。
【０３７７】
ＲＡＮ２は、低いカテゴリのＵＥのための追加の電力消費を避けるべきである。
【０３７８】
（潜在的な問題や課題）
このセクションでは、上記セクションで識別された制限以外の潜在的な問題が議論される。
【０３７９】
（潜在能力（静的）／セル負荷（動的）を意識した分布）
セルは、ｅＮＢの送信電力及び動作周波数に応じて、帯域幅、ＣＰ長、オールモストブランクサブフレーム（ＡＢＳ）、ＭＢＳＦＮサブフレーム、ＰｒｏＳｅリソースプール、アンテナ数、及び／又は、セルサイズなどのパラメータの独立した設定を有しているので、周波数／セルの潜在的な能力が異なっている。これらは、周波数ドメイン、時間ドメイン及び空間ドメインに分類することができる（図１６に図示）。図１６は、潜在能力及び（半）静的設定を示す図である。セルの潜在能力は、上記のパラメータの関数として決定することができ、これらの設定は、典型的には（準）静的であり、既にＳＩＢに設けられているの。それらはＵＥの実装又はサービングからの支援を通じて、アイドルＵＥによって取得されてもよい。セルの容量は、ユーザスループットに潜在的に関連しているので、ＵＥは、セル再選択の一部としてこのようなセル容量を考慮すべきである。
【０３８０】
セル再選択プロシージャは、隣接セルの設定を考慮するべきである。
【０３８１】
現在のセル負荷などの動的な情報は、より適切なセル再選択を円滑化する。しかし、負荷情報の直接ブロードキャストは、以前の議論（例えば、のリリース１２のＷＬＡＮインターワーキング）に基づいていくつかのオペレータにより受け入れられない。ＷＬＡＮインターワーキングのためのケースのように、セルの負荷が、暗黙的にＲＡＮ支援パラメータ、すなわち、ＲＳＲＰ／ＲＳＲＱの閾値の設定を介して提供されている。セルの負荷は、アイドルモードのＵＥの分布の不可欠な部分であるので、セルの負荷の暗黙的又は直接的な設定は、セル再選択を最適化するために考慮されるべきであるかどうかを検討すべきである。
【０３８２】
ＲＡＮ２は、直接又は暗黙的に、現在のセル負荷などの動的な情報をアイドルＵＥに提供することが許容されることができるかどうかを議論すべきである。
【０３８３】
（クラスタ化されたＵＥの分布）
一般的には、ユーザの密度が領域内で均一ではなく、ユーザは、例えば建物の中、メインストリート、スタジアムなど、特定のスポット内でクラスタ化する傾向があることはよく知られている。したがって、ｅＮＢのカバレッジエリア内の複数のキャリア間でＵＥのクラスタの分布は、成功した負荷分散のキーとなり得る。
【０３８４】
コネクティッドモードのＵＥでは、負荷分散は、リダイレクトやハンドオーバなどの既存のメカニズムを使用して解決することができる。一方、アイドルモードのＵＥは、基本的にはＳＩＢが提供する共通の設定を適用する。すなわち、クラスタ化されたＵＥが同様の無線条件（すなわち、ＲＳＲＰ及びＲＳＲＱ）を経験すると仮定すると、現在のセル再選択メカニズムは、クラスタを分割することはできない。すなわち、これらのＵＥが同じＳ−基準／Ｒ−基準に基づき再選択する。セル再選択パラメータがｅＮＢによって調整されても、それは単に（図１７に示されるように）「団塊的再選択（ｍａｓｓ  ｒｅｓｅｌｅｃｔｉｏｎ）」を引き起こし、複数のキャリア間で負荷分散を達成することができない。図１７は、クラスタ化されたＵＥの団塊的再選択を示す図である。団塊的再選択を回避し、より優れた負荷分散を実現するためには、クラスタ内のＵＥのグループが、クラスタ内の他のＵＥのグループによって選択されたセルとは異なるセルを選択することが可能であるべきである。さらに、ＵＥごとのＵＥランダム化方式のいくつかの種類を使用して再選択することがセルにとって有益であるかどうかを検討すべきである。このようなランダム化スキームは、ｅＮＢの制御下にある許容可能な測定範囲（例えば、セル再選択優先度及び／又はＲ−基準測定範囲）に基づくことができる。したがって、ＲＡＮ２は、クラスタ化されたＵＥの負荷バランスを達成する方法を検討すべきである。
【０３８５】
ＲＡＮ２は、複数のキャリア間でクラスタ化されたＵＥのロードバランシングを実現する方法を検討すべきである。
【０３８６】
［付記２］
（はじめに）
本付記では、２つのメカニズム、すなわち、連続配分と、ワンショット再配分とが、マルチキャリア負荷分散のために特定され、セル毎のパラメータ及び／又は再選択確率を用いた解決策が考慮される。
【０３８７】
（事前条件及び事後条件）
解決策を検討する前に、アイドルＵＥが、複数のキャリア間でなぜ非一様に配分され得るのかを再考する価値がある。図１８は、カバレッジ及び容量のための４つの周波数レイヤを仮定して、３つの可能な事前条件、すなわち（ａ）乃至（ｃ）と、１つの事後条件、すなわち（ｄ）を例示している。Ｆ１は、最低周波数（たとえば、８００ＭＨｚ、したがって、これはより大きなカバレッジを有する）であり、Ｆ４は、最高周波数（たとえば、３．５ＧＨｚ、すなわち、それはより小さなカバレッジを有する）である。ここで、図１８では、条件（ｂ）は、他の条件と比較して逆の順序を有していることが注目される。条件（ａ）及び（ｂ）では、各周波数レイヤは、異なるcellReselectionPriorityを有する一方、条件（ｃ）は、すべての周波数間において等しい優先度を意図している。
【０３８８】
条件（ａ）は、典型的な優先度設定として考慮され得る。これによって、容量改善を達成するために、より高い周波数における小さなセルレイヤが、再選択のために優先されるようになる。ＵＥは、セルのＳ基準が満たされている限り、Ｆ２又はＦ４にキャンプオンされる。なぜなら、現在の仕様は、サービングセルのＳｑｕａｌ／Ｓｒｘｌｅｖに関わらず、ＵＥに対して、サービングセルの周波数よりもより高い優先度の周波数で設定されたセルへのセル再選択及び周波数間測定を実行することを強要するからである。
【０３８９】
条件（ｂ）は、たとえばデュアル接続可能ネットワークにおけるカバレッジ−優先度設定のために考慮され得る。これは、条件（ａ）よりも劣悪な条件になる。なぜなら、すべてのＵＥがＦ１にキャンプオンされるからである。
【０３９０】
cellReselectionPriorityは、ちょうど２つの周波数レイヤを超えたアイドルＵＥの負荷不均衡、すなわち、図１８におけるＦ１とＦ２との間、又はＦ３とＦ４との間の不均衡、を引き起こし得ることが注目されるべきである。現在のメカニズムは、各周波数優先度のために異なるＴｈｒｅｓｈＸ、ＨｉｇｈＱ／ＴｈｒｅｓｈＸ、ＨｉｇｈＰを設定することを可能にするが、これらパラメータの変化は、団塊的再選択をもたらし、上記した合意「解決策は、１つのセルから別のセルへのＵＥのフラクションの移動を可能にすべきである」が満たされないので、配分問題を解決することができない。セル固有の優先度がたとえＲｅｌ−１３で提供されていても、セルが同じ容量（たとえば、同じ帯域幅）を提供すると仮定すると、優先付けられたセルは、（「ＵＥのサージ」又は「近傍配置ＵＥ問題」としても知られている）団塊的再選択によるより高い負荷を経験し得るが、解決策は、たとえば、同一チャネルＨｅｔＮｅｔレイヤ上の小さなセルへの再選択のような固有のシナリオにおいて良好に機能し得る。
【０３９１】
セル再選択優先度はそれ自身、周波数レイヤ又はセルレイヤにあるかに関わらず、複数の周波数間の負荷不均衡をもたらし得る。
【０３９２】
条件（ｃ）は、すべての周波数レイヤを、同じ優先度で、すなわち、等しい優先度の周波数間の場合で設定する。等しい優先度の周波数間では、Ｒ基準によってセルランキングが実行され、ＵＥは、別の周波数による別の経路損失を補償するために、Ｑｏｆｆｓｅｔを考慮して、最良のＲＳＲＰを持つセルを選択すべきである。条件（ａ）及び（ｂ）のケースにおけるように、現在のメカニズムはまた、解決策は、ＵＥのフラクションを１つのセルから別のセルへ移動させることができなくてはならないという合意を満たすことができない。しかしながら、現在のセルランキングメカニズムは、「コネクティッドにあるＵＥのための（システムスループット、接続確立、ＲＡ、（周波数間）移動関連シグナリングの観点から）ユーザスループット及びネットワーク容量を最大化する」という問題を解決する際に役立つ。なぜなら、ＵＥは、ＲＳＲＰのみにしか依存しないものの、最良の無線条件を提供するセルを再選択でき得るからである。
【０３９３】
セルランキングを用いた等周波数優先度は、ユーザスループット及びネットワーク容量を最大化するための可能性を有する。
【０３９４】
条件（ｄ）は、望ましい事後条件の例である。ここでは、ＵＥは、各周波数／セルに一様にキャンプオンされ、すべてのセルが重く負荷をかけられている訳ではない。（ｄ）における事後条件は、解決策は、ＵＥのフラクションを１つのセルから別のセルへ移動させることができなくてはならないという前述した合意と整合しており、これは、たとえばセル毎のパラメータ及び／又は再選択確率を用いる。
【０３９５】
ＣＳＰのような改良された連続配分メカニズムの最も顕著な利点は、セルを、軽い負荷状態に維持できること、すなわち、図１８における事前条件（ａ）〜（ｃ）が生じることを阻止するために、ネットワークのＵＥ配分が維持及び使用され得ることである。一方、改良された連続配分を用いる主な欠点のうちの１つは、議論されたように、たとえネットワークが過負荷条件を被っていなくても、アイドルＵＥの電力消費に対するインパクトであることである。確率を用いた、及び／又は、ランダムしきい値オフセットを用いたセル固有の優先度のようなさらなる解決策が導入されるのであれば、ＵＥ電力消費は、実質的に増加され得る。さらに、たとえオペレータが、アイドルＵＥを再配分する必要性を被っていなくても、オペレータは、既存のネットワーク再選択メカニズムを修正するチャレンジに直面し得る。
【０３９６】
改良された連続配分メカニズムは、既存のネットワーク配備の構成及びＵＥ電力消費についてより多くのインパクトを有することが予想されている。
【０３９７】
改善された連続配分が、４）キャリアレベルにおいてのみではなく、個々のセル間の負荷分散を制御することが可能でなければならないという合意（たとえば、別のキャリアにおけるある小さなセル、及び／又は、同一チャネルＨｅｔ−Ｎｅｔ配備におけるマクロセルが、過負荷であり得るというシナリオ）を満たすために導入されているのであれば、ネットワーク配備に対する劇的な変更を必要とすべきではなく、単に、既存のメカニズムに基づいて、より柔軟性を提供することを目的とするべきである。
【０３９８】
提案１：既存の再選択メカニズム又は小さな改良が、いくつか負荷の重いネットワーク配備シナリオよりも良好に機能し得る。
【０３９９】
改良された連続配分が、軽い負荷の下でネットワークを統計的に維持することができたとしても、エリア内のアイドルＵＥの密度と相関付けられたトラフィック需要は、たとえば、スポーツイベント時、通勤時間中、週末におけるショッピングモール内、又は緊急条件下において、著しく変動し得る。そのような負荷の重い条件では、ワンショット再配分メカニズムによって、可能な限り早く、より平準化された負荷条件へネットワークを戻すための手段があるべきである。ワンショット再配分メカニズムが、ネットワークを、通常の負荷条件に戻すことを可能にすると、改良された連続配分は、平準化された負荷条件の下でネットワークを維持するために再び活性化され得る。
【０４００】
ワンショット再配分メカニズムは、トラフィック需要における突然の急増によって、負荷の重いネットワークの下で有用であり得る。
【０４０１】
ワンショット再配分メカニズムは、トラフィック需要における突然の急増によって、負荷の重いネットワークのケースのために主に使用されるので、既存のメカニズムと独立して適用され、したがって、現在のネットワーク戦略と矛盾しないであろう。さらに、電力消費イベントは一度しか実行されないので、ＵＥ電力消費に対するインパクトが低減され得るであろう。ネットワークは、複数のセル／周波数においてより高い負荷を経験する、すなわち、図１８における事前条件（ａ）〜（ｃ）の場合に、ワンショット再配分メカニズムを開始し得る。さらに、前述した合意１）内の「再配分」という用語は、ワンショット再配分メカニズムを求めるニーズと整合している。なぜなら、連続配分又は改良された連続配分は、ＵＥを「再配分する」ための手段として図示されるべきではないからである。
【０４０２】
提案２：ＲＡＮ２は、ワンショット再配分メカニズムを、連続配分メカニズム又は改良された連続配分メカニズムとは独立したメカニズムとして考慮すべきである。
【０４０３】
（改良された連続配分メカニズム）
ネットワークの負荷が軽く、マクロセルにキャンプオンされたＵＥが唯一しか存在しない極端なケースの場合、小さなセルがＵＥのためのしきい値を満たす場合、ＵＥがマクロセルに留まる理由はない。このケースでは、優先度メカニズム、又は既存の周波数優先度、又は追加のセル特有優先度（ＣＳＰ）のいずれかは、未だに良好に動作する。既にベースラインであったＣＳＰを用いて、ネットワークは、優先度取り扱いのために、既存のルールにおける最小のインパクトを持つ構成において、さらなる柔軟性を提供される。これは、設定柔軟性の観点から、等しい優先度キャリア間の再選択数を低減するためのセル再選択優先度の数を拡大するための合意を用いる類似のアプローチである。したがって、既存の再選択メカニズムに基づく改良された連続配分は、ＣＳＰを用いてセルベースでの優先度を設定するための追加の手段のみを有するべきであるが、ＵＥの数が増加した場合、負荷不均衡に至り得る欠点を潜在的に有することが注目されるべきである。このケースでは、別の解決策、すなわち、ワンショット再配分メカニズム、が必要とされ得る。
【０４０４】
提案３：セル固有の優先度及び既に合意された拡張された再選択優先度のオプションのプロビジョニングを除いて、ＲＡＮ２は、既存のセル再選択メカニズムにおいて、負荷の軽い／中位のネットワークのために、追加のメカニズムが必要とされないと結論付けるべきである。
【０４０５】
（ワンショット再配分メカニズムの利点）
再配分のためのトリガー
すなわち、ＵＥが、（特別な）セル再選択プロシージャを開始／継続する場合、再配分のためのトリガーは、以下のオプションのうちの１つに基づき得る。
【０４０６】
オプション１：ネットワークが、再配分のためのパラメータをブロードキャストした場合；
オプション１−ａ：ネットワークが、セル固有の優先度のリストを提供した場合；
それは、ＣＳＰ自身のみならず、ランダム化を備えたセル固有の優先度のトリガーとして仮定される。ＵＥは、今日あるように、提供されたセル固有の優先度が、サービングセルの優先度よりも高い限り、周波数間測定を含むセル再選択プロシージャを継続すべきである。
【０４０７】
オプション１−ｂ：ネットワークが、セル固有の確率のリストを提供する場合；
このオプションは、再選択のためのトリガーが、確率を用いたセル固有の優先度（ＣＳＰＰ）に基づいていると仮定する。ＵＥは、ランダム値を生成し、ランダム値が、提供されたセル固有の優先度を上回る場合、セル再選択プロシージャを実行すべきである。
【０４０８】
オプション１−ｃ：ネットワークが、再選択の最大値を提供する場合；
このオプションは、議論されたカウンタベースのスキームを仮定する。ＵＥは、実行されたセル再選択の数をカウントし、カウントが、サービングセルによってブロードキャストされた最大値を上回る場合、より高い優先度のセルを無視すべきである。
【０４０９】
オプション１−ｄ：ネットワークがパラメータを更新した場合；
トリガーが、ページング又はＳＩＢにおける更新されたパラメータによって示唆されると仮定される。ＵＥは、更新されたパラメータを適用し、セル再選択プロシージャを実行すべきである。
【０４１０】
オプション２：ネットワークが、明示的な要求を提供する場合；
このオプションは、再配分のための純粋なトリガーを仮定する。ＵＥは、（特別な）パラメータを適用し、要求を受け取ると、一度だけ、セル再選択プロシージャを実行する。この要求は、アプリケーションとして、ページングメッセージで、又は、ＳＩＢのいずれかで、１ビットシグナリングを必要とし得る。（特別な）セル再選択のためのパラメータが先行してブロードキャストされ得るので、ＵＥは、この要求を単にモニタするだけである。
【０４１１】
オプション３：サービングセルが、ＲＲＣ接続解放によって、専用パラメータを設定する場合；
それは、ＲＲＣコネクティッドからアイドルへとＵＥが移行する具体的なケースのためであり、ＲＲＣ接続解放が、追加のセル固有のオフセット、追加のグルーピング、及び／又は、既存の専用の優先度を有し得る。
【０４１２】
オプション１−ｘは、再選択制御のための典型的なメカニズムに基づくが、これらは、いくつかの欠点を有する。オプション１−ｘで、ＵＥは、パラメータが提供されている間、たとえば、オプション１−ａによって優先度付けられたセルが、既存のcellReselectionPriorityによって優先度付けられた周波数にないのであれば、追加の連続的な周波数間測定を適用するように強いられる。それは、付加的なＵＥ電力消費に帰着し、回避されるべきである。また、ＵＥが、確率を再計算しなければならない時点において、それは極めて鮮明という訳ではない。
【０４１３】
さらに、オプション１−ｘは、パラメータが更新されたか否か、又は、ネットワークが（特別な）セル再選択プロシージャを開始することを決定したか否か、をチェックするために連続的にモニタすることをＵＥに対して要求し得る。オプション２は、ワンショット再配分メカニズムのための単純な解決策であるが、それは、ＵＥに対して、このプロシージャの活性化を通知するために、１ビットのシグナリングを必要とする。解決策が専用シグナリングのみに依存しているのであれば、オプション３もまた快適な手法であるが、（システムスループット、接続確立、ＲＡ、（周波数間）移動関連シグナリングの観点から）コネクティッドにあるＵＥのためにユーザスループット及びネットワーク容量を最大化するための要求を満たすことができない。したがって、オプション２は、再配分のためのトリガーのための好適な解決策である。
【０４１４】
提案４：ワンショット再配分は、サービングセルによってブロードキャストされた明示的な要求インディケーションによってトリガーされるべきである。
【０４１５】
提案５：提案４が合意可能であれば、ＲＡＮ２は、このインディケーションがページング又はＳＩＢで提供されるのかを議論すべきである。
【０４１６】
［付記３］
（はじめに）
本付記は、ワンショット再配分メカニズムのための再選択確率及び／又はセル毎パラメータを用いた解決策を考慮する。
【０４１７】
（ワンショット再配分メカニズム）
ワンショット再配分は、特別なセル再選択プロシージャの開始のためのトリガーを明らかに必要とする。ＵＥのフラクションによるセル再選択のための以下の解決策は、トリガー後に考慮される。
【０４１８】
（ＵＥのフラクションによるセル再選択）
解決策は、１つのセルから別のセルへのＵＥのフラクションの移動を可能にすべきであることが、このＷＩにおける大きなチャレンジのうちの１つである。可能な解決策が、以下のように議論された。
【０４１９】
セル固有の優先度リストが前もって提供され、優先度は、サービングセルの優先度よりも高くならねばならないと仮定されたい。
【０４２０】
オプション１−ａ：ランダムしきい値オフセットを用いたセル固有の優先度
ワンショット再配分に適用可能であれば、トリガーが生じた場合、ＵＥは、より高い優先度の周波数のセルのために、ランダム値を生成し、Ｓｑｕａｌ＞Ｔｈｒｅｓｈ’Ｘ、ＨｉｇｈＱ又はＳｒｘｌｅｖ＞Ｔｈｒｅｓｈ’Ｘ、ＨｉｇｈＰが満たされるのであれば、ＵＥは、セルを再選択する。ここでは、Ｔｈｒｅｓｈ’Ｘ、ＨｉｇｈＱ又はＴｈｒｅｓｈ’Ｘ、ＨｉｇｈＰが、ランダム化されたオフセット（すなわち、Ｔｈｒｅｓｈ’Ｘ、ＨｉｇｈＱ＝ＴｈｒｅｓｈＸ、ＨｉｇｈＱ＋ｏｆｆｓｅｔｘ／ｃｅｌｌ＊ｒａｎｄｏｍ）とともに適用される。
【０４２１】
このアプローチの１つの欠点は、Ｔｈｒｅｓｈ’Ｘは、ランダム化されたオフセットのより広い／負の範囲では、良好なユーザスループットを保証しないことがあり得ることと、セルエッジ内のＵＥは、ランダム化されたオフセットからなる、より狭い範囲の他のセルへしか移動できないことである。
【０４２２】
オプション１−ｂ：確率を用いたセル固有の優先度（ＣＳＰＰ）
ワンショット再配分に適用可能であれば、トリガーが生じた場合、ＵＥは、優先度付けられたセルのためのランダム値を生成し、ランダム値が、提供された確率を上回るのであれば、このセルを再選択する。
【０４２３】
１つの欠点は、再選択されたセルは、Ｓ基準しか保証することができず、ＴｈｒｅｓｈＸもＲ基準も保証できないことである。それは、ＵＥがＲＲＣコネクティッドへ移行した場合、ユーザスループットの低下に帰着し得る。
【０４２４】
オプション１−ｃ：セル再選択の数を用いたカウンタベースのスキーム
ワンショット再配分に適用可能であれば、これによって、ＵＥは、再選択の数の追跡を続け、トリガーが生じた場合、ＵＥは、カウンタ値に基づいて、セル再選択優先度が、適用されるべきか、無視されるべきかを決定する。
【０４２５】
優先度の取り扱いとの独立。すなわち、より高い優先度のセルのためのみではない。
【０４２６】
オプション２−ａ：指定された範囲内のランダム化のランキング
このオプションは、（ランダム化の観点から）オプション１−ｂにおける拡張の一種であり、（範囲概念の観点から）オプション１−ａと実質的に類似したアプローチであるが、オプション２−ａは、ランキングプロセスにおける改良に注目する。指定された範囲を用いて、ユーザスループットの低下は、限定され、ネットワーク制御下にある。範囲の詳細はＦＦＳであり、たとえば、単位は、［ｄＢ］であり得る。
【０４２７】
オプション２−ｂ：ランキング固有の確率
このオプションは、基本的には、オプション２−ａを用いたものに類似したアプローチであるが、オプション２−ｂは、オプション１−ｂに類似して、確率を用いたランキングプロセスにおける改良に注目している。確率は、各ランクに対応しているので、ＵＥは、より良いランク順位及び確率を持つセルを再選択することを許可される。
【０４２８】
すべてのオプションが、１つのセルから別のセルへと、ＵＥのフラクションを移動させ得る。オプション１−ｘとオプション２−ｘとの最も顕著な違いは、セル固有の優先度リスト（ＣＳＰ）が必要とされているか否かである。オプション１−ｘは、再選択考慮においてのみ優先度取り扱いをするであろうから、再選択されたセルは、無線品質の観点から、各ＵＥのために（準）最適ではないかもしれない。すなわち、新たなセルは、たとえ、より良好な無線品質を提供しているいくつかのセルが、ＵＥの周囲で利用可能であっても、Ｓ基準しか満たさないことがあり得る。さらに、これらオプションは、より高い優先度の周波数／セルを持つ構成に依存するので、オプション１−ｘは、等しい優先度の周波数／セルを考慮することができない。
【０４２９】
オプション２−ｘは、ＵＥが検出したセルに対する比較の結果として、より良好なセルへのセル再選択を保証した既存のランキングプロセスに基づき得る。したがって、オプション２−ｘは、潜在的に、コネクティッドにあるＵＥのために、（システムスループット、接続確立、ＲＡ、（周波数間）移動関連シグナリングの観点から）ユーザスループット及びネットワーク容量を最大化し得る。したがって、ワンショット再配分は、ランキングプロセスを適合させねばならない。
【０４３０】
提案１：ランキングプロセスは、ワンショット再配分のために改良されるべきである。
【０４３１】
（改良されたランキングプロセスのためのターゲットセル／周波数）
提案１が合意可能であれば、問題は、どのセル／周波数が、改良されたランキングプロセスにおいて考慮されるべきであるかである。現在の仕様では、Ｒ基準を用いた評価は、周波数内及び等しい優先度の周波数間セルのために適合する。したがって、仕様における変更を最小化するために、改良されたランキングプロセスのためのターゲットセル／周波数はまた、等しい優先度のセル／周波数の下で考慮されるべきである。
【０４３２】
提案２：ワンショット再配分におけるターゲットセル／周波数は、等しい優先度の下でのみ適用可能でなければならない。
【０４３３】
提案２が許容可能であれば、ワンショット再配分のために、等しい優先度のターゲットセル／周波数がどのようにしてＵＥへ提供されるのかを決定する必要がある。以下の代替案が考慮され得る。
【０４３４】
代替案１：サービングセルが、セル／周波数リストを明示的に提供する。
【０４３５】
ＵＥは単に、改良されたランキングプロセスにおいてリストに提供されたセル／周波数を考慮する。
【０４３６】
代替案２：サービングセルが、セル／周波数を暗黙的に提供する。
【０４３７】
それは、同意された拡張セル再選択優先度を使用し得る。拡張セル再選択優先度を用いて構成された各セル／周波数の場合、ＵＥは、改良されたランキングプロセスのためにこれらセル／周波数を決定する。いくつかの例が表１において議論されているが、ＵＥが、レガシーセル再選択優先度をも考慮すべきか否かに関わらず、それはＦＦＳである。
【０４３８】
シグナリングオーバヘッドの観点から、代替案２は、代替案１よりも良好である。しかしながら、代替案２は、たとえば、レガシーセル再選択優先度において優先度付けられたセル／周波数が、未だに優先度付けられるべきであるか否かのように、ターゲットセル／周波数を決定するために、少なくとも１つよりも多くのルールを必要とするであろう。両代替案には長所と短所が見られ得るが、代替案２が、若干好ましい解決策である。
【０４３９】
提案３：ＲＡＮ２は、拡張セル再選択優先度を用いて設定されたセル／周波数が、ワンショット再配分において等しい優先度として考慮されるべきであるか否かを決定するべきである。
【０４４０】
表１は、代替案２を用いた暗黙的なターゲットセル／周波数の提供の例を示す。
【０４４１】
【表１】
2016163545.tif 000004
【０４４２】
注記：サービングセルは、レガシー優先度５であり、ターゲットセル／周波数が設定される。
【０４４３】
Ａｌｔ．２−１：（たとえば、より高い）レガシー優先度及び任意の拡張された優先度を用いる。
【０４４４】
Ａｌｔ．２−２：（たとえば、より高い）レガシー優先度及び（たとえば、より高い）拡張された優先度を用いる。
【０４４５】
Ａｌｔ．２−３：レガシー優先度に関わらず、任意の拡張された優先度を用いる。
【０４４６】
Ａｌｔ．２−４：レガシー優先度に関わらず、（たとえば、より高い）拡張された優先度を用いる。
【０４４７】
（追加の検討）
ランダム化のためのさらなる検討
確率ベースのスキームは、ネットワークによる再選択の制御可能性及び／又は試験可能性についての関心を有することが指摘された。したがって、カウンタベースのスキームが、確率ベースのスキームに対する代案として議論された。しかしながら、確率ベースのスキームが、本当に問題があるのであれば、ランダム化が、既存のページングフレーム／機会判定に類似したＵＥ＿ＩＤ（又はＩＭＳＩ）に基づき得るか否かも考慮され得る。たとえば、ＩＭＳＩでは、（ＩＭＳＩ  ｍｏｄ  Ｎｐ）＝Ｎｒが満たされるのであれば、ＵＥは、（特別な）セル再選択プロシージャを実行し得る。ここで、Ｎｐ及びＮｒは、ＵＥ間で期待される確率及び公平さに基づいて設定される。Ｎｐ及びＮｒが、１０及び０でそれぞれ設定されるのであれば、この式を満たす確率は１０％である。セル内のＵＥ間でＩＭＳＩが適切にランダム化されていると仮定されると、ネットワークは、確率を制御する一方、ＵＥ試験可能性は、はるかに単純になるであろう。
【０４４８】
提案４：確率ベースのスキームが好適ではないのであれば、ＩＭＳＩベースのランダム化は、代わりに、潜在的な方法のうちの１つとなるべきである。
【０４４９】
ＲＳＲＱ／ＳＩＮＲベースのランキングプロセスの可能性
現在のＲ基準は、ＲＳＲＰしか考慮していないので、いずれの無線品質も考慮されない。ただ受信電力さえ評価されれば、それは、マクロセルを伴う均質なネットワークにおける最適なスループットを保証し得る。しかしながら、今日、ＨｅｔＮｅｔ配備の場合、それは正しくはない。たとえば、マクロセル近傍に位置する小さなセルは、良好なＲＳＲＰを提供するが、小さなセルのみの周波数レイヤ上のセルよりもよりも劣悪なＲＳＲＱを提供し得る。ＵＥがコネクティッドに移行した場合に、ユーザスループット及びネットワーク容量を最大化するために、ＲＳＲＱ又はＳＩＮＲを持つＲ基準を再考する価値がある。ＩＤＬＥ  ＵＥが、今日使用されているものよりもより正確な信号品質のインディケーションを用いているのであれば、コネクティッドにあるＵＥのための（システムスループット、接続確立、ＲＡ、（周波数間）移動関連シグナリングの観点から）ユーザスループット及びネットワーク容量を最大化するための要件を潜在的に満たすであろう。
【０４５０】
提案５：ＲＡＮ２は、ＨｅｔＮｅｔ配備を考慮した異なる信号品質基準を用いて、Ｒ基準が再考されるべきか否かを考慮すべきである。
【０４５１】
［付記４］
（はじめに）
連続再配分スキーム（ＣＲＳ）とワンショットスキーム（ＯＳＳ）とのためのマージされた解決策が提案され、アイドルモード配分のための一般に推奨されている。マージされた解決策は、ＩＭＳＩベースの再配分を用いたＣＲＳのための調和された解決策の、全体的な再配分メカニズムを再使用する。
【０４５２】
本付記では、マージされた解決策は、ＮＷ／ＵＥ複雑さを低減するために、１つの可能な最適化とともに、ＯＳＳの観点から検証される。
【０４５３】
（ＯＳＳオプションを備えたマージされた解決策）
２つのシナリオ、すなわち、長期間の不均衡な配分（シナリオ１）と、短期間の不均衡な配分（シナリオ２）が議論された。ＯＳＳが、特にシナリオ２に役立つことが識別された。以下の合意に達した。
【０４５４】
合意
１．ＯＳＳのベースラインとして以下を使用する：
ページングは、現在キャリアを使用した／優先度付けたＵＥが、（タイマを用いて）一時的に最低の優先度を割り当てられるべきであることを指示するための単純な再優先度付け要求を含み得る。
【０４５５】
２．ＣＲＳのベースラインとしてのＲ２−１５４７２９における解決策。しかし、別のレイヤに移る一部のためのＵＥを選択する方法は、未だにＦＦＳである。
【０４５６】
３．ＣＲＳ及びＯＳＳ解決策の両方が、異なるシナリオのために導入されるべきである。
【０４５７】
４．２つの解決策の両方の詳細が、さらに識別されるべきである。
【０４５８】
さらなるオフライン議論がなされ、合意３及び合意４が、ＯＳＳ解決策（合意１）の要件とＣＲＳ解決策（合意２）の要件との両方を組み込んだ、マージされた解決策へ組み合わされ得ることが合意された。マージされた解決策は、特にシナリオ１において、あるいは、両シナリオ、すなわちシナリオ１とシナリオ２とが、連続して必要とされる場合に、非常に良好に機能する。
【０４５９】
考察１：マージされたＣＲＳ及びＯＳＳ解決策は、シナリオ１をサポートする必要性のために、又は、シナリオ１とシナリオ２との両方が連続して必要とされるのであれば、最適化される。
【０４６０】
一方、オペレータが、所与の時間において、シナリオ２をサポートすることのみ必要であれば、ＯＳＳのみが必要とされると仮定され得る。マージされた解決策のプロシージャによれば、ＯＳＳ動作は、以下の５つのステップで達成される。
【０４６１】
（１）再配分パラメータに、適用可能なＯＳＳをトリガーするためのオプションを提供するためのＳＩ更新。
【０４６２】
（２）ＵＥが、ＳＩＢ３及びＳＩＢ５において再配分パラメータを取得する。
【０４６３】
（３）ＯＳＳページングメッセージトリガーを受信し／再配分パラメータを適用する選択的なＵＥ。
【０４６４】
（４）ＵＥが、再配分評価／再選択を実行する。そして、
（５）再配分パラメータの削除及びレガシーパラメータの適用のため、次の修正境界におけるＳＩ更新。
【０４６５】
上記プロシージャが、提案されたＯＳＳ解決策に基づいて、合意１の意思を取得しなければ、それは、以下のように単に２つの簡単なステップしか必要としない。
【０４６６】
ａ）ＯＳＳページングメッセージが受信されると、ＯＳＳが、ＵＥのためにトリガーされる。
【０４６７】
ｂ）ＵＥが、サービングセル／周波数の逆優先付けに基づいて、再配分評価／再選択を実行する。
【０４６８】
負荷再配分は、混雑したケースの下でしばしば必要とされることを考慮すると、マージされた解決策の必要とされる追加のシグナリングオーバヘッドを許容することは不利になるであろう。
【０４６９】
考察２：マージされたＣＲＳ及びＯＳＳ解決策は、ＯＳＳ動作のみが必要とされるのであれば、過渡のステップ及びシグナリングオーバヘッドを必要とする。
【０４７０】
さらに、ＳＩ更新は、ＵＥがその後ＯＳＳページングメッセージによってトリガーされるか否か、すなわち、更新されたシステム情報が、ＯＳＳのためにターゲットとされていないＵＥのために有用であるか否かに関わらず、すべてのＵＥが、更新されたシステム情報を再獲得することを要求する。ＵＥのフラクションは、ＯＳＳのためにのみトリガーされるので、合意１が２つのステップ（たとえば、前述したステップａ及びステップｂ）によって実現されたのであれば、それは、回避されることができた余分なＵＥ電力消費に帰着するであろう。したがって、マージされた解決策はまた、シナリオ２のみが必要とされるケースのために最適化されるべきである。
【０４７１】
考察３：ＯＳＳ動作のみが必要とされるのであれば、マージされた解決策は、不必要に、すべてのＵＥに対して、ＳＩを更新させる。それは、ＵＥ電力消費量の増加をもたらす。
【０４７２】
提案１：マージされたＣＲＳ及びＯＳＳ解決策は、シナリオ２のためにも最適化されるべきである。すなわち、ＯＳＳのみの動作が、２つのステップとともに、かつ、ＳＩ更新無しで可能となるべきである。
【０４７３】
（ＯＳＳのみの動作のための可能な最適化）
提案１が許容可能であれば、「ページングは、現在キャリアを使用した／優先度付けたＵＥが、（タイマを用いて）一時的に最低の優先度を割り当てられるべきであることを指示するための単純な再優先度付け要求を含み得る。」という合意１を、マージされた解決策へ採用するために容易であり得る。マージされた解決策は既にＯＳＳページングメッセージ及びタイマを有しているので、この問題は、どうやって「現在キャリアを使用／優先度付けたＵＥが、［・・・］一時的に最低の優先度を割り当てられるべきであるか」である。
【０４７４】
マージされた解決策によれば、再配分パラメータはオプションである。パラメータがＳＩＢ３／５で提供されない場合、ＵＥは、（適用可能なＯＳＳの設定に関わらず）レガシーセル再選択プロシージャを実行することが仮定される。ここで、マージされた解決策は、ＳＩが、表２に示されるようなオプションの再配分パラメータ含んでいないと仮定する。
【０４７５】
【表２】
2016163545.tif 000005
【０４７６】
考察４：再配分パラメータがＳＩＢ３／５において提供されない場合、ＵＥは、レガシーセル再選択プロシージャを実行する。
【０４７７】
レガシーセル再選択プロシージャ中、オプションの再配分パラメータが、提供されていない場合、ＵＥは、未だにページングメッセージを受信することができるが、ＵＥは、マージされた解決策では、ＳＩＢ更新無しで、ＯＳＳを実行することは期待されていない。この種のＯＳＳページングメッセージが許可されているのであれば、最も簡単な最適化は、提案されるように、ＵＥは単に、現在のセル／周波数を、最低の優先度として考え、レガシープロシージャに従って、セル再選択を実行することであるべきである。マージされた解決策における再配分評価と同調させるために、ＵＥがすべての近隣セル／周波数を、サービングセル／周波数よりも高い優先度を有するものとして考慮する、と言い直され得る。
【０４７８】
この最適化は、マージされた解決策を用いた、すなわち、ＳＩ更新が無く、再配分パラメータのブロードキャストも無く、現在のＯＳＳ動作と比較して、シグナリングオーバヘッドを最小化するであろう。追加の電力消費に関し、それは、ページされているＵＥのフラクションにのみ影響を与える。すなわち、ＵＥの残りは、ＯＳＳ動作のためのいかなる電力消費も被ることはない。さらに、マージされた解決策及び／又はレガシー仕様に対するインパクトは、極めて小さい。したがって、ＲＡＮ２は、この「アドオン」最適化を用いて、マージされた解決策を改良すべきである。
【０４７９】
オプションの再配分パラメータが提供され、適用可能なＯＳＳが設定されているのであれば、ＵＥは、最適化無しで、マージされた解決策におけるプロシージャに従い続けるべきであることに注目されたい。
【０４８０】
提案２：ＯＳＳページングメッセージが受信され、再配分パラメータが（ＯＳＳ適用可能ビットであるに関わらず）ＳＩＢで提供されないのであれば、ＵＥは、すべての近隣セル／周波数の優先度付けが、サービングセル／周波数のものよりも大きくなるであろうことを除いて、レガシーセル再選択プロシージャを実行すべきである。
【０４８１】
（付録：ＯＳＳ最適化のための可能な変更）
ＯＳＳ最適化のための仕様における可能な変更は、以下の通りである。
【０４８２】
変更の開始
５．２．４  セル再選択評価プロセス
５．２．４．１  再選択優先度取り扱い
異なるＥ−ＵＴＲＡＮ周波数又はＲＡＴ間周波数の絶対的な優先度は、システム情報で、RRCConnectionReleaseメッセージで、又は、ＲＡＴ間セル（再）選択において別のＲＡＴから継承することによって、ＵＥへ提供され得る。システム情報のケースでは、Ｅ−ＵＴＲＡＮ周波数又はＲＡＴ間周波数は、優先度を提供することなくリストされ得る（すなわち、cellReselectionPriorityというフィールドが、その周波数のために欠如している）。優先度が、専用シグナリングで提供されるのであれば、ＵＥは、システム情報で提供されたすべての優先度を無視するものとする。ＵＥがいずれかのセル状態にキャンプオンされているのであれば、ＵＥは、現在のセルからのシステム情報によって提供された優先度を単に適用するものとする。そして、ＵＥは、別の方法で指定されていないのであれば、RRCConnectionRejectで受信されたdeprioritisationReqと、専用シグナリングによって提供された優先度を維持する。通常状態にキャンプしたＵＥが、現在の周波数の場合とは異なる専用の優先度をのみを有している場合、ＵＥは、現在の周波数を、最低優先度（すなわち、８つのネットワークが設定した値よりも低い）周波数として考慮するものとする。さらには、ＵＥがＯＳＳページングメッセージを受信した場合、かつ、システム情報が、いずれの再配分パラメータも含んでいない（すなわち、redistributionFactorというフィールドが、すべての周波数／セルのために欠如している）か、又は、ＵＥが、現在の周波数のため以外の専用の優先度のみを有しているのであれば、ＵＥは、現在の周波数／セルが、最低の優先度の周波数／セルであると考慮するものとする。ＵＥが、適切なＣＳＧセルにキャンプオンされている間、ＵＥは、現在の周波数が、この周波数に割り当てられたその他いずれかの優先度値に関係なく、最も高い優先度の（すなわち、８つのネットワークが設定した値よりも高い）周波数であると常に考慮するものとする。サイドリンク通信が可能なＵＥが、サイドリンク通信を実行するように構成され、周波数にキャンプオンしている間にのみサイドリンク通信を実行し得るのであれば、ＵＥは、その周波数を、最高の優先度であると考慮し得る。
【０４８３】
注記：ＵＥが最高の優先度の周波数であると考慮する、周波数間の優先度付けは、ＵＥ実施に委ねられる。
【０４８４】
［付記５］
（はじめに）
ＲＡＮ２は、マルチキャリア負荷再配分のための解決策の指示に合意した。
【０４８５】
合意
１  以下の要件は、既存のセル再選択スキームによって満たされないことがあり得る。
【０４８６】
１）ネットワーク制御下で、異なるキャリア間で、これらキャリアに現在キャンプオンしているユーザのフラクションを再配分するように制御することが可能であるべきである。
【０４８７】
４）キャリアレベルにおいてのみではなく、個々のセル間での負荷分散を制御することが可能であるべきである（たとえば、同一チャネルのＨｅｔ−Ｎｅｔ配備におけるマクロセル、及び／又は、別のキャリアにおけるいくつかの小さなセルは、過負荷であり得るというシナリオ）。
【０４８８】
２  解決策は、ＵＥのフラクションを、１つのセルから別のセルへ移動させることができなくてはならない。
【０４８９】
３  たとえば、ＲＡＮ２＃９１会議からの再選択確率及び／又はセル毎パラメータを用いて、解決策に注目するため。
【０４９０】
ＲＡＮ２はさらに、「ベースラインとしてセル固有の優先度を採用する」ことに合意する。これは、上記の要件４）を満たし得る。しかしながら、ユーザのフラクションを再配分するための解決策、すなわち、要件１）は、最後の会議内に収束することができなかった。
【０４９１】
本付記では、要件１）のための可能な妥協的解決策が議論される。
【０４９２】
（ランダム化メカニズム）
現在の解決策
要件４）を満たすため、特に、ユーザのフラクションを再配分するために、ある種のランダム化メカニズムが有用であることが考慮される。なぜなら、既存の優先度はそれ自身では、団塊的再選択を回避することができないからである。ランダム化メカニズムに関し、ランダム化されたしきい値オフセット、ＣＳＰＰ、最良のセルを用いたＣＳＰＰ、及びランキングランダム化のような可能な解決策が既に提案されている。それらはすべて、どのＵＥが、改良されたセル再選択を実行すべきであるのかを判定するために、ＵＥがランダム値を生成する共有物、を共有する。したがって、すべてのメカニズムは、ＵＥベースのメカニズムとして考慮され得る。ＵＥベースのメカニズムの利点は、アイドルＵＥが、常に、確率にしたがって、異なる周波数へ移動することを可能にするであろう。１つの欠点は、ＵＥがいつ負荷再配分プロセスを停止すべきなのかが明らかではないことであり得る。これは、再選択プロシージャの複数のトリガーによって、不安定な確率になるという結果になり得る。
【０４９３】
すなわち、ランダム値を用いたＵＥベースのメカニズムは、アイドルＵＥを再配分し得る。これは、再選択プロシージャの複数のトリガーによって、不安定な確率という結果になり得る。
【０４９４】
一方、専用シグナリングを用いた解決策もまた提案される。これは、より厳しいネットワーク制御を提案する。したがって、それは、ＮＷベースのメカニズムとして考慮され得るが、「すべてのアイドルモード負荷平準化ニーズに対処するには不十分」であり得る。
【０４９５】
すなわち、専用シグナリングを用いたＮＷベースのメカニズムは、より厳しいネットワーク制御を保証する一方、すべてのアイドルなＵＥを再配分するには不十分である。
【０４９６】
ＲＡＮ２は、進めるために以下のような４つの代替案を有する。
【０４９７】
代替案１：ＵＥベースの解決策のみを採用する。
【０４９８】
代替案２：ＮＷベースの解決策のみを採用する。
【０４９９】
代替案３：Ｒｅｌ−１３におけるＮＷベースの解決策とＵＥベースの解決策との両方を採用する。
【０５００】
代替案４：ＵＥベースの解決策とＮＷベースの解決策との両方からの利点からなる代替解決策を考慮する。
【０５０１】
代替案１と代替案２に関し、ＵＥベースのメカニズムとＮＷベースのメカニズムとの両方が、要件４）における問題を潜在的に解決し得るが、これら解決策の各々は、考察１及び考察２それぞれにおいて述べられたように、それらの利点及び欠点を有する。代替案３に関し、異なる準最適な解決策が、１つの問題を解決するために明示されるであろう。それは、より多くの標準化努力をもたらし、また、ＵＥとＮＷの実施の観点から、さらなる複雑さをもたらす。これは、可能な限り回避されるべきである。代替案４を用いて、ＲＡＮ２は潜在的に、最小の仕様インパクトで、前の会議で議論されたアイデア、問題、及び好みに基づいて、単一の解決策へ収束することができる。
【０５０２】
提案１：ＲＡＮ２は、現在の解決策の利点を活用するために、ネットワーク制御下の異なるキャリア間で、ＵＥのフラクションを再配分するための妥協的解決策を考慮すべきである。
【０５０３】
（妥協的解決策：アイドルＵＥのＮＷベースのランダム化）
ランダム化スキーム
ランダム化スキームは、「これらキャリアに現在キャンプオンしているユーザのフラクション［・・・］を再配分する」要件を満たさねばならない。ＵＥベースのランダム化は、ＵＥによって生成されたランダム値に依存する。これは、アイドルＵＥのフラクションが、任意の時間における確率で、別の周波数に移動することを可能にする。したがって、ＮＷベースのアプローチが、同様の効果を達成するか否かを検討する価値がある。多くのＵＥがエリア内に配置されていることを考慮すると、ＵＥのＩＭＳＩもまた、図１９に例示されているようにランダムに配分されることが仮定され得る。それは、既にランダム値として見なされるであろう。
【０５０４】
ＩＭＳＩが、任意の所与の地理的エリアにおいて十分にランダム化されていると仮定して、ＮＷベースのアプローチは、ＲＲＣシグナリングによって、ランダム化を実行し得る。以下のように、２つの可能性が考慮され得る。
【０５０５】
オプション１：ページング機会を用いたＮＷベースのランダム化
→負荷再配分のトリガーとしてページングメッセージを用いることが示唆された。ページングメッセージは実質的に、固有の／決定論的なＵＥへのシグナリングであり得る。これは、「ユーザのフラクション」に等しい。各ＵＥのページングフレーム／機会はＩＭＳＩによって決定されるので、ｅＮＢは、ＵＥが別の周波数へ移動する可能性を制御し得る。たとえば、ｅＮＢが、デフォルトのＤＲＸサイクルにおけるすべてのページング機会の１／１０の機会においてページするのであれば、ＵＥの１０％が、負荷再配分のためにトリガーされる。
→ＵＥに負荷再配分を通知するために、ページングメッセージにインディケーションを追加することが必要である。しかし、それは１ビットであろう。
【０５０６】
オプション２：モジュロ計算を用いたＮＷベースのランダム化
→ＩＭＳＩのモジュール計算を用いて固有の／決定論的なＵＥを決定することも可能であり得る。たとえば、ＵＥは、（ＩＭＳＩ  ｍｏｄ  Ｎｐ）＝Ｎｒが満たされるのであれば、負荷再配分を実行でき得る。ここで、Ｎｐ及びＮｒは、ＵＥ間の期待された確率及び公平さに基づいて設定される。Ｎｐ及びＮｒが、それぞれ１０及び０で設定されるのであれば、この式を満たす確率は１０％である。
→パラメータ、すなわちこの例ではＮｐ及びＮｒは、ブロードキャストシグナリングで提供され得る。
【０５０７】
ＵＥベースのメカニズムと比較して、これらのオプションは、アイドルＵＥの制御及びランダム値及び／又は確率の使用の観点から同じ利点を有する。このオプションでの最も顕著な利点は、ＵＥがいつ負荷再配分プロセスを停止すべきかをもはや考慮する必要がないことである。なぜなら、ＮＷは、ＵＥの固有の／決定論的な集合を、すべてのＵＥのフラクションとして選択するからである。これによって、一旦再配分が実行されると、ＵＥはもはやサービス提供周波数にはないようになる。これらＮＷベースのオプションは、ワンショットメカニズムに適用可能であると容易に理解され得るが、連続配分メカニズムにも拡張され得る。
【０５０８】
たとえすべてのＵＥ（すべてのＩＭＳＩ）が、通常仮定されるような周波数／セルにない場合であっても、これらのオプションは良好に機能し得ることに注目されたい。
【０５０９】
提案２：ターゲットとされたＵＥのためのランダム化を達成するために、負荷再配分のためのＵＥのＩＭＳＩに基づいて、ユーザのフラクションを選択することが、ネットワークのために有益である。
【０５１０】
これらオプションと比較して、制御の精度は同程度であるが、既存の仕様に対するシグナリングオーバヘッド及びインパクトは、オプション２では増えるであろう。さらに、オプション２は、負荷再配分をトリガーするために、ＳＩ更新を必要とし得る。したがって、ページングメッセージを用いるオプション１が望ましい。
【０５１１】
提案３：ＵＥがページングメッセージでインディケーションを受信した場合、ＵＥは、負荷再配分プロセスを実行すべきである。
【０５１２】
（負荷再配分プロセス）
負荷再配分プロセスは、「異なるキャリア間で再配分するための」要件を満たさねばならない。最も単純な方式は、ＵＥは、負荷再配分がトリガーされた場合にのみ、現在の周波数を、最も低い優先度として考慮することであり得る。最も低い優先度の周波数は、「８つのネットワークが設定した値よりも低い」として指定されるので、ＵＥは、たとえばＳｑｕａｌ＞ＴｈｒｅｓｈＸ、ＨｉｇｈＱのような基準を満たすセルが存在する限り、他の周波数に移動するものとする。サービングセルは現在、重い負荷を負っていると仮定され得るので、それは納得できる。
【０５１３】
提案４：ＵＥは、トリガー後、負荷再配分プロセスの間、現在の周波数を、最も低い優先度の周波数であると考慮すべきである。
【０５１４】
また、要件として、ＵＥがコネクティッドに移行した場合、ユーザスループットを最大化するために重要であることも提案された。しかし、それは、このＷＩにおいていずれの改良もなく、連続配分、すなわち、既存のセル再選択、によって解決され得る。たとえば、ＵＥが、負荷再配分によって、第２の周波数へ移動した後、現在ＵＥがキャンプオンしている第２の周波数を持つ第３の周波数レイヤに、同じ優先度の周波数が存在するのであれば、ＵＥは、等しい優先度の周波数間再選択を実行し、今日あるようなＲ基準にしたがって、最良のセルを選択するべきである。したがって、ユーザスループットを最大化するための要件は、既存の等優先度再選択を用いたネットワーク配備によって解決され得ることが考慮され得る。
【０５１５】
図２０は、オプション２を用いた簡単な例と、既存のメカニズムを用いた組合せアプローチを示す図である。
【０５１６】
提案５：ネットワーク配備は、負荷再配分後、より良好なユーザスループットを保証でき得ることが仮定されるべきである。
【０５１７】
（ワンショットメカニズム及び連続配分）
このＷＩにおける改良は連続的に適用可能であると考慮されているが、ワンショットメカニズムが有益か否かが議論された。ワンショットメカニズムは、たとえば、ｅＭＢＭＳセッションの開始、又は、スポーツイベントのようなある特別な時間によって突然に増加され得るネットワーク負荷を標準化するために良好に機能する。しかしながら、ワンショットメカニズムのみを有することは十分ではないことがあり得る。アイドルなＵＥの連続的な移動を考慮すれば、たとえネットワークが、等しい優先度を持つマクロセルレイヤを提案しても、いくつかの配備シナリオにおいて、たとえば、エリアに移動しているＵＥが常に、ＲＳＲＰ、すなわち、２つのマクロセルレイヤ間の経路損失差、に依存して固有のレイヤを再選択するような、既存のセル再選択メカニズムのみでは、負荷不均衡が回避することができないのは事実であろう。したがって、解決策が、ワンショットメカニズムと連続配分との両方に適用可能であり得るか否かを考慮する価値がある。
【０５１８】
連続配分は、いくつかの配備シナリオにおいて未だに必要であり得る。
【０５１９】
この付記における提案が合意可能であれば、妥協的な解決策が、ワンショット再配分のためのみならず、連続配分のためにも適用され得る。ｅＮＢが、ページング機会において、負荷再配分を連続的にトリガーするのであれば、それは、実際に連続配分となり得るであろう。すなわち、エリアにおける（すべての周波数の間の）ＵＥの確率は、再配分をトリガーしているセルから移動される。妥協的な解決策は、たとえ負荷再配分が２回以上トリガーされても、安定的な確率を保証し得る。したがって、ＲＡＮ２が、異なるシナリオのために、単一の解決策を目指しているのであれば、それは、連続配分にも適用可能であり得るワンショットメカニズムに注目すべきである。
【０５２０】
提案６：ＲＡＮ２は、連続配分とワンショットメカニズムとの両方のケースを用いることに適用可能な柔軟性を提供する単一の解決策を目指すべきである。
【０５２１】
［相互参照］
米国仮出願第６２／１４５８６９号（２０１５年４月１０日出願）、米国仮出願第６２／１６５３１５号（２０１５年５月２２日出願）、米国仮出願第６２／１８８８７３号（２０１５年７月６日出願）、米国仮出願第６２／２１８６８９号（２０１５年９月１５日出願）、米国仮出願第６２／２４７９４８号（２０１５年１０月２９日出願）、及び米国仮出願第６２／２８１４４６号（２０１６年１月２１日出願）の全内容が参照により本願明細書に組み込まれている。
【図１】
2016163545.tif 000006
【図２】
2016163545.tif 000007
【図３】
2016163545.tif 000008
【図４】
2016163545.tif 000009
【図５】
2016163545.tif 000010
【図６】
2016163545.tif 000011
【図７】
2016163545.tif 000012
【図８】
2016163545.tif 000013
【図９】
2016163545.tif 000014
【図１０】
2016163545.tif 000015
【図１１】
2016163545.tif 000016
【図１２】
2016163545.tif 000017
【図１３】
2016163545.tif 000018
【図１４】
2016163545.tif 000019
【図１５】
2016163545.tif 000020
【図１６】
2016163545.tif 000021
【図１７】
2016163545.tif 000022
【図１８】
2016163545.tif 000023
【図１９】
2016163545.tif 000024
【図２０】
2016163545.tif 000025
【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
通信方法であって、
ユーザ端末が、異なる周波数で運用される複数のセルの中からサービングセルとして用いる対象セルの再選択を行うステップを含み、
前記再選択を行うステップは、
前記ユーザ端末が、現在のサービングセルから前記対象セルの再選択を要求するページング信号の受信に応じて、前記対象セルの再選択を行う第１再選択ステップと、
前記ユーザ端末が、前記ページング信号に依存しないトリガーに応じて、前記対象セルの再選択を行う第２再選択ステップと、を含み、
前記第１再選択ステップにおいて、前記ユーザ端末は、前記ページング信号の受信に応じて、前記現在のサービングセルから報知されるシステム情報に含まれる測定対象周波数の品質の測定を開始する通信方法。
【請求項２】
前記再選択を行うステップにおいて、前記ユーザ端末は、前記ユーザ端末の識別子を用いて、前記対象セルの再選択を行う請求項１に記載の通信方法。
【請求項３】
前記再選択を行うステップにおいて、前記ユーザ端末は、所定の品質基準を満たす複数のセルの中から、前記対象セルの再選択を行うことを特徴とする請求項１に記載の通信方法。
【請求項４】
前記第１再選択ステップにおいて、前記ユーザ端末は、前記現在のサービングセルの品質が所定の品質基準を満たしている場合であっても、前記測定対象周波数の品質を測定することを特徴とする請求項１に記載の通信方法。
【請求項５】
前記第１再選択ステップにおいて、前記ユーザ端末は、前記ページング信号の受信に応じた前記対象セルの再選択の実行により同じ優先度を有する複数の候補セルが見つかった場合、前記複数の候補セルの中から前記対象セルをさらに選択することを特徴とする請求項１に記載の通信方法。
【請求項６】
ユーザ端末であって、
異なる周波数で運用される複数のセルの中からサービングセルとして用いる対象セルの再選択を行うよう構成される制御部を備え、
前記制御部は、
現在のサービングセルから前記対象セルの再選択を要求するページング信号の受信に応じて、前記対象セルの再選択を行う第１の処理を実行し、且つ、
前記ページング信号に依存しないトリガーに応じて、前記対象セルの再選択を行う第２の処理を実行するよう構成され、
前記制御部は、前記第１の処理において、前記ページング信号の受信に応じて、前記現在のサービングセルから報知されるシステム情報に含まれる測定対象周波数の品質の測定を開始するよう構成されるユーザ端末。
【請求項７】
ユーザ端末を制御するためのプロセッサであって、
異なる周波数で運用される複数のセルの中からサービングセルとして用いる対象セルの再選択を行う処理を実行し、
前記再選択を行う処理において、
現在のサービングセルから前記対象セルの再選択を要求するページング信号の受信に応じて、前記対象セルの再選択を行う第１の処理を実行する処理と、
前記ページング信号に依存しないトリガーに応じて、前記対象セルの再選択を行う第２の処理を実行する処理と、を実行し、
前記第１の処理において、前記ページング信号の受信に応じて、前記現在のサービングセルから報知されるシステム情報に含まれる測定対象周波数の品質の測定を開始する処理を実行するプロセッサ。
【国際調査報告】
2016163545.tif 000026
2016163545.tif 000027
2016163545.tif 000028
2016163545.tif 000029
2016163545.tif 000030
2016163545.tif 000031
2016163545.tif 000032
2016163545.tif 000033
2016163545.tif 000034
2016163545.tif 000035
2016163545.tif 000036
2016163545.tif 000037
2016163545.tif 000038
2016163545.tif 000039
2016163545.tif 000040